(57)【特許請求の範囲】
【請求項１】
複数の個別の太陽エネルギー源であって、各個別の太陽エネルギー源は出力を有する、複数の個別の太陽エネルギー源と、
該太陽エネルギー源に個別の複数の光起電力変換回路であって、各個別の光起電力変換回路は、ＤＣ光起電力出力を提供するように該複数の個別の太陽エネルギー源のそれぞれの該出力に応答する、複数の光起電力変換回路と、
該太陽エネルギー源に個別の複数の光起電力発電動作モード機能変更コントローラであって、該太陽エネルギー源に個別の複数の光起電力変換回路のそれぞれは、該光起電力発電動作モード機能変更コントローラに応答し、該光起電力発電動作モード機能変更コントローラは、該太陽エネルギー源に個別の光起電力変換回路のそれぞれに対して、複数の発電動作モードの間で変わるように構成されている、複数の光起電力発電動作モード機能変更コントローラと、
遠隔にプログラム可能な電力機能コントローラであって、該太陽エネルギー源に個別の複数の発電動作モード機能変更コントローラは、該遠隔にプログラム可能な電力機能コントローラに個別に応答し、該遠隔にプログラム可能な電力機能コントローラは、該複数の個別の太陽エネルギー源の動作発電を遠隔で変更するように構成される、電力機能コントローラと、
該太陽エネルギー源に個別の複数の光起電力変換回路に応答する電力グリッドと
を備え、
該複数の個別の太陽エネルギー源は、複数の太陽電池パネルを備え、該遠隔にプログラム可能な電力機能コントローラは、太陽電池パネルモデル特性入力能力を有し、該複数の太陽電池パネルの太陽電池パネルモデル特性に従って該複数の太陽電池パネルの動作発電を変更するようにさらに構成される、個別に変更可能な電力変換機能の太陽エネルギーシステム。
【請求項２】
前記光起電力発電動作モード機能変更コントローラは、
前記複数の個別の太陽エネルギー源のうちの少なくともいくつかのそれぞれに対して最大電力動作点を維持する動作モードに変わるように構成されている光起電力発電動作モード機能変更コントローラを備える、請求項１に記載の個別に変更可能な電力変換機能の太陽エネルギーシステム。
【請求項３】
前記光起電力発電動作モード機能変更コントローラは、
望ましくないパラメータを回避する動作モードに変わるように構成されている光起電力発電動作モード機能変更コントローラを備える、請求項１に記載の個別に変更可能な電力変換機能の太陽エネルギーシステム。
【請求項４】
前記光起電力発電動作モード機能変更コントローラは、
複数の動作モード間を移行するように構成されている光起電力発電動作モード機能変更コントローラを備える、請求項１に記載の個別に変更可能な電力変換機能の太陽エネルギーシステム。
【請求項５】
前記光起電力発電動作モード機能変更コントローラは、
複数の異なる発電電圧出力間で変更する動作モードに変わるように構成されている光起電力発電動作モード機能変更コントローラを備える、請求項１に記載の個別に変更可能な電力変換機能の太陽エネルギーシステム。
【請求項６】
前記光起電力発電動作モード機能変更コントローラは、
複数の異なる発電電力出力間で変更する動作モードに変わるように構成されている光起電力発電動作モード機能変更コントローラを備え、各太陽エネルギー源は、１列の太陽電池パネルである、請求項１に記載の個別に変更可能な電力変換機能の太陽エネルギーシステム。
【請求項７】
前記光起電力発電動作モード機能変更コントローラは、
変換器の動作モードに変わるように構成されている光起電力発電動作モード機能変更コントローラを備える、請求項１に記載の個別に変更可能な電力変換機能の太陽エネルギーシステム。
【請求項８】
前記複数の個別の太陽エネルギー源は、複数の太陽電池パネルを備え、前記遠隔にプログラム可能な電力機能コントローラは、集中設備内に位置し、該複数の太陽電池パネルのうちの複数のパネルを制御する、請求項２〜７のいずれか一項に記載の個別に変更可能な電力変換機能の太陽エネルギーシステム。
【請求項９】
前記遠隔にプログラム可能な電力機能コントローラは、管理場所にあり、多数の太陽電池パネルのパネル群を制御する、請求項８に記載の個別に変更可能な電力変換機能の太陽エネルギーシステム。
【請求項１０】
電気的に直列に前記応答する光起電力変換回路のＤＣ光起電力出力を接続することにより接続された少なくとも１列の電気的に接続された太陽エネルギー源をさらに備える、請求項１に記載の個別に変更可能な電力変換機能の太陽エネルギーシステム。
【請求項１１】
前記光起電力変換回路のそれぞれは、光起電力ＤＣ−ＤＣ電力変換器を備え、前記少なくとも１列の電気的に接続された太陽エネルギー源は、電気的に直列に前記応答する光起電力ＤＣ−ＤＣ電力変換器の出力を接続することにより、接続されている、請求項１０に記載の個別に変更可能な電力変換機能の太陽エネルギーシステム。
【請求項１２】
前記少なくとも１列の電気的に接続された太陽エネルギー源のうちの各太陽エネルギー源の最大光起電力点は、個別に制御される、請求項１１に記載の個別に変更可能な電力変換機能の太陽エネルギーシステム。
【請求項１３】
前記太陽エネルギー源に個別の複数の光起電力変換回路のそれぞれは、光起電力ＤＣ−ＤＣ電力変換器と関連付けられており、前記光起電力発電動作モード機能変更コントローラは、光起電力ＤＣ−ＤＣ電力変換器動作コントローラを備える、請求項１に記載の個別に変更可能な電力変換機能の太陽エネルギーシステム。
【請求項１４】
前記遠隔にプログラム可能な電力機能コントローラは、ワイヤレスの遠隔にプログラム可能な電力機能コントローラを備える、請求項１に記載の個別に変更可能な電力変換機能の太陽エネルギーシステム。
【請求項１５】
前記遠隔にプログラム可能な電力機能コントローラは、ユーザプログラム可能な電力機能コントローラを備える、請求項１に記載の個別に変更可能な電力変換機能の太陽エネルギーシステム。
【請求項１６】
前記遠隔にプログラム可能な電力機能コントローラは、電気規格プログラム可能な電力機能コントローラを備える、請求項１に記載の個別に変更可能な電力変換機能の太陽エネルギーシステム。
【請求項１７】
前記遠隔にプログラム可能な電力機能コントローラは、個別の太陽電池パネルプログラム可能な電力機能コントローラを備える、請求項１に記載の個別に変更可能な電力変換機能の太陽エネルギーシステム。
【請求項１８】
前記個別の太陽エネルギー源は、交換可能なＤＣ光起電力条件を有し、
第１のＤＣ光起電力条件から、第２のＤＣ光起電力条件への該交換可能なＤＣ光起電力条件の移行コントローラをさらに備える、請求項１に記載の個別に変更可能な電力変換機能の太陽エネルギーシステム。
【発明の詳細な説明】
【技術分野】
【０００１】
（発明の分野）
本発明は、太陽エネルギーの技術分野に関し、具体的には、太陽エネルギーが種々の用途における使用に対して利用可能となる方法を強化するために、ある種類の太陽エネルギー源からの電力を遠隔で管理するための方法および装置に関する。種々の異なる側面を介して、本発明は、ＡＣ使用のために、おそらく、電力網または同等物への輸送のために、この電力を提供することができるように、太陽電池パネルまたは多量のパネル列等の太陽エネルギー源からの高効率な電力の産生を制御するために使用することができる技法および回路を提供する。これらの側面は、独立して存在し、１）切断可能な態様での電力管理、２）太陽光電力システムの順序付けられた起動、３）設置業者および保守要員によって取り扱うことができ、有利に制御することができる、安全出力システムを提供するステップ、４）現場で、または管理設備から等の遠隔で、システムの機能的制御を提供するステップ、５）動作、設置、および保守指標に対するパターン分析を達成することができる、システムを有するステップ、および６）特定の目的等に対して太陽光電力出力をシミュレートすることができるシステムに関する。
【背景技術】
【０００２】
環境適合性である日射から生成される電気エネルギーである太陽光電気エネルギーが極めて望ましい。長年、太陽光電力は、我々のますます工業化される社会にとって最も有望であるものの１つとしてもてはやされてきた。たとえ理論的に利用可能な太陽光電力の量が、全てではないにしても、ほとんどの他のエネルギー源（代替であるか否かにかかわらず）をはるかに超えるとしても、このエネルギーの利用には実用的な課題が残る。一般に、太陽光電力は、それが見込む期待を果たすことを妨げてきた多数の制限を受けたままである。１つの点において、その費用と比較して十分な電気出力を提供する方式で実施することが課題となっている。本発明は、内部使用のために提供されようと、または電力網接続あるいは同等物等の公共消費のために提供されようと、ＡＣ出力が費用効率の高い電力源となってもよいように、太陽光電力が電気的に活用されることを費用効率的に可能にする能力を有意に増加させる方式で、このことの重要な側面に対処するのに役立つ。
【０００３】
本発明の実施形態で適用されてもよいような太陽光電力に焦点を合わせると、太陽光電力を電気エネルギーに変換するための最も効率的な方法のうちの１つは、太陽電池を介したものである。これらのデバイスは、光起電力効果を通して光起電力ＤＣ電流を生成する。しばしば、これらの太陽電池は、電池の組み合わせを太陽電池パネルまたはＰＶ（光起電性）パネルに作製するように、電気的に結合される。ＰＶパネルはしばしば、妥当な電流で高電圧を提供するように、直列に接続される。電圧、電流、および電力レベルは、個々の住宅または同等物等に対する、個別家庭内レベルで提供されてもよい。同様に、おそらく、新しい石炭燃焼発電所、新しい原子力発電所、または同等物を作り出すことの代替案として、公益に対する、有意で、おそらくメガワットの出力を生成するように、多くのパネルの大型配列が多量のパネルに組み込まれてもよい。
【０００４】
組み合わせの性質にかかわらず、しばしば採用される電力変換器が高電圧入力をより効果的に使用することができるため、次いで、電力を最も使用可能にするように、出力（おそらく、太陽電池または太陽電池パネルの出力、またはその組み合わせの出力）が変換される。次いで、この変換された出力はしばしば、個別家庭内レベルであろうと、公共レベルであろうと、より分散した電力系統で概して存在するようなＡＣ出力を提供するように転換させられる。
【０００５】
太陽エネルギーシステムを設置または接続する際に、安全および容易性といった、少なくとも２つの考慮事項が存在し得る。理解され得るように、太陽エネルギー源または太陽電池パネルは、日射が存在する時にいつでも、あるレベルの電力を通常は提供するアイテムである。したがって、太陽エネルギー源の設置または単なる取り扱いが日中に発生した場合、これらのエネルギー源は、電力をすでに産生しているか、または危険な電圧が存在するアイテムとして、「高温」と見なすことができ、かつ見なされるべきである。したがって、細心の注意を払ってそれらを取り扱わなければならない。たとえ直射日光に当たって達成されなくても、これらのエネルギー源は、ある未知レベルの電力を通常は生成している。いずれのレベルでも、この電力は危険となり得る。通常、太陽電池パネルは、経験豊かな電気資格のある人員によって、絶縁手袋によって取り扱われる必要がある。このことは、太陽電池パネルの設置および保守動作の費用および複雑性を増加させ得る。
【０００６】
同様に、ほとんどの太陽光源の電気的性質は多種多様となり得る。このことも、設置をより複雑にし得る。実用的な理由で発電するか、または既存の太陽エネルギーシステムの電力を増加させるために、異なる型式、モデル、寿命、または条件のエネルギー源を一体的に接続することが望ましくなり得る（１）。また、所望量の電力を生成するために、最適にあらゆるエネルギー源を繋ぎ合わせることができるように、設置がそのような要因にあまり依存しないようにすることも望ましくてもよい。本発明は、設置を促進し、より容易にし、より安全にさえする改良を提供する。
【０００７】
既述のように、変換された出力はしばしば、ＡＣ出力を提供するように転換される。より好適なＤＣへのＤＣのＤＣ−ＤＣ変換は、電力制御の第１段階と見なすことができる。この第１の段階が含まれる場合、いくつかのシステムでは、変換器は１つ以上または１列の直列接続されたパネルから最大量の電力を抽出するように、それらの入力をＭＰＰＴ（最大電力点追尾）回路によって処理することがある。しかし、このアプローチで生じる１つの問題は、しばしば、ＰＶパネルが、電流源の役割を果たし、直列の列の中に組み込まれると最低電力パネルが他の全てのパネルを通る電流を制限し得ることである。第２段階では、いくつかのシステム、すなわち、ＤＣをＡＣに変換する転換機能における別の問題は、最大電力点（ＭＰＰ）における変換の動作が、インバータと多少不適合性となるか、またはインバータにとって少なくとも準最適となり得るということがある。本発明の以前には、それは、容認される必要のある固有の特性にすぎず、ＭＰＰ変換機能は電気的に重大であるため、インバータレベルにおける準最適化を、おそらくあらゆる変換・転換されたシステムに固有であった単なる必要属性にした、制御要件として概して容認されたと広く考えられた。おそらく驚いたことに、転換機能も最適化しながら、ＭＰＰ変換機能を最適化するという目標は、達成可能な目標、またはおそらく少なくとも有意な目標として見られなかった。このことは、本発明者らによる先行発明の開示において対処され、それは、並外れて効率的なシステムを達成する方法を示す。本発明は、この種類のシステムを用いて論議されるが、用途の種類は要求されず、本発明はその種類のシステムに限定されないことを理解されたい。
【０００８】
背景として、太陽電池は、歴史的にシリコンｐｎ接合等の半導体から作られてきた。これらの接合またはダイオードは、日光を電力に変換する。これらのダイオードは、しばしば約０．６ボルトである特徴的に低い電圧出力を有し得る。そのような電池は、順方向ダイオードと並列の電流源のように作用し得る。そのような電池からの出力電流は、多くの構成要素の関数となってもよく、しばしば、日光量に正比例する。そのような太陽電池の低電圧は、電力網に電力を供給するために好適な電力に変換しにくくなり得る。しばしば、多くのダイオードが光起電性パネル上で直列に接続される。例えば、可能な構成は、２１．６ボルトになるように直列に接続される、３６個のダイオードまたはパネルを有することができる。実装における短絡ダイオードおよび相互接続損失により、そのようなパネルは、最大電力点（ＭＰＰ）において１５ボルトしか生成しない場合がある。多くのそのようなパネルを有する、いくつかのより大型のシステムにとっては、１５ボルトさえも低すぎて多大な損失なくワイヤ上で送達できない場合がある。加えて、現在、典型的なシステムは、ＰＶパネルと電力変換器との間の伝導損失を最小化するために、多くのパネルを直列に組み合わせて数１００ボルトの電圧を提供し得る。しかしながら、電気的には、変換器がそのようなＰＶパネルの列から最大電力を抽出することに適当な入力インピーダンスを見出すことに課題があり得る。必然的に、入力は通常、出力に影響を及ぼす。ＰＶパネルが通常は電流源の役割を果たし、最低電流を産生するパネルが列全体を通る電流を制限し得ることがあるため、入力分散を拡大することができる。いくつかの望ましくない状況においては、弱いパネルが残りのパネルによって逆付勢され得る。この場合、電力損失を制限するために、および逆方向破壊からパネルを保護するために、各パネルにわたって逆方向ダイオードを配置することができるが、依然として、変換された出力、およびしたがって転換された入力の有意な分散があり得る。太陽電池パネルシステムにおいて、少なくともいくつかの側面を挙げると、パネル間の不均一性、個々のパネルの部分的な陰、パネル上で日光を遮断する汚れおよび蓄積物、パネルの損傷、および経時的なパネルの不均一な劣化によって問題が生じ得る。局所分配を介して、おそらく電力網に繋がれたインバータ等の負荷に、電力を効率的に伝送することに十分高い電圧を得るために、直列接続がしばしば所望されるという事実は、考慮事項をさらに追加する。現実の用途では、所望される接続構成（直列または並列等）に関係なく、異なった種類のパネルを使用する所望または必要性も頻繁にある。
【０００９】
加えて、本発明者らのシステム以外のシステムは、比較的低い効率レベルであった。例えば、Ｇ．Ｒ．Ｗａｌｋｅｒ、Ｊ．ＸｕｅおよびＰ．Ｓｅｒｎｉａの非特許文献１において、これらの著者らは、効率損失が必然的であったとさえ示唆したかもしれない。彼らの「強化された」回路を介して達成されるような、より低い効率レベルが容認可能であるとしてもてはやされた。同様に、同じ著者らのうちの２人である、Ｇ．Ｒ．ＷａｌｋｅｒおよびＰ．Ｓｅｒｎｉａは、非特許文献２において、必要な技術は常に効率面で不利な立場にあると示唆した。これらの参考文献は、約９１％の全電力効率を示す、効率対電力のグラフさえも含む。そのような低効率変換器を介したＰＶパネルの動作の高い費用により、太陽光電力が未だ市場にとって容易に受け入れ可能なものとして見なされていないことは不思議ではない。本発明者らは、はるかに高い効率を達成する方法を開示しており、２つの特定の開示は、本発明を利用することができる改良型システムを開示するものとして、参照することにより本明細書に組み込まれる。国際出願第ＰＣＴ／ＵＳ０８／５７１０５号として国際出願された、「Ｓｙｓｔｅｍｓ  ｆｏｒ  Ｈｉｇｈｌｙ  ｅｆｆｉｃｉｅｎｔ  Ｓｏｌａｒ  Ｐｏｗｅｒ」と題された特許開示は、改良型変換器接続形態、および太陽光電力システムがより高い効率で動作することを可能にする他の方法を提供する。国際出願第ＰＣＴ／ＵＳ０８／６０３４５号として国際出願された、「ＡＣ  Ｐｏｗｅｒ  Ｓｙｓｔｅｍｓ  ｆｏｒ  Ｒｅｎｅｗａｂｌｅ  Ｅｌｅｃｔｒｉｃａｌ  Ｅｎｅｒｇｙ」と題された特許開示は、いくつかある側面の中でも特に、多数の太陽電池パネルを有するパネル群で実装することができる、インバータおよびシステム改良を提供する。本発明は、これらのシステムおよび他のシステムに対する動作電力制御強化を提供し、より高い効率の電源からの電力を制御する方法を開示する。
【００１０】
多数の直列ＰＶパネル列に関する別のあまり理解されていない問題は、大いに変動する出力電力に関することがあり、電力網を駆動するインバータ段階は、その効率も低下させる非常に広い範囲にわたって動作し得る。それはまた、インーバタセクションが電力網に電力供給していない期間中であれば、この段階への入力電圧が規制限度を上回って増加するかもしれないという問題になる場合もある。または、逆に、この期間中の電圧が規制限度を上回らなければ、最終動作電圧は、インバータに対する理想効率点よりもはるかに低くなる場合がある。加えて、全体的な電力変換過程に有意な費用を追加する、起動および保護の問題が存在する場合がある。太陽光電力設置に対するシステムのバランス（ＢＯＳ）に影響を及ぼす、他のあまり明らかではない問題も含まれる。
【先行技術文献】
【非特許文献】
【００１１】
【非特許文献１】Ｇ．Ｒ．Ｗａｌｋｅｒ、Ｊ．ＸｕｅおよびＰ．Ｓｅｒｎｉａ、「ＰＶ  Ｓｔｒｉｎｇ  Ｐｅｒ−Ｍｏｄｕｌｅ  Ｍａｘｉｍｕｍ  Ｐｏｗｅｒ  Ｐｏｉｎｔ  Ｅｎａｂｌｉｎｇ  Ｃｏｎｖｅｒｔｅｒｓ」
【非特許文献２】Ｇ．Ｒ．ＷａｌｋｅｒおよびＰ．Ｓｅｒｎｉａ、「Ｃａｓｃａｄｅｄ  ＤＣ-ＤＣ  Ｃｏｎｖｅｒｔｅｒ  Ｃｏｎｎｅｃｔｉｏｎ  ｏｆ  Ｐｈｏｔｏｖｏｌｔａｉｃ  Ｍｏｄｕｌｅｓ」
【発明の概要】
【発明が解決しようとする課題】
【００１２】
ほとんどの大電力システムは、パネルの多数の列または多数の配列を伴う。それらは、サイズがフットボール場よりもはるかに大きくなり得て、数千のパネルから何メガワットもの電力を生成することができる。それほど多くのパネルの制御、保守、および識別さえも、独自の課題を提起し得る。例えば、いくつかのシステムでは、特定のパネルが保守を必要としているか否かを識別するための唯一の実用的な方法は、その故障が、パネル自体にひびが入っているか、または同等物等の、視覚的性質であるか否かである。電気的に、個々のパネルは、あまり有意な要因にならない場合があるため、単なる個別パネルが出力を低減したか、またはおそらく、存在しない寄与さえも顕著になる場合がある。同様に、個々のパネルの制御は、各パネルが必要に応じて制御されることを可能にするためには、数千のパネルに配線をめぐらせる必要があるかもしれないという点で、課題となり得る。しばしば、そのような必要の非現実性または費用は、個々のパネルを制御することを非実用的にし、フィールド、サブエリア、または列レベルのいずれかにおける大域レベルの制御のみが、達成することに対して実用的である。本発明は、個別制御が実用的に達成されることを可能にする改良を提供する。したがって、太陽光電力の少なくとも１つの側面が必要とするものは、電力制御の改良である。本発明は、この必要な改良を提供する。
【課題を解決するための手段】
【００１３】
発明の分野に関して記述されるように、本発明は、異なる方法で組み合わせされてもよい、種々の側面を含む。以下の説明は、要素を記載し、本発明の実施形態のうちのいくつかを説明するために提供される。これらの要素は、初期の実施形態とともに記載されるが、付加的な実施形態を生成するために、任意の方式で、および任意の数で組み合わされてもよいことを理解されたい。様々に説明される実施例および好ましい実施形態は、明示的に説明されるシステム、技法、および用途のみに本発明を限定すると解釈されるべきではない。さらに、本説明は、任意の数の開示された要素とともに、各要素だけとともに、また、本出願または任意の後続の出願における全要素の種々の順列および組み合わせのいずれかまたは全てとともに、全ての種々の実施形態、システム、技法、方法、デバイス、および用途の説明および請求を支援し、包含すると理解されるべきである。
【００１４】
種々の実施形態では、本発明は、それを介して本発明の目標のうちのいくつかを達成してもよい、成果、システム、および異なる初期の例示的制御機能を開示する。システムは、いくつかある側面の中でも特に、高効率の再生可能エネルギー生成または他の方法で使用するための、光起電力変換の電力制御されたシステムを提供する。種々の異なる側面を通して、本発明は、ある種類の太陽光電力回路について存在する問題に対して特異的に開発された、遠隔制御電力技法を提供する。相互から独立し、かつ相互を別にして、本発明は、１）大型配列からの個別切断を可能にする遠隔電力管理システム、２）太陽光電力システムの制御的に順序付けられた起動、３）遠隔で制御することができ、設置業者および保守要員による、より安全な取り扱いを可能にすることができる、安全出力システム、４）現場、または管理設備から等の遠隔における、機能的制御システム、５）動作、設置、および保守指標に対するパターン分析の能力を伴うシステム、および６）特定の目的等による、電力シミュレーション太陽光電力システムを提供する。これらの側面および他の側面のそれぞれについて、以下で論議する。
【図面の簡単な説明】
【００１５】
【図１】図１は、単一の代表的な太陽光源に対する、本発明の一実施形態による制御されたシステムのブロック図を示す。
【図２】図２は、本発明の一実施形態による、多くの相互接続されたパネルの列の概略図を示す。
【図３】図３は、代表的な太陽電池パネルの電流および電圧の関係のグラフを示す。
【図４】図４は、同様のパネルの電力および電圧の関係のグラフを示す。
【図５】図５は、直列接続されたパネルおよび単一の電力網に繋がれたインバータの構成を有する、本発明の実施形態を示す。
【図６】図６は、異なる温度および出力パラダイムに対する太陽電池パネル出力動作条件のグラフを示す。
【図７】図７は、電力網に繋がれたインバータを有する従来技術のシステムを示す。
【図８】図８Ａおよび８Ｂは、本発明の実施形態において使用される場合がある回路等の、２種類のデュアルモード電力変換回路を示す。
【発明を実施するための形態】
【００１６】
上述のように、本発明は、独立して、または他の側面と組み合わせて考慮されてもよい、種々の側面を開示する。最初の理解は、本発明による太陽エネルギー電力システムの一実施形態が、インバータ、変換器、可変機能的制御構成要素、および規格準拠能力を含む、以下の概念および回路のうちのいずれかを組み合わせてもよいという事実から始まる。側面は、非常に高効率の光起電変換器、ならびに出力電圧および／または出力電流が保護されたシステムさえも含んでもよい。これらのそれぞれは、一般的な意味から、ならびに、実装のための初期用途を示す実施形態を通して、理解されるべきである。初期利益は、それぞれが最初に開示されたものだけでなく一般的な設計群をどのように表すかとともに、以下の論議において、個別に、かつ組み合わせて論議される。
【００１７】
図１は、本発明の基本的な変換および転換の原理を図示する、太陽エネルギー電力システムの一実施形態を示す。示されるように、それは、おそらく最終的には電力網（１０）と連動してもよい光起電力ＤＣ−ＡＣインバータ（５）に変換された出力を提供する、光起電力ＤＣ−ＤＣ電力変換器（４）に流れ込む太陽エネルギー源（１）を伴う。理解され得るように、太陽エネルギー源（１）は、太陽電池、太陽電池パネル、またはおそらくパネルの列であってさえもよい。いずれにしても、太陽エネルギー源（１）は、ＤＣ光起電力出力（２）等の出力を生成してもよい。このＤＣ光起電力出力（２）は、ＤＣ−ＤＣ電力変換器（４）へのＤＣ光起起電力入力として確立されてもよい。同様に、ＤＣ−ＤＣ電力変換器（４）は、ＤＣ光起電力出力（６）等の出力を生成してもよい。このＤＣ光起電力出力（６）、またはより一般的には光起電力ＤＣ変換器出力は、光起電力ＤＣ−ＡＣインバータ（５）へのインバータ入力（２９）として確立されてもよい。最終的に、光起電力ＤＣ−ＡＣインバータ（５）は、変換されたＤＣを転換させ、電力網（１０）、家庭用電気システム、または両方、あるいは他の電力消費デバイスまたは物体への入力として確立されてもよい、光起電力ＡＣ電力出力（３０）等のＡＣ出力を生成するように作用してもよい。
【００１８】
太陽エネルギーシステム（５５）は、個別のパネルを有することができるか、または、太陽エネルギー電力を生成するパネルのフィールドであってもよい。システムは、所与の時点で所与のシステムから、最適量のほぼ９０％またはそれ以上であってもよい、相当量の太陽エネルギー電力出力を生成することができる。これは、数ワットから何メガワットものレベルに及ぶことができる。しかしながら、サイズにかかわらず、所望の結果に対して電力を管理することが有利となり得て、この管理は、遠隔作用となり得る。電力管理方法は、個々のソース、個々のパネル、個々の列、フィールド全体、またはこれらの任意の組み合わせの管理に及ぶことができる。多くの構成では、太陽エネルギーシステム（５５）は、単数のＤＣ光起電力出力（６）を有する組立アイテムとしてエネルギー源を電気的に絶縁する、光起電力格納容器（５７）によって画定される不連続ユニットである、太陽電池パネル（５６）として組み立てられる太陽エネルギー源（１）の集合によって構成されてもよい。光起電力格納容器（５７）は、本質的に、機械的または単に電気的となり得る。さらに、それはまた、その実際のまたは概念的な境界内に、おそらく、変換器、インバータ、制御、または任意の他の機能等の、不連続な構成要素または一体能力のいずれかを含んでもよい。不連続太陽電池パネル（５６）およびその関連ＤＣ光起電力出力（６）は、太陽電池パネル電圧および太陽電池パネル電流を有することができる。太陽電池パネル（５６）、またはその組み立てられた太陽エネルギー源（１）が日射を受けると、相当量の太陽エネルギー電力出力を生成する。これらのエネルギー源またはパネルの多くは、より高い電力またはより高い電圧を生成するために、一体的に電気的に組み合わせることができ、これらの接続は、単純なワイヤ接続であってもさえもよいある種類の光起電力結合回路（５９）によって、ＤＣ光起電力出力（６）を効果的に接続することができる。パネルレベル、またはそれらのＤＣ光起電力出力のいずれかにおいて、エネルギー源は、高い割合の日射電力を電気エネルギーに変換することができ、したがって、それらは高効率源の役割を果たすことができる。ＤＣ光起電力出力（２）はしばしば、１つまたは複数の初期特性を有するものから別のものへ変換され、したがって、ＤＣ変換するステップが光起電力ＤＣ−ＤＣ電力変換器（４）を介して発生することは一般的である。この光起電力ＤＣ−ＤＣ電力変換器（４）は、様々なレベルの複雑性を有してもよく、その所望の結果を達成するように作用する、光起電力変換回路（５８）を有してもよい。
【００１９】
ＤＣ−ＤＣ電力変換器（４）（ならびに任意の他の側面）は、概して、変換器機能制御回路または光起電力機能変更コントローラ（８）として示される能力によって、その動作を制御させてもよい。これは、遠隔で存在するか、または制御することができる。当業者であればよく理解するはずであるように、この変換器機能制御回路または光起電力機能変更コントローラ（８）は、真の回路ハードウェアとして具現化されてもよく、または、それは、所望の制御を達成するように、ファームウェアまたはソフトウェアであってさえもよく、かつ依然として光起電力機能変更コントローラ（８）の意義の範囲内に入る。同様に、ＤＣ−ＤＣ電力変換器（４）は、光起電力ＤＣ−ＤＣ電力変換回路を表すと見なされるべきである。この点で、ハードウェア回路が必要であると思われるが、ハードウェア、ファームウェア、およびソフトウェアの組み合わせは、依然として回路という用語によって包含されると理解されるべきである。
【００２０】
光起電力ＤＣ−ＡＣインバータ（５）もまた、同様に真の回路ハードウェアとして具現化されてもよいインバータ制御回路（３８）によって、その動作を制御させてもよく、または、それは、所望の制御を達成するように、ファームウェアまたはソフトウェアであってさえもよく、依然としてインバータ制御ステップまたはインバータ制御回路（３８）の意義の範囲内に入る。
【００２１】
図１に図示されるように、種々の要素は、相互に接続されてもよい。直接接続であるが、種々の要素が相互に対応してもよい１つの方式であり、つまり、１つの要素における何らかの効果が、別の要素において直接または間接的に効果を引き起こしてもよい。例えば、インバータ制御回路（３８）と光起電力機能変更コントローラ（８）との間に接続があり得る一方で、接続がなくても、効果が発生することができ、対応性が存在することができる。実際に、好ましい実施形態では、そのような直接接続がなくても効果を引き起こすことができるので、そのような直接接続は使用されない。
【００２２】
概略図のいくつかの基本的側面を介して順序付けると、ＤＣ−ＤＣ電力変換器（４）は、その入力を変換し、したがって、種々の設計であってもよい光起電力ＤＣ−ＡＣインバータ（５）への入力としての機能を果たしてもよい、変換されたＤＣ光起電力出力（６）を提供するように作用してもよいことが理解できる。この光起電力ＤＣ−ＡＣインバータ（５）は、例えば、ＡＣ電力網インターフェース（９）と呼ばれる何らかの接続を介した電力網（１０）によって使用することができる、光起電力ＡＣ電力出力（７）等の転換されたＡＣに、ＤＣ電力を転換させるステップを達成するための１つの方法としての機能を果たしてもよい。このように、システムは、ある種類の光起電力ＤＣ−ＡＣインバータ（５）への入力として確立されてもよい、ＤＣ光起電力出力（６）を生成してもよい。この入力を転換させるステップは、何らかの実質的に一方向性の電流信号から、なんらかの実質的に交番する信号を達成、または生成するものとして理解されるべきであって、その信号がそれ自体完全または、実質的に安定していなくてもよい。
【００２３】
図２および５に示されるように、個々の太陽エネルギー源（１）は、電池レベルであれ、パネルレベルであれ、またはモジュールレベルであれ、一連の電気的に接続されたエネルギー源を生成するように組み合わせられてもよい。より高い電圧または電流を達成するために、太陽電池パネル（５６）が一体に接続されると、太陽電池パネル列（１１）が生成されてもよい。これは、出力の単純な直列接続であってもよく、かつ、太陽電池パネル列の電流、太陽電池パネル列の電力、および太陽電池パネル列の電圧をもたらしてもよい。変換された出力が存在するときには、ＤＣ−ＤＣ変換された太陽電池パネル出力に対応する電気直列の列に、光起電力ＤＣ−ＤＣ電力変換器（６０）を直列に接続することが望ましくてもよい。当然ながら、組み合わせは、直列または並列接続のいずれかを介して対応してもよい。図２および５に示されるように、接続された複数は、おそらく、電気的に接続された太陽電池パネル（１１）の列等の、電気的に接続されたアイテムの列を形成してもよい。図２に示されるように、これらの列のそれぞれ自体は、おそらく光起電配列（１２）または多量の組み合わせられた太陽エネルギー源さえも形成する、はるかに大型の組み合わせに対する構成要素であってもよい。物理的または電気的なレイアウトのいずれかによって、これらの電池、パネル、または列のうちの特定のものは、ある程度同様の電気的、機械的、環境的な太陽光暴露（または日射）条件に暴露されてもよいという点で、隣接してもよい。大型配列または多量が提供される状況では、図２で概略的に図示されるように、おそらく３相の高電圧転換ＡＣ光起電力出力とともに、電圧ＤＣ−ＡＣ太陽光電力インバータを含むことが望ましくてもよい。
【００２４】
電気的に直列の組み合わせについて図示されるように、電圧が上昇してもよいが、電流は同一であってもよいように、出力が組み合わせられてもよい。逆に、電気的に並列の組み合わせが存在してもよい。図２および５は、変換されたＤＣ光起電力出力等のアイテムを直列に組み合わせるか、または直列に接続するステップを達成して、光起電力ＤＣ−ＡＣインバータ（５）への変換されたＤＣ光起電力入力を生成するように接続される、実施形態を図示する。示されるように、これらの直列接続は、変換されたＤＣ光起電力出力の直列接続であってもよく、次いで、それは、ある種類の光起電力ＤＣ−ＡＣインバータ（５）または他の負荷への変換されたＤＣ光起起電力入力（１４）としての機能を果たしてもよい、変換されたＤＣ光起電力出力を生成してもよい。再び、各太陽エネルギー源（１）は、電池レベル、パネルレベル、列レベル、または配列レベル等での太陽光源であってもよい。よく理解されるように、並列接続、および変換器またはそれらの出力を並列接続するステップも達成することができる。
【００２５】
上述のように、回路およびシステムは、太陽エネルギー源（１）から可能な限り多くの電力を抽出するように構成することができる。このことは、特に、１つまたは複数の太陽光電源に適用可能であり、具体的には、日射が電源から隣接する電源で変動し得る、太陽電池パネル（５６）にも適用可能である。電気的に、最大電力点（ＭＰＰ）回路または最大電力点追尾（ＭＰＰＴ）によって、１つ以上の太陽電池、パネル、または列の最大電力点（ＭＰＰ）において動作を達成することにより、高効率が達成されてもよい。したがって、実施形態では、本発明による太陽光電力システムは、電力変換回路とともにＭＰＰＴ制御回路を含んでもよい。それは、以降で論議されるような範囲制限回路さえも含んでもよく、本発明の実施形態にとって重要なことは、高効率を達成するために、ＭＰＰベースのシステムとともにそれを使用できることである。
【００２６】
この最大電力点動作の側面は、図３および４を参照することにより図示され、最大電力点追尾（ＭＰＰＴ）回路は、所与のパネルまたは他の太陽エネルギー源（１）から電力を抽出するための最適な点を見出すように構成されてもよい。背景として、実験室で測定され得るようなパネルは、図３で示された電圧および電流の関係を示してもよいと理解されたい。アンペア単位の電流は、縦軸上にある。ボルト単位の電圧は、横軸上にある。電圧に電流を掛けて電力を求めた場合、これは図４に示される。電流は、ここでは縦軸上にある。ここで使用されるようなＭＰＰＴ回路の実施形態の目標は、パネルがそのピーク電力を提供するよう動作し得るように、パネルに適切な条件を適用することであってもよい。測定条件下で、このパネル上の最大電力点は、パネルが約１５ボルトおよび８アンペアを産出する時に発生することが図式的に分かる。このことは、ある機能制御回路、変換器、変換器機能制御回路、またはさらに一般的には、光起電力機能変更コントローラ（８）の動作の方式の一部または全体であってさえもよい、最大光起電力点変換器機能制御回路（１５）によって決定されてもよい。一例にすぎないが、変換過程で、またはその一部として達成されると、変換器または変換するステップは、光起電力ＤＣ−ＤＣ電力変換の最大光起電力点方式を提供してもよい。このことは、切替によって、おそらく、変換器またはインバータレベルでの負荷サイクル切替によっても達成されてもよく、そのようなものとして、システムは、最大光起電力点の負荷サイクル切替、または最大光起電圧決定的な負荷サイクル切替のステップを達成してもよい。
【００２７】
高効率を達成するという観点から、個々のパネル、またはより一般的には個々のエネルギー源に対して、ＭＰＰ能力を達成することができる。各太陽電池パネル（５６）は、独自の個別パネル専用の最大光起電力点変換器機能制御（１６）を有してもよい。このことは、出力を個別パネルがＤＣ変換する過程の一部として、またはおそらく、出力を個別パネルがＤＣ−ＡＣ転換させる過程の一部として、発生することができる。どのように実装されるかにかかわらず、必要であってもよいことは、あるレベルにおいて、各電源または発電のアイテムには、別のアイテムの独自のＭＰＰとは異なる、独自のＭＰＰを達成する独自の能力があるということだけである。したがって、パネルレベルで具現化されるときに、システムは、個別パネル専用の過程能力を有してもよい。ハードウェアまたはソフトウェア過程制御を介して実装されるときには、別個であり、おそらく他のそのような制御から独立している、最大光起電力点制御回路（１５）があってもよい。
【００２８】
図７は、使用されてもよい、１つの種類の光起電力ＤＣ−ＡＣインバータ（５）を図示する。必然的に、以前のコメントから理解され得るように、ＭＰＰを制御する必要がない強化インバータが使用されてもよい。本発明の一側面では、インバータは、最適レベルでその入力を制御させてもよい。例えば、参照された特許開示で論議されるように、入力電圧が、おそらく特異最良点または同等物等の、最適レベルであるように、別個の制御入力を使用することができる。
【００２９】
上述のように、太陽エネルギーシステム（５５）の種々の要素は、機能制御回路によって、所望の結果に対して動作が制御されてもよい。このことは、任意のレベルで、局部的な、または物理的に離れたハードウェアまたはソフトウェアを包含してもよい。したがって、そのような能力は、一般的な意味では光起電力機能変更コントローラ（８）として、要素的に示すことができる。光起電力機能変更コントローラ（８）は、ＭＰＰの維持であれ、望ましくないパラメータの回避であれ、安全の達成であれ、設置または接続の促進、または他のものであれ、所望の結果を達成するように、動作を改変するか、または単に制御する任意の能力となり得る。光起電力機能変更コントローラ（８）は、１つまたは多数の太陽電池パネル（５６）の電気的動作さえも変更可能に制御するように作用することができる。このことは、切替を制御することによって、動作モードを電気的に遷移させることによって、または概して出力を制御することによって、達成することができる。種々の実施形態では、電圧、電流、電流、または任意の他のパラメータは、エネルギー源、パネル、列、または他のレベルで制御することができる。いくつかの例にすぎないが、パネルレベルで具現化または実装されると、光起電力機能変更コントローラ（８）は、太陽電池パネル電圧、電流、または電力機能コントローラを提示してもよい。列レベルでは、システムは、太陽電池パネル列電流機能コントローラまたは太陽電池パネル列電圧機能コントローラ等の、光起電力機能変更コントローラ（８）を提示してもよい。上記の論議から理解され得るように、そのような制御は、変換器またはインバータレベルで達成することができる。変換器レベルでは、光起電力機能変更コントローラ（８）は、いくつか例を挙げると、太陽電池パネル変換器電流機能コントローラ、太陽電池パネル変換器電圧機能コントローラ、または太陽電池パネル変換器電力機能コントローラとなり得る。別のより具体的な例として、インバータ入力レベルでは、光起電力機能変更コントローラ（８）は、いくつか例を挙げると、太陽電池パネルインバータ入力電流機能コントローラ、太陽電池パネルインバータ入力電圧機能コントローラ、または太陽電池パネルインバータ入力電力機能コントローラとなり得る。光起電力機能変更コントローラ（８）は、動作または制御の異なるモードの間で改変することができるため、変更可能な電力機能、変更可能な電力変換機能、または変更可能な電力転換機能が存在し得る。これは、出力を制御するために使用することができる。
【００３０】
本発明者らの組み込まれる特許出願に記述されるように、切替変換器を使用することができる。そのような光起電力ＤＣ−ＤＣ電力変換器（４）に対する２種類の実装を図８Ａおよび８Ｂに示す。いくつかの構造は、ＰＶパネルをＭＰＰおよびデュアルモード電力変換回路とさえも組み合わせて、電力調整器（ＰＣ）要素と呼ばれてもよいものを作製してもよい。論議されるように、電力調整器は、直列または並列、あるいは直列／並列の列の任意の組み合わせ、および全出力を産生してもよい多量のパネルに、組み込まれてもよい。異なる種類のパネル、異なる種類の変換器、および異なる種類のインバータさえも、組み合わせられてもよい。
【００３１】
個別の太陽電池パネルトランジスタ（６１）を制御する等、要素を切り替える際に、制御が変換器またはインバータレベルで達成されようと、あるいは他の方法で達成されようと、制御は、ハードウェアまたはソフトウェア制御によって達成されてもよい。変換器については、このことは、個別パネルＤＣ−ＤＣ変換器トランジスタ切替を制御することによって、または、少なくとも１つのＤＣ−ＤＣ電力変換器（４）の切替を制御することによって、達成されてもよい。したがって、システムは、ハードウェアまたはソフトウェアの組み合わせを表してもよい、変換器機能制御回路（６２）を有するものとして見なされてもよい。個別パネルレベル制御については、個別パネル専用の光起電力機能変更コントローラ（８）があってもよく、これらは、個別パネル専用の光起電力ＤＣ−ＤＣ電力変換器（４）と関連付けられてもよい。本特許開示および組み込まれた特許開示の他の場所で記述されるように、制限制御が望ましくないパラメータを回避するように発生することができ、このことは、おそらく電力変換・改変の方法を達成するシステムを有することによって、ＤＣ変換するステップにおいて発生することができる。
【００３２】
望ましく有り得る１つの側面は、実施形態が完全に切断される能力を含むことであるため、日射が太陽電池パネルまたは太陽光源に影響を及ぼしている場合においてさえ、出力がない。このことは、種々の方法で達成することができ、光起電力ＤＣ−ＤＣ電力変換器（４）に関連して最初に理解されてもよい。個別パネル光起電力ＤＣ−ＤＣ電力変換器（４）を利用する実施形態を考慮すると、これらのデバイスは、個別太陽電池パネルトランジスタ（６１）等の種々のスイッチを伴う。これらの種類の実施形態では、局所的な決定または設定、あるいは、ある種類の遠隔制御さえも介して、設置業者または保守取扱者あるいは同等人物を保護する等のために、出力を完全に切断することが望ましくてもよい。変換器レベルで達成されると、実施形態は、たとえ日射が存在しても出力を文字通りオフにする、変換器スイッチ切断（６３）を有することができる。このことは、単純に、個々の太陽電池パネル変換器を適切にオフに切り替えることによって達成することができるため、実施形態は、個別パネル専用の変換器機能制御回路およびそれらの個別制御過程を含んでもよい。
【００３３】
再び、一例にすぎないが変換器レベルを考慮すると、実施形態は、光起電力機能変更コントローラ（８）、またはおそらく変換器スイッチ切断制御（６４）等の、切断制御の役割を果たす別個の要素を含むことができる。この変換器スイッチ切断制御（６４）は、変換器動作不能スイッチ切断制御の役割を果たすことができ、または、１つ以上のＤＣ切断（６７）を操作する変換器動作不能スイッチ切断コントローラであってもよい。ＤＣ切断（６７）は、トランジスタ、継電器、およびガルバニック絶縁を提供する継電器さえも含むが、それらに限定されない、任意の種類のスイッチまたは切断であってもよい。当然ながら、他の要素が同様に存在することができ、所望であれば、同様に制御することができる。太陽電池パネルトランジスタ（６１）を含む要素において、そのようなものは、電界効果トランジスタであってもよく、したがって、光起電力機能変更コントローラ（８）または別個の要素は、太陽エネルギーシステム（５５）内の電界効果トランジスタ切替、またはおそらく、１つ以上の光起電力ＤＣ−ＤＣ電力変換器（４）の切替を制御するように、光起電力ＤＣ−ＤＣ変換器電界効果トランジスタコントローラの役割を果たすことができる。このことは、電界効果トランジスタタイミングコントローラ（６５）等によって、単にスイッチタイミングを制御することによって達成することができる。規則的に少なくともある程度の時間作用すると、システムは、再度、ハードウェア、ソフトウェア、または両方の何らかの組み合わせとして実装することができる、負荷サイクルスイッチ制御回路（３１）を有するものとして見なすことができる。
【００３４】
個別ＭＰＰ制御等の個別制御の側面から理解され得るように、切断は、電源、パネル、列、または他のレベルで独立して達成することができる。したがって、実施形態は、ある要素を独立して電気的にＤＣ切断する能力を含むことができる。このことは、ＤＣ−ＡＣ転換とは別であってもよいため、実施形態は、太陽エネルギーシステム（５５）内で独立して電気的にＤＣ切断する能力、またはＤＣ出力を独立して切り替える能力も提示してもよい。したがって、ＤＣ光起電力出力（６）の少なくとも一部分を電気的に切断することができる。パネルレベルでは、実施形態は、個別太陽電池パネル出力ＤＣ切断（６７）を有してもよい。これらは、制御可能となるように構成されてもよく、光起電力機能変換コントローラ（８）、または、個別太陽電池パネル切断制御の役割を果たすか、または少なくとも１つの太陽電池パネル切断の個別パネル制御のための別個の要素であってもよい。安全に配慮して、このことは、光起電力格納容器（５７）内、または、ある同様に適切な場所で達成することができ、したがって、実施形態は、完全に個別に出力を切断する過程を達成することができる。
【００３５】
出力の切断はまた、安全性の問題にもなり得るため、切断状態の存在を確保し、電源またはパネルのスイッチが不注意にオンになっていないことさえも保証する、要素または能力が存在し得る。実施形態は、適切な制御コマンドの単なる従来の存在は別として、切断位置または構成を決定する、独立した出力ＤＣ切断位置認証要素（６６）を含むことができる。
【００３６】
出力を切断する際に、状態間の遷移が発生することが有り得る。オンおよびオフ状態は、種々の構成で存在することができ、例えば、これらは、動作状態条件（オン）または遮断状態条件（オフ）と見なされてもよい。したがって、個別パネル切断制御がある実施形態では、動作状態条件を個別パネル制御する過程および遮断状態条件を個別パネル制御する過程は、太陽電池パネル切断または同等物等のために、含むことができる。オンおよびオフ状態は、同様に、太陽電池パネル切断状態設定制御（６９）を伴うことができる。これは、１つまたは複数の適切な時間で、太陽電池パネル（５６）が動作することを可能にする、太陽電池パネル切断動作状態設定制御と見なされてもよい。これらの時間は、ある方式で、正常動作に付随して起こるか、保守に付随して起こるか、または、システムの設置または変更に付随して起こってもよい。例えば、システムは、パネル、電源、または同等物の安全な取り扱いを促進するように、オフ等の個別パネル設置状態条件を確立する能力を有してもよい。
【００３７】
電力が利用可能ではなく、状態維持または保証が困難となり得る、夜間、輸送、または同等物等の時間があるため、個別の太陽電池パネル出力ＤＣ切断（６７）等の切断を単に切り替えると、課題を提示し得る。したがって、実施形態は、おそらく、電力または出力が生成されないときはいつでも存在する条件（例えば、オフ）のような、太陽電池パネル電力切断前状態条件を確立すること等によって、保証、または呼び戻し可能な状態条件を達成する必要があってもよい。電力切断前状態条件は、適切な電力低下、低電力、または夜間制御を介して、またはおそらく故障が発生した時等の自動制御を介して、または両方を介して確立される安全強化となり得る。システムは、太陽電池パネル切断電力供給前設定制御を含むことができ、いくつかの実施形態では、これは、システムが太陽電池パネル電力切断前状態条件を呼び戻すために処理することができるように、太陽電池パネル切断電力供給前状態呼び戻しと併せて動作するよう構成することができる。
【００３８】
同様に、実施形態は、太陽電池パネル電力増加切断状態条件を確立することができ、または、電力増加の場合に、最初に、または毎朝でさえも、所望の状態条件を達成する、太陽電池パネル電力増加切断制御があり得る。これは、局所的に、全体的に、または遠隔から達成することができ、太陽電池パネル電力増加切断設定制御、太陽電池パネル再電力供給切断設定回路（７０）、太陽電池パネル切断状態呼び戻し（７７）、および、太陽電池パネル再電力供給切断状態条件を確立する、または太陽電池パネル再電力供給切断状態条件を呼び戻すための太陽電池パネル再電力供給切断状態呼び戻し回路（７１）さえも有する、システムがあり得る。再び、前述の機能のそれぞれは、ハードウェア、ソフトウェア、または両方の組み合わせによっても、達成することができる。低電力状況を認識するか、または感知することさえできるシステムでは、そのような条件に適切に作用する能力があり得る。システムは、適切な切断状態の状況を達成または確認するために、異常に低い量の電力を使用することさえ可能となり得る。この電力のレベルは、危険がもたらされる前に、システムが、自らのスイッチをオフにするために、または以前の状態設定が存在することを確認するために、利用可能な限定量の電力を使用するようなものとなり得る。さらに、実施形態は、変換能力または要素より前に、いくらかの電力を受け入れるように構成される、そのような能力または要素を有することができるため、変換の損失または電力要求が、利用可能な能力を低減しない、または、そのような結果を達成することができるレベルを低減しない。構成は、電気的に光起電力ＤＣ−ＤＣ電力変換器（４）または同等物より前等に、変換前の太陽電池パネル電力を利用することができる。したがって、実施形態は、種々の構成における太陽電池パネル切断の低発電制御を提示することができ、おそらく、光起電力機能変更コントローラ（８）の一部として、または別個の要素として、低発電太陽電池パネル切断制御を有することができる。このことは、おそらく、日陰にある時、薄明時、または他の場合等の、間接日射しかない時に達成することができ、そのため、システムは、おそらく、その所望の結果のために間接日射電力を利用してもよい、間接日射発電太陽電池パネル切断制御を有することができる。
【００３９】
どのように構成されるかにかかわらず、切断制御は、リセット可能な太陽電池パネル切断状態設定制御と併せて、またはリセット可能な太陽電池パネル切断状態設定制御を操作するステップの一部として、機能することができる。それはまた、太陽電池パネル切断状態条件を呼び戻すことを可能にするように、またはリセット可能な太陽電池パネル切断状態設定制御として作用する、メモリまたは設定指標と併せて機能することもできる。このことは、おそらく、ディップスイッチ、ジャンパ、または同等物等によって、電子機器を介して、または機械的に発生することができ、そのため、システムは、個別パネルを機械的に確立するように作用することができる、機械的太陽電池パネル切断設置状態設定制御（６８）を有することができる。いくつかのそのようなシステムは、条件の存在を呼び戻すか、または制御するために、バッテリまたは継続エネルギー源を必要としないことの費用および／または動作実用性を考慮に入れることができ、したがって、システムは、システムへの電力の印加にかかわらず、ある種類の状態情報を維持する、非エネルギー貯蔵太陽電池パネル切断状態呼び戻しを有することができる。このことは、以前の状態、または既定状態（オフ等）のみを伴ってもよく、おそらく、ディップスイッチ、ジャンパ、または同等物等によって、電子機器を介して、または機械的に発生することができ、そのため、システムは、非バッテリ太陽電池パネル切断状態または非エネルギー貯蔵切断状態呼び戻しを有することができる。あらゆるそのようなシステムは、たとえ電力を失っても、おそらく長期間にさえわたって、条件を維持、達成、または確認することができるという点で、電力耐性となることができ、したがって、実施形態は、いくつかの実施形態について、太陽電池パネル切断状態条件を電力耐性的に確立してもよい、電力耐性太陽電池パネル切断制御（７６）を含んでもよい。
【００４０】
安全に取り扱い可能なシステムを提示する際に役立つことができる一側面は、既定のオフ条件等の、安全な既定条件を有するシステムを提供する側面となり得る。この側面は、（機械的であろうと、電子機器によってであろうと、またはソフトウェア制御によってであろうと）自動的に制御されるか、または選択された既定位置を達成する、選択された既定位置の太陽電池パネル切断を制御することによって、達成することができ、したがって、システムは、制御された選択既定位置の太陽電池パネル切断を含んでもよい。これは、開放既定位置の太陽電池パネル切断（７２）であってもよく、または、システムは、開放既定位置の太陽電池パネル切断制御を有してもよい。そのようなものは、個別または全体であってもよく、システムは、出力の危険を効果的に制御するために、または異なるパネルの種類または能力の接続に適応するように、ＤＣ光起電力出力（６）の全てまたは一部分のみに対する開放スイッチ状態に既定値を設定するように構成されてもよい。したがって、パネルのうちのいくつかまたは全ては、名目上開放した個別太陽電池パネル出力ＤＣ切断を有してもよく、または、いくつかまたは任意の数の異なる種類の状況時に、機械的であろうと、電子機器によってであろうと、またはソフトウェア制御によってであろうと、オフまたは切断状態を達成する切断である、名目上開放した個別太陽電池パネル出力ＤＣ切断を操作することを達成するように制御する、何らかの能力を有してもよい。電界効果トランジスタを有する要素を含むシステムについては、電界効果トランジスタの既定開放切断を制御する、１つ以上の個別パネルがあってもよく、かつ電界効果トランジスタの既定開放切断制御があってもよい。上述のように、先述の全ては、電力オフ既定開放太陽電池パネル切断制御または同等物を含むことを通して、電力オフまたは低電力状況で存在してもよい。
【００４１】
太陽電池パネル（５６）の製造または組立、あるいは太陽エネルギーシステム（５５）の設置または変更の状況時に、オフ状態等の安全条件の確立が役に立つことができ、したがって、個別パネルが製造状態条件または設置状態条件を制御するための能力があってもよい。パネルオフまたは他の状態を確立する、選択された既定位置の太陽電池パネル切断制御があり得て、そのため、太陽電池パネル切断設置状態設定制御（７３）、および太陽電池パネル切断製造状態設定制御（７４）さえあり得る。
【００４２】
既述のように、ある所望の結果のために電気パラメータを制限するように、要素を制御することができる。これは、構成要素を保護するため、操作者を保護するため、電気規格要件に準拠するため、動作を妨害することなくシステムから問題のある構成要素を除去するため、または他の理由によるものとなり得る。考慮することができる電気パラメータは、当然ながら、状況によって様々である。特定の限度に到達または接近すると、切断が使用されてもよく、そのため、個別太陽電池パネル出力ＤＣ切断は、同様の種々の切断を提示することができる。含むことができる切断の種類の数例は、いくつか例を挙げると、制限モード太陽電池パネル出力ＤＣ切断、少なくとも１つの光起電力条件の感知に対応する切断、個別太陽電池パネル最大電圧ＤＣ切断、最大電流切断、または実用的な最大電圧あるいは電流の個別太陽電池パネル切断、実用的な制限される最大電圧の切断を含むがそれらに限定されない、任意の個別切断または切断の組み合わせであってもよい。さらに、切断は、操作者または取扱者の安全を強化する等のために、光起電力格納容器（５７）に一体であってもよい。したがって、実施形態は、制限モードが完全に個別に切断する、または、制限される個別太陽電池パネルの最大電圧が、あるレベルで完全に個別に切断する能力を含んでもよい。これは、個々のパネルまたは他の電源において発生することができ、単に構成要素を除去するように、任意の切断機能を制御することができ、したがって、潜在的に問題のある構成要素の電気的隔離または他の方法を可能にすることができる。必然的に、切断は、種々の条件または場所に関して発生することができ、または制御することができる。一例にすぎないが、そのようなものは、電気的に、ＤＣ−ＤＣ変換する過程または光起電力ＤＣ−ＤＣ電力変換器（４）より前、またはそれと同時となることができ、システムは、変換前の太陽電池パネル切断（７５）または変換前の太陽電池パネル切断制御入力を有することができる。
【００４３】
上述のように、安全に動作可能な条件を確実に提供するステップは、本発明のある実施形態にとって重要となり得る。これは、動作性または非動作性の能力を提供するステップを含むことができる。概して、本発明の実施形態は、異なる動作モードの間で変更する能力を含むことができ、そのため、１つ以上の交換可能なＤＣ光起電安全出力条件の太陽エネルギー源が含まれてもよい。そのようなエネルギー源は、異なる安全出力条件の間で遷移する、または異なる安全出力条件を達成するように制御される能力を有してもよく、エネルギー源は、１つまたは複数の交換可能なＤＣ光起電安全出力条件を遷移させるために処理することができる。そのような条件は、概して、第１のＤＣ光起電安全出力条件および第２のＤＣ光起電安全出力条件を含むことができる。ある種の所望の出力が許容される、またはおそらくスイッチがオンになる、安全出力動作可能条件と、おそらく、出力が禁止される、またはおそらくスイッチがオフになる、安全出力遮断条件とがあってもよい。遷移は、光起電安全出力条件遷移コントローラによって制御されてもよく、独立したパネルが切替可能であるシステムでは、この光起電安全出力条件遷移コントローラは、異なるパネルまたは同等物を、異なる方法で、または少なくとも独立して取り扱うことができるように、パネルの独立光起電安全出力条件遷移コントローラであってもよい。おそらく変換器出力等の、特定のアイテムの条件または特定の場所における条件に焦点を合わせることによって、コントローラは、この実施例では、光起電変換器出力条件遷移コントローラ等の、１つ以上の種類のコントローラとして構成することができる。
【００４４】
電界効果トランジスタを有するデバイスを含む、本発明の構成では、所望の目標を達成するために、１つ以上の電界効果トランジスタを制御することが便利となり得る。条件間を遷移させることに関して、これを達成するための１つの方法は、１つ以上の電界効果トランジスタを制御する、光起電安全出力電界効果トランジスタスイッチコントローラを介したものである。これは、個別パネルまたは他のレベルで、および変換器または他の構成要素レベルで発生することができ、後者は、個別パネル光起電力ＤＣ−ＤＣ変換器電界効果トランジスタスイッチコントローラを介したもの等である。出力を動作不可能にする方法で、変換器電界効果トランジスタを切り替えさせる構成要素については、コントローラは、動作不能光起電力ＤＣ−ＤＣ変換器電界効果トランジスタスイッチコントローラと見なされてもよい。同様にインバータを制御することができるため、光起電インバータ出力条件遷移コントローラもあり得る。
【００４５】
安全に関する論議、および潜在的な構成要素の問題の論議からも理解され得るように、１つ以上のセンサ（８１）を含むことができる。センサ（８１）は、種々の場所または条件に概念的に反応するか、または、種々の場所または条件で物理的に位置してもよく、概して、そのようなものは、電気的に反対の太陽光電力条件のセンサと見なされる。これらは、予期または所望される条件とは電気的に反対となる場合がある、あらゆる電気的条件を検出してもよく、結果として、変換器機能制御回路または光起電力機能変更コントローラ（８）等の制御が、（たとえ部分的にすぎなくても）決定の基礎にすることができる、情報を提供してもよい。この決定は、感知事象に応じて、アイテムまたはアイテム群を電気的に切断することとなり得て、性能値を遠隔で比較する過程に基づいて行われてもよい。比較は、列内またはその外で行うことができ、そのため、列間の性能値を比較する能力、列内の性能値または列間値を比較する能力のいずれか一方または両方があり得る。
【００４６】
列切断配設または決定において、おそらく、個別列パネル電源切断制御によって、個別パネル列電源切断がもたらされてもよい。構成要素または構成要素群は、システムから電気的に隔離することさえでき、システムは、おそらく、ある低減した出力の構成であっても、動作を継続することができる。したがって、個別パネル列隔離が少なくとも１つの太陽電池パネルまたは他の切断を制御する過程、または個別列パネル隔離制御（７８）を含むことができる。より一般的には、過程は、任意の構成要素を個別に切断するステップを含むことができる。変換器については、あるトランジスタ切断制御による、動作不能ＤＣ−ＤＣ変換器トランジスタ切替があり得る。これを達成するための１つの方法にすぎないが、変換器の動作に焦点を合わせると、この動作不能は、ＤＣ変換の機能の一部として達成することができる。動作を確実にするために、構成要素の故障が存在し得るため、この変換器の実施例では、これは、動作を確実に停止するように、ＤＣ−ＤＣ変換器全トランジスタ切替によって達成することができる。したがって、光起電力ＤＣ−ＤＣ電力変換器動作コントローラ（８０）、または光起電力ＤＣ−ＤＣ電力変換器出力コントローラ、または光起電力ＤＣ−ＤＣ電力変換器スイッチコントローラは、所望の効果を引き起こすように作用することができる。それはまた、並列変換器スイッチ（７９）または直列変換器スイッチ（９１）のみを操作するように達成することもでき、そのため、並列変換器スイッチ切断制御、直列変換器スイッチ切断制御、または両方、あるいは同等物があり得る。切断する作用、およびＤＣ切断（６７）等の切断要素が、単にアイテムのスイッチをオフにすることを超えた、多くの異なる機能を有することができるように、電源を切断する側面は、広義で理解されるべきである。一例に過ぎないが、直列の列において、残りの列に対する電流路を提供するために、バイパスダイオードを使用することができる。そのようなダイオードは、アイテムＴ２４として図８Ｂに示されるようなものとなり得る。この種類のダイオードは、別々に供給することができ、または、電界効果トランジスタスイッチの寄生要素であってもよい。短絡回路切断機能も、適切な状況で使用することができる。このいずれかは、少なくとも１つの個別太陽電池パネル変換器、インバータ、または他の構成要素を動作不能にする等のために、個別パネルレベルで発生することができ、そのため、過程は、個別パネルＤＣ−ＡＣ転換の過程または同等物を独立して電気的に中断するステップ等の項目を含むことができる。
【００４７】
そのような作用は、種々の要因またはパラメータに基づくことができ、そのため、センサ（８１）は、物理的に存在しようと、または概念的にしか存在しなくても、太陽エネルギーシステム（５５）内のどこかで高電流条件の感知、高電圧条件の感知、光起電力ＤＣ−ＤＣ電力変換器電圧入力の感知、光起電力ＤＣ−ＤＣ電力変換器電圧出力の感知、およびより一般的には、単純に、電気的に反対の太陽光電力条件の感知を達成する。この条件は、太陽エネルギーシステム（５５）内のある点において、列レベルまたは他のレベルで存在することができ、そのため、内部列または外部列条件への反応があり得て、システムは、例えば、外部列反応型電力条件または同等物に反応するための、外部列反応型電力機能コントローラを含むことができる。
【００４８】
個別パネル太陽光電力条件のセンサと、電気的に反対の太陽光電力条件の個別パネル感知とがあってもよい。また、故障または接地さえも検出するように作用するセンサがあってもよく、そのため、１つ以上の接地太陽光電力条件のセンサがあり得る。接地の結果であろうと、または他の結果であろうと、アーク遮断制御があり得て、より一般的には、高電流太陽光電力条件のセンサまたは低電圧太陽光電力条件のセンサがあってもよい。どうにかしてこの種類の入力を利用することができるコントローラは、パネル故障反応型電力機能コントローラと見なすことさえでき、過程は、接地太陽光電力条件を感知するステップと、おそらく太陽電池パネル接地条件に反応するステップとを含むことができる。アークがあり得る状況では、反応が非常に速くなり得て、そのため、アークが形成または進展している間にアークを遮断する能力があり得て、そのため、中間アークを行い、太陽エネルギーシステム（５５）内で、その潜在的または実アーク条件を遮断する能力があり得る。
【００４９】
システムはまた、列中の１つのパネルが十分な出力を提供できない時等に、逆バイアスの状況に反応することもでき、そのため、切断状態保護回路は、たとえダイオードによってある程度保護されたとしても、潜在的な流出の逆バイアス切断があり得るように、逆バイアス切断状態保護スイッチまたは回路を含むことができる。
【００５０】
上述のように、安全のため、冗長性または確実な制御さえも有益となり得て、したがって、任意の安全出力は、パスワードを必要とする、暗号化される、あるいは、意図的ではない活動または悪意のある活動を回避する場合があるような、冗長光起電安全出力条件遷移制御または確実な光起電安全出力条件遷移コントローラさえも含むことができる。これらは、独立した個別太陽電池パネル出力ＤＣ切断のために存在してもよい。最終的に、特定の構成要素の停止等の予期しない活動が発生した場合には、事象の指標があってもよい。これは、局所または遠隔報告を含むことができる。この報告は、１つ以上の動作指標を報告するステップを含むことができる。したがって、システムは、遠隔場所に報告する遠隔安全出力条件レポータ要素、おそらく、（安全または他の）インターネットさえも含んでもよいため、是正措置または他の適切な措置を取ることができ、次いで、適切であれば、または適切な時に出力を再確立することができ、次いで、システムは、任意の好適な条件において所望の量である、実質的に完全な太陽エネルギー源光起電力出力を引き起こすことができる。その特定の１つまたは複数のエネルギー源の接続を再確立するステップは、許容条件に依存することができ、そのため、条件依存的な太陽エネルギー源接続制御があり得る。
【００５１】
本発明の別の側面は、変換器の出力におけるインバータ要因を考慮する可能性である。本発明者らの他の太陽光電力の特許開示でより詳細に論議されているが、いくつかのインバータは、インバータがその転換を最も効率的に達成する、電圧入力のレベルを有することができることが知られている。これはしばしば、インバータ入力最良点と呼ばれ、しばしば、特定のインバータに対する特定の電圧レベルと関連付けられる。光起電インバータ源の制御動作を提供する能力さえ伴って、本発明の側面を含むことができる。このことは、インバータ入力（２９）として、設定点、またはおそらく、実質的に一定の電圧出力を提供するステップを含むことができる。この能力によって、別々に維持された動作のＭＰＰレベルから独立して、およびそれとは関係なく、インバータ入力が維持されてもよい。参照された開示で記述されるように、光起電力ＤＣ−ＤＣ電力変換器（４）および／または光起電力ＤＣ−ＡＣインバータ（５）のいずれか一方または両方の負荷サイクル切替を通して、電圧レベルを達成することができる。この負荷サイクル制御は、本発明の側面を促進するために使用することもできる。
【００５２】
有意に重要なことは、高レベルの効率を有するシステムとともに、本発明の側面を使用することである。参照された特許開示に記述されるように、独自の接続形態でトランジスタスイッチの動作を切り替えることによって、効率の獲得を達成することができる。電気エネルギーよりもむしろ熱に電力の形態を実質的に変化させないシステムが、約９９．２％効率ほどの高さの効率を有することができる。参照された開示が論議するように、動作は、９７、９７．５、９８、９８．５から最大９９．２％効率のレベル、または本質的にワイヤ伝送損失効率（可能な最高と見なすことができる）のレベルとなり得る。本発明の側面とともに、ＭＰＰにおいてパネルを同時に操作しながら、最も効率的な最良点でインバータを操作する複合能力を提供することができる。
【００５３】
有意な動作および管理の利点を提供することができる、本発明の実施形態の一側面は、機能的変更を遠隔でもたらすか、または電力機能変更または遷移を遠隔でもたらす能力となり得る。これは、遠隔電力機能変更コントローラを含むことを介して達成することができる。これは、有線となり得るか、または、図１および２に示されるように、無線デバイスとして構成される遠隔電力機能変更コントローラにさえなり得る。任意のそのようなデバイスは、太陽電池パネル切断の動作を含むがそれに限定されない、機能的変更をもたらすことができ、それは、図１の無線伝送個別太陽電池パネル切断制御（８５）として、および図２の遠隔個別太陽電池パネル切断制御（８２）として（これらはそれぞれ、遠隔電力機能変更コントローラの一種であり得る）概念的に論議される、この最後の種類の動作におけるものである。どのように構成されるかにかかわらず、実施形態は、個別であろうと、全体的であろうと、グループであろうと、１つ以上の電源、パネル、列において電力制御変更（切断または他の変更）を遠隔で引き起こすことができる、能力またはデバイスを概して含むことができる。
【００５４】
遠隔制御能力は、固定型またはプログラム可能となり得る。それは、おそらくメニュー選択等による、限定された所定の方法で、または完全に柔軟な方法で、製造業者、設置業者、ユーザ、または保守要員によって改変することができる。それはまた、個別レベルまたはグループ化レベルで、プログラム可能にもなり得る。したがって、実施形態は、ある種類の電気的動作をプログラム可能に制御することができる、プログラム可能な電力機能コントローラ（８６）を含むことができる。例えば、個別パネルレベルまたは他のレベルで作用するように、個別太陽電池パネルプログラム可能な電力機能コントローラを提供することができる。ユーザに対しては、ユーザプログラム可能な電力機能コントローラを提供することができ、保守要員に対しては、保守プログラム可能な電力機能コントローラを提供することができる。（同じ数だけの）増大電力能力システムを提供する等のために、異なる型式、モデル、または種類の構成要素が繋ぎ合わせられる場合に、実施形態は、前述の切断制御によるだけでなく、特定のモデル、あるいは、設置された構成要素、またはおそらく設置された構成要素の組み合わせのシリアル番号に適切である、プログラミングを設定することができる、おそらく太陽電池パネルモデルプログラム可能な電力機能コントローラ等の、プログラム可能な太陽エネルギー源接続制御を提供することによっても、そのような変更に適応することができる。したがって、実施形態は、異種構成要素統合型システム、および異種構成要素統合型太陽光電力を生成する方法さえも提供することができる。したがって、コントローラは、おそらく太陽電池パネルモデル入力能力を伴う、太陽電池パネルモデル特性電力機能コントローラと見なすことができる。
【００５５】
実施形態は、個別、グループ化、制限された列、または全体的な方式で、１つ以上の太陽電池パネルの動作を遠隔で制御することができる、遠隔でプログラム可能な機能を有することができる。例えば、直列に接続された太陽電池パネル（１１）の列等の、列レベルで焦点を合わせると、物理的に遠い活動は、多重パネル機能的変更を遠隔で指示するステップを引き起こすことができる。これは、当然ながら、太陽電池パネル列の電流機能を遠隔で制御するステップ、太陽電池パネル列の電圧機能を遠隔で制御するステップ、光起電力ＤＣ−ＤＣ電力変換器の動作を遠隔で制御するステップ、１つの条件から別の条件等に電気的に遷移させる側面を遠隔で制御するステップ、１つ以上のＤＣ−ＤＣ電力変換器を切り替えるステップを遠隔で制御するステップ、太陽電池パネルインバータの入力電流機能を遠隔で制御するステップ、太陽電池パネルインバータの入力電力機能を遠隔で制御するステップ、太陽電池パネルインバータの入力電圧機能を遠隔で制御するステップ、１つ以上の電界効果トランジスタの切替を遠隔で制御するステップ、または所望の効果を達成するように切替タイミングを遠隔で制御するステップさえにも及ぶがそれらに限定されない、種々の変更となり得る。前述の切断の遠隔制御も達成することができ、これらは、個別またはグループレベルで発生するか、または制御することができ、したがって、システムは、多数の太陽電池パネル切断の個別動作を遠隔で制御するステップ、または１つ以上の太陽電池パネルのＤＣ出力を単に遠隔で切断するステップを達成することができる。既述のように、これは、変換器またはインバータレベルで達成することができ、したがって、システムは、変換器スイッチの動作不能を遠隔でもたらし、太陽電池パネル電圧機能を遠隔で制御するように作用する構成を含むが、それらに限定されない、種々の構成を有することができる。当然ながら、遠隔制御機能に付随して、前述の報告を含むことができ、おそらく、独立した電気的ＤＣ切断事象を遠隔で報告するステップ等の、そのステップが行われた後に作用または発生を遠隔で報告する能力があり得る。
【００５６】
既述のように、太陽電池パネルまたは電力機能を遠隔で制御する特徴は、有線または無線となり得る。太陽電池パネル切断の動作を無線制御する時に、無線伝送個別太陽電池パネル切断制御（８５）は、離れて位置することができる。それは、当然ながらインターネット接続されてもよいため、世界のどこにでもあり得る。しかしながら、それどころか、パネルフィールド全体、パネル群、または同等物を監視する集中設備に、そのような制御を位置させることが有利である。そのような能力は、集中多重パネル遠隔電力機能変更コントローラを介したもの、または機能的変更を中央で指示することによるものとなり得る。これはまた、フィールド全体の少なくともいくつかの機能の操作を取り扱う場所である、管理場所にもなり得て、したがって、実施形態は、管理パネル群設備制御（８３）を含むことができる。種々の構成を使用することができ、これらは、通信のメッシュシステム、Ｚｉｇｂｅｅ型の配設、またはより一般的には、単に多重パネル遠隔電力機能変更コントローラを含むことができる。
【００５７】
上述のように、２つの要因がそのようなシステムに存在し得る。第１に、切断状態が安全性の問題を提示し得るため、冗長または他の確認制御プロトコルを利用することができる。第２に、無線通信を含む時に、不慮の作用または悪意のある作用さえも回避する、確実な通信能力の所望があり得る。この確実な側面は、外部からの干渉を回避して、遷移または他の動作を安全に命令する過程を達成するように、パスワード、暗号化、または他の側面を伴うことができる。確認能力は、制御メッセージが送信されたという事実は別として、位置情報を提供する、ある種類の制御から独立した出力ＤＣ切断位置情報要素を提供することによるものとなり得る。これは、太陽電池パネル切断の位置を独立して確認して、所望の作用が実際に達成されたことを確保するように作用することができる。確認は、太陽電池パネル切断の位置を独立して認証することによって生じることができる。したがって、システムは、含むことができる多くのフェールセーフデバイスまたは過程の２つの例にすぎないが、無線伝送フェールセーフ太陽電池パネル切断制御または遠隔個別フェールセーフ太陽電池パネル切断制御として制御される、無線伝送個別太陽電池パネル切断制御（８５）または遠隔個別太陽電池パネル切断制御（８２）を有することができる。
【００５８】
上述のように、いくつかの実施形態では、冗長制御もあり得る。そのような制御は、冗長光起電安全出力条件遷移制御、または冗長切断制御となり得て、この状況に限定されないが、この観点から、そのような必要性が理解しやすい。切断に関して、中央制御能力は別として、システムを停止させる能力を有することが望ましくてもよい。例えば、保守要員は、あらゆる制御が所望によって示された制御にとらわれるように、パネルを確実に切断する必要があってもよい。これは、全体的な、指定された、限定距離の、または他のコマンド能力を通して、関心の直接パネルを制御することができる、配線で接続された、機械的な、または別個の携帯型遠隔制御ユニットであってもよい、２次コントローラによって生じてもよい。したがって、太陽エネルギーシステム（５５）の実施形態は、独立した２次太陽電池パネル切断制御を含んでもよく、そのような２次太陽電池パネル切断制御を操作することによって、保守要員は、遷移を冗長的に命令すると見なされてもよい。制御が全体的に達成される場合（例えば、パネルフィールド全体、またはそのある大部分に対して）、作用は、電界効果トランジスタの制御または同等物によるものとなり得る。したがって、おそらく列または群全体等の、異なる変換器の集合を制御する、おそらく変換器全体的ゲート制御等の、全体的ゲート制御（８４）があり得る。これは、単に、多重パネル機能的変更を指示する一種の方法と見なすことができ、または、光起電力ＤＣ−ＤＣ変換器（４）等の多数の太陽電池パネル変換器を全体的にゲート制御する方法であってもよい。当然ながら、無線伝送制御は、無線伝送個別太陽電池パネル切断制御（８５）について示されるように、全体的または個別となり得る。
【００５９】
構成要素制限保護を提供する側面を前述した。電圧制限出力制御、電圧制限された構成要素、安全域の最大電圧の個別太陽電池パネル最大電圧を確立するステップ、制限される安全域の最大電圧の切断能力または過程を確立するステップ、パネルまたは同等物を完全に個別に切断する、制限される電圧、電流制限出力制御、電力制限出力制御、制限される電界効果トランジスタ破壊の制御、および制限される電界効果トランジスタ破壊の完全個別切断能力を含むがそれらに限定されない、種々のパラメータに基づく制限の制御があり得る。デバイスまたは構成要素制限とは別に、地域電気規格または同等物等の、規格準拠能力を提供する能力もあり得る。これはまた、いくつかの規格要件が冗長または２次制御保証を指定するため、フェールセーフまたは冗長制御能力が有用となり得る場合にもなり得る。どのように構成されるかにかかわらず、一般に、実施形態は、規格準拠出力コントローラ（４１）を含むことができる。規格準拠出力コントローラ（４１）は、規格準拠の電流制限出力制御、規格準拠の電流制限出力制御、規格準拠の電気パラメータ変化率制限出力制御、規格準拠の電気パラメータ変化率制限出力制御、規格準拠の電力制限出力制御、規格準拠の電力制限出力制御、規格準拠の時限電気パラメータ制限出力制御、規格準拠の時限電気パラメータ制限出力制御、電圧制限出力制御、電圧制限出力制御、変換されたＤＣ出力を準拠して制限する規格、電気規格の最大電圧の個別太陽電池パネル最大電圧、制限される電気規格の最大電圧切断能力、電気規格プログラム可能な電力機能コントローラ、個別太陽電池パネル規格準拠出力コントローラ、個別太陽電池パネル規格準拠して制限されたシステム、出力制限制御、変換されたＤＣ出力を制限する出力、または電気規格プログラム可能な電力機能コントローラを提供する過程を含むがそれらに限定されない、種々のレベルでの制御をもたらすことができる。
【００６０】
図６に図示されるように、最大電力点能力、ならびに遠隔またはプログラム可能な制限の制御可能制限があってもよい。この制限は、示されるように、最大電圧または最大電流であってもよい。さらに、任意のパラメータは、別のパラメータの関数となり得て、例えば、最大電圧は、電流の関数となり得、最大電流は、電圧の関数となり得る。本発明者らの参照された特許開示に含まれる図６がさらに説明するように、ＤＣ−ＤＣ変換器は、温度効果も同様に含んでもよい。
【００６１】
いくつかのシステムにとって重要となり得る１つの側面は、完全日射条件中にシステムが停止された時、または実質的に完全な太陽エネルギー源光起電力入力が利用可能である時等に、急速で大きな電気的遷移が発生しないように、列またはフィールドをソフト起動する能力である。これは、システムに対する、または光起電力結合回路（５９）に対する、少なくとも１つの電気パラメータを徐々に増加させてもよい、電気パラメータ漸増太陽エネルギー源接続制御を提供することによって、達成することができる。これは、例えば、電気的連続太陽電池パネル接続制御、またはより一般的には、電気的連続太陽エネルギー源接続制御（３５）によって、達成することができる。起動方法としての連続動作は、任意の方式によるものとなり得る。これは、順序付けられた方式、ランダムな方式、または、固有の製造誤差が一つの動作状態から別の動作状態への十分に穏やかな電気的遷移を許容するのに十分であると決定された場合には、固有の製造誤差に依存さえしてもよい。順序付けられた接続型のシステムでは、順序付けられた連続太陽エネルギー源接続制御があってもよい。順序付けられていようとなかろうと、実施形態は、多数のアイテムを１つずつ電気的に接続するステップを達成してもよく、または、１パネルずつの太陽エネルギー源接続制御さえも有してもよい。連続動作は、列に基づくことができ、個々の列が連続して接続または起動されるエネルギー源として扱われるように、列間連続太陽エネルギー源接続制御、またはおそらく、列内連続太陽エネルギー源接続制御さえもあり得る。
【００６２】
任意の連続制御が、存在するならば、無線伝送制御または遠隔機能変更コントローラによって制御されてもよく、そのため、多数の太陽光源またはパネルの動作を連続して制御してもよい、そのようなアイテムを連続して電気的に接続してもよいか、または、ある連続方式で作用してもよい、無線伝送連続太陽電池パネル接続制御または遠隔連続太陽電池パネル接続制御があってもよい。おそらく、いくつかのパネルまたは構成要素が機能していない時等に、起動順序を改変する能力さえもあり得て、そのため、システムは、変更可能な電気的連続太陽エネルギー源接続制御を含むことができる。
【００６３】
条件の突然の変化に対処するように構成要素を保護する等のために、種々のソフト起動または他の連続能力を採用することができる。ソフト遷移光起電力変換制御回路（３５）、または光起電性電気パラメータを穏やかに遷移させるステップ、またはより具体的には、変換された光起電力レベル電気パラメータを穏やかに遷移させるステップさえも含むことができる。別の動作モードは、値をある他の側面に比例させるものであってもよい。例えば、ソフト起動能力または同等物を提供する等のために、電圧を電流に比例させる利点があり得る。傾斜型光起電性電流の電力変換制御回路、傾斜型光起電性電圧の電力変換制御回路、または、光起電性電流レベルを傾斜させるステップ（線形または任意の他の形状を有してもよい）、光起電性電圧レベルを傾斜させるステップ、または同等物があり得る。変換器またはインバータレベルで、そのような結果を達成するために、負荷サイクル動作および切替を使用することができる。
【００６４】
電源またはパネルを切断し、したがって絶縁する能力に付随して起こるか否かにかかわらず、本発明の実施形態は、個々の電源またはパネルの出力または他の機能を比較すること等による、高性能パターン分析の能力を含むことができる。システムは、多数の電源またはパネルのそれぞれに対する１つ以上の電気パラメータを捕捉して、パネル、システム、パネル群、または設備の性能さえも評価することができる。分析は、全体的に、つまりパネル群全体に対して、時間的に、つまり日射またはパネルの老化変化等の時間効果に関して、履歴的に、つまり経時的に発生する変化に関して、比較的に、演繹的に、近似または推定関数により、または他の方法によって、生じることができる。いくつかの例にすぎないが、全体的システムは、おそらく日射利用指標を決定する等、日射条件を決定してもよく、パターン分析の時間的システムは、日常条件、季節条件、年間条件、または任意の時間的条件（時間的日陰条件または同等物を含むが、それに限定されない）を決定してもよい。システムは、パターン分析器（８７）を含むことができる。パターン分析器（８７）は、ハードウェア、またはよりありうるのは、データのパターン認識分析を行うソフトウェアであってもよく、パネルが時折日陰になり、したがって、最適な機能または同等物のために移動されるべきである場合等に、少なくとも１つの場所的指標を決定するために使用されてもよい。それはまた、起こり得る日射の予想（それ自体がパターン分析の結果であってもよい）と比較した百分率効率、新規システムと比較した動作変化効率、または同等物等の、１つ以上の動作指標を決定してもよい。変化は、多重パネル比較を行うことによって、または履歴変動評価を行うことによって、推測または計算することができる。比較は、多数の太陽電池パネルからの性能値に対して行うことができる。推測および決定は、いくつか例を挙げると、指向、日陰条件、平均偏差または変動、および配向指標に対しても行うことができる。パターン型の分析からであろうと、単に個別値からであろうと、システムは、作用または同等物を推奨または評価するために、準最適評価、設置評価、および保守評価を行うことができる。おそらく多数の太陽電池パネルの中でも、高産生パネルを識別することができ、効率指標を決定することができる。
【００６５】
パネル毎の個別ＭＰＰまたは同等物を有する太陽エネルギーシステム（５５）の実施形態は、電力出力をシミュレートする能力を含むことができる。これは、例えば、異種である構成要素が使用されるときに、特に重要となり得る。ＭＰＰ能力有するインバータが、同様にそのような能力を達成する変換器と組み合わされる構成を考慮すると、そのようなものは、安定して作動しない場合があると理解することができ、そのため、おそらくＭＰＰ等の電力出力条件をシミュレートするステップが所望される場合がある。そのような光起電力シミュレータは、個々のパネルまたは列に対するものとなり得るため、個別太陽電池パネル列電力出力をシミュレートすることができる、個別太陽電池パネル列光起電力シミュレータ（９０）があり得る。同様に、個別太陽電池パネル電力出力をシミュレートするために、個別太陽電池パネル光起電力シミュレータを含むことができる。また、個別パネル専用の光起電力シミュレータもあり得る。そのようなアイテムは、最大電力点条件をシミュレートしてもよく、したがって、最大光起電力点シミュレータと見なされてもよい。システムはまた、合成最大あるいは他の電圧または電流または電力条件をシミュレートするステップを含んでもよい。また、ある種類のＤＣ−ＡＣ光起電インバータパラメータをシミュレートする、光起電インバータ電力シミュレータがあってもよい。
【００６６】
同様にそのような能力を達成する変換器と組み合わさられた、ＭＰＰ能力を有するインバータがある場合等の構成においては、変換器、またはより具体的には、そのＭＰＰ能力が、システムから効果的に取り出されるように、変換器スイッチを制御してバイパス動作を達成することが可能となり得る。したがって、実施形態は、光起電力ＤＣ−ＤＣ電力変換器（４）または任意の他の構成要素の正常動作を自動的に迂回することができる。個別太陽電池パネルＤＣ−ＤＣ電力変換器バイパス制御、または光起電力ＤＣ−ＤＣ電力変換器バイパスコントローラがあり得る。これらのうちのいずれかは、プログラム可能であるか、または、正常動作のバイパスを遠隔で制御する遠隔光起電力ＤＣ−ＤＣ電力変換器バイパス制御等によって、遠隔で制御されてもよい。
【００６７】
正常動作を迂回する側面に対する、前述の必要性または正当性は、センサによって検出することができる。したがって、バイパス機能は、自動的となり得て、自動光起電力ＤＣ−ＤＣ電力変換器バイパスコントローラがあり得る。感知は、光起電力ＤＣ−ＤＣ電力変換器電圧入力、出力、または他のものの周期的感知となり得る。そのような入力または出力センサは、概して、光起電力シミュレーション条件のセンサ（９０）の例と見なすことができる。この光起電力シミュレーション条件のセンサ（９０）は、電力出力をシミュレートするステップを制御してもよく、光起電力変換回路は、センサに対応してもよい。これは、意思決定を知らせる一時的条件さえも感知することができ、そのため、何かを一時的に感知する、一時的光起電力シミュレーション条件のセンサがあり得る。
【００６８】
センサは、バイパスまたは他の作用が適切であると自動的に決定する種々の方法を使用することができる。一例は、変換器に入る電圧と変換器から出る電圧との比較によるものとなり得る。本発明者らの以前の特許開示において説明されるような、ならびに図７および８で示されるような、光起電力ＤＣ−ＤＣ変換器（４）については、入電圧が出電圧に等しい場合、有意ではない変換が発生しており、したがって、単純なバイパスが適切であってもよい。したがって、システムは、Ｖｉｎ−Ｖｏｕｔ比較器（８８）を含むことができ、２つの値がほぼ等しいときに、バイパスを示すことができる。これは、スイッチのタイミングまたは動作から推測することさえできる。システムまたは実施形態は、自動光起電力ＤＣ−ＤＣ電力変換器電圧入力と光起電力ＤＣ−ＤＣ電力変換器電圧出力との比較器を含むことができ、これに応じて、作用が生じることができる。これは、周期的となり得る。また、周期的あるいは他の光起電力ＤＣ−ＤＣ電力変換器電圧入力または出力のセンサもあり得る。示されると、列の全体または一部のバイパスが生じることができ、したがって、システムは、部分列光起電力シミュレータを含むことができる。
【００６９】
上述のように、ＰＣおよび光起電力ＤＣ−ＤＣ電力変換器（４）は、個々のパネルを取り扱ってもよい。それらは、パネルに取り付けられるか、フレームに取り付けられるか、または別個であってもよい。実施形態は、最終的な設置のために１つの付属ユニットとして提供されるという意味で、そのようなパネルと物理的に一体である変換器を有してもよい。これは、日射、条件、または他のものの変動に適応するように、別個の太陽光源および隣接する太陽光源にも対して、独立した動作条件があるとき等に、望ましくなり得る。各パネルまたは同等物は、独自のＭＰＰを達成してもよく、列または同等物における他の全てと保護を協調させてもよい。
【００７０】
外部出力および内部出力に対処する側面は、どの種類のパネルまたは他の構成要素にシステムが繋がれているのかを知る方法がないときに、規格または他の要件を満たすのに役立つことができる。内部信号（おそらく、屋上のパネルの集合から地下室のインバータグリッド接続へ電力を伝送する信号等）が、指定レベルの電圧や電流を超えることが許可されていないか、あるいは、既存の配線または回路遮断器または同等物に対する制限に達する必要がある状況では、実施形態は、おそらく規格準拠出力コントローラ（４１）として、規格準拠の動的反応型光起電力制御回路としての動的反応型制御を提供することができる。それはまた、規格に準拠して内部出力を動的に反応して制御するステップも提供することができる。これは、光起電力ＤＣ−ＤＣ変換器（４）、光起電力ＤＣ−ＡＣインバータ（５）、または他のものの動作を介して生じることができる。当然ながら、この規格準拠特徴は、ＭＰＰ活動、最良点活動、境界条件活動、または同等物等の他の特徴よりも優勢となるように従属させることができる。このように、実施形態は、従属した規格準拠の動的反応型光起電力制御回路を提供することができるか、または、おそらく光起電力ＤＣ−ＤＣ変換器（４）の動作を介して、または他の方法で、従属的に規格に準拠して内部出力を動的に反応して制御するステップを提供することができる。規格準拠を越えて、動的反応型制御の一般的特徴が、どのように作用して既存または異種の電源への接続も許容することができるかを容易に理解することができる。したがって、プログラミングによるものであろうと、回路によるものあろうと、または他の構成によるものであろうと、実施形態は、おそらく光起電力ＤＣ−ＤＣ変換器（４）の動作を介して、反応型電力制御回路を提供することができる。当然ながら、これは全て、適切な状況においてインバータ入力を最適レベルに維持しながら達成することができ、したがって、実施形態は、反応型インバータ入力最適化光起電力制御回路を含むことができる。
【００７１】
本発明がより容認されるにつれて、より従来的な技術または動作条件との比較を許容することが有利であってもよい。これは、単純なスイッチ操作によって達成することができ、それにより、比較を許容するために、従来の動作モードを複製するか、またはおそらく十分に模倣することができる。したがって、太陽光集束のために、システムは、第１と第２の動作モードと、おそらく、本発明の実施形態の改良型モードと従来のあまり効率的ではないモードとを比較することができる、太陽光電力変換比較器を含んでもよい。この比較器は、それぞれのある太陽エネルギーパラメータを示すステップを伴ってもよい。この点で、短絡スイッチ操作無効化要素が役立ってもよい。このことから、おそらく、太陽光電力出力、太陽光電力効率差、太陽光電力費用差、太陽光電力日射利用比較、および同等物である、種々の差異を示すことができる。ソフトウェアまたはハードウェアを介してであろうと、または他の方法であろうと、実施形態は、第１の電力能力および第２の電力能力で機能する能力を含むことができる。従来の電力変換能力および改良型電力変換能力、または従来の電力転換能力および改良型電力転換能力等の、従来の能力および改良型能力があってもよい。インバータ制御回路（３８）または光起電力機能変更コントローラ（８）、あるいは他のものは、これらの第１および第２の能力のいずれか一方または両方を達成するように構成することができる。一例として、インバータは、本発明の特徴がなければ存在していなかったであろう入力電圧を達成するように作用することができ、したがって、実施形態は、最大効率外インバータ入力電圧制御を提供することができる。改良型実施形態がインバータ最良点動作能力を達成する場合には、実施形態は、ＤＣ光起起電力入力を従来的に電力転換するステップと、ＤＣ光起起電力入力を最良点入力で転換するステップとを比較するように作用してもよい。これらのうちのいずれかは、ユーザに任意の種類の出力を提供して、他のシステムとの比較に対してユーザに知らせることができる。
【００７２】
前述の内容から容易に理解することができるように、本発明の基本概念は、種々の方法で具現化されてもよい。それは、適切な発電を達成するために、太陽光発電技法ならびにデバイスの両方を伴う。本出願では、発電技法は、説明される種々の回路およびデバイスによって達成されることが示された結果の一部として、および利用に固有であるステップとして開示されている。それらは、単純に、意図および説明されるようなデバイスおよび回路を利用することの自然な結果である。加えて、いくつかの回路が開示されているが、これらは、ある方法を達成するだけでなく、多数の方法で変動させることができることを理解されたい。重要なことには、先述の内容の全てに関して、これらの面の全ては、本開示によって包含されると理解されるべきである。
【００７３】
本出願に含まれる論議は、基本的説明としての機能を果たすことを目的とする。読者は、具体的な論議が全ての可能な実施形態を明示的に説明しない場合があり、多くの代替案が潜在することを認識すべきである。それはまた、本発明の包括的性質を完全には説明しない場合もあり、各特徴または要素が実際に、広範な機能、または多種多様な代替案あるいは同等要素をどのように表すことができるかを明示的に示さない場合がある。再度、これらは本開示に暗示的に含まれる。本発明がデバイス指向の用語で説明される場合には、デバイスの各要素が暗示的に機能を果たす。装置の請求項が、説明されるデバイスおよび回路について含まれてもよいだけでなく、方法または過程の請求項も、本発明および各要素が果たす機能に対処するように含まれてもよい。説明と用語のいずれも、あらゆる後続特許出願に含まれる請求項の範囲を限定することを目的としない。
【００７４】
また、本発明の本質から逸脱することなく、種々の変更が行われてもよいことを理解されたい。そのような変更も、説明に暗示的に含まれる。それらは、依然として本発明の範囲内に入る。示された明示的な実施形態、多種多様な潜在的代替実施形態、および広範な方法または過程ならびに同等物のいずれも包含する、広範な開示は、本開示によって包含され、あらゆる後続特許出願の請求項を起草する時に頼られてもよい。そのような用語変更、および、より広範またはより詳細な請求が、後日に達成されてもよいことを理解されたい。これを理解の上で、本開示が、出願者の権利の範囲内と見なされるほどの広さの請求項の根拠の審査を求めてもよく、かつ、独立して、およびシステム全体として、本発明の多数の側面を網羅する特許をもたらすように設計されてもよい、あらゆる以降に出願された特許出願を支持すると理解されるものであると、読者は認識すべきである。
【００７５】
さらに、本発明および請求項の種々の要素のそれぞれはまた、種々の方式で達成されてもよい。加えて、使用または暗示される時に、要素は、物理的に接続されてもされなくてもよい、個々ならびに複数の構造を包含するとして理解されるものである。本開示は、任意の装置の実施形態の変化例であれ、方法または過程の実施形態の変化例であれ、または単に、これらの任意の要素の変化例であれ、そのような各変化例を包含すると理解されるべきである。具体的には、本開示が本発明の要素に関するため、各要素に対する言葉は、たとえ機能または結果のみが同じでも、同等の装置の用語または方法の用語によって表現されてもよいことを理解されたい。そのような同等の用語、より広範な用語、またはより包括的な用語は、各要素または作用の説明に包含されると見なされるべきである。そのような用語は、本発明が享有できる暗示的に広範な対象範囲を明示するように、所望の場所で置換することができる。一例にすぎないが、全ての作用は、その作用を行うための手段として、またはその作用を引き起こす要素として表現されてもよいことを理解されたい。同様に、開示される各物理的要素は、その物理的要素が促進する作用の開示を包含すると理解されるべきである。この最後の側面に関して、一例にすぎないが、「変換器」の開示は、明示的に論議されるか否かにかかわらず、「変化する」行為の開示を包含すると理解されるべきであり、逆に、「変換する」行為の開示が効果的に存在すれば、そのような開示は、「変換器」および「変換するための手段」の開示さえ包含すると理解されるべきである。そのような変更および代替用語は、説明に明示的に含まれると理解されるものである。
【００７６】
本特許出願またはその参考文献のリストに記述される、あらゆる特許、出版物、または他の参考文献は、参照することにより本明細書に組み込まれる。本出願またはあらゆる後続出願より以前に請求された、あらゆる優先事例は、参照することにより本明細書に付加され、組み込まれる。加えて、使用される各用語に関して、本出願でのその利用が、広範に支持する解釈と矛盾しない限り、一般的な辞書の定義が各用語について組み込まれるとして理解されるべきであり、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙの第２版に含まれるような全ての定義、代替用語、および同義語が、参照することにより本明細書に組み込まれると理解されたい。最後に、本明細書とともに出願される、または本明細書に含まれる、参考文献のリストまたは他の情報記述で記載される全ての参考文献は、参照することにより本明細書に付加され、かつ本明細書に組み込まれるが、上記のそれぞれに関して、参照することにより組み込まれる、そのような情報または記述が、本発明の特許権取得と矛盾すると見なされるかもしれない程度まで、そのような記述は、出願者によって行われるとして明示的に見なされない。
【００７７】
【表１】
0005508271.tif 000002
【００７８】
【表２】
0005508271.tif 000003
【００７９】
【表３】
0005508271.tif 000004
【００８０】
【表４】
0005508271.tif 000005
【００８１】
【表５】
0005508271.tif 000006
【００８２】
【表６】
0005508271.tif 000007
したがって、出願者は、少なくとも以下に対して、発明を請求し、記述を行うための支援を有すると理解されるべきである：ｉ）本明細書で開示および説明されるような電源デバイスのそれぞれ、ｉｉ）開示および説明される関連方法、ｉｉｉ）これらのデバイスおよび方法のそれぞれの同様の変化例、同等の変化例、および潜在的変化例、ｉｖ）開示および説明されるような、示された機能のそれぞれを達成する代替設計、ｖ）開示および説明される機能を達成することが暗示されるような、示された機能のそれぞれを達成する代替設計および方法、ｖｉ）別個かつ独立した発明として示される、各特徴、構成要素、およびステップ、ｖｉｉ）開示される種々のシステムまたは構成要素によって強化される用途、ｖｉｉｉ）そのようなシステムまたは構成要素によって産生される、結果として生じる産物、ｉｘ）記述される任意の特定の分野またはデバイスに適用されるような、示された、または説明された、各システム、方法、および要素、ｘ）実質的に、以上で、かつ付随例のうちのいずれかを参照して説明されるような、方法および装置、ｘｉ）開示される要素のそれぞれの種々の組み合わせおよび順列、ｘｉｉ）提示される独立請求項または概念のそれぞれ１つへの従属物としての、各潜在的従属請求項または概念、およびｘｉｉｉ）本明細書で説明される全ての発明。加えて、ならびに、コンピュータ化された側面と、プログラミングまたは他のプログラム可能な電子自動化の影響を受けやすい各側面とに関して、出願者は、少なくとも以下に対して、発明を請求し、記述を行うための支援を有すると理解されるべきである：ｘｉｖ）上記の論議の全体を通して説明されるような、コンピュータを用いて、またはコンピュータ上で行われる過程、ｘｖ）上記の論議の全体を通して説明されるような、プログラム可能な装置、ｘｖｉ）上記の論議の全体を通して説明されるように機能する手段または要素を備えるコンピュータに指示する、データでコード化されたコンピュータ可読メモリ、ｘｖｉｉ）本明細書で開示または説明されるように構成されるコンピュータ、ｘｖｉｉｉ）本明細書で開示または説明されるように構成される、個別または複合サブルーチンおよびプログラム、ｘｉｘ）開示および説明される関連方法、ｘｘ）これらのシステムおよび方法のそれぞれの同様の変化例、同等の変化例、および潜在的変化例、ｘｘｉ）開示および説明されるような、示された機能のそれぞれを達成する代替設計、ｘｘｉｉ）開示および説明される機能を達成することが暗示されるような、示された機能のそれぞれを達成する代替設計および方法、ｘｘｉｉｉ）別個かつ独立した発明として示される、各特徴、構成要素、およびステップ、およびｘｘｉｖ）上記の内容のそれぞれの種々の組み合わせおよび順列。
【００８３】
請求項に関して、審査のためにここで提示されようと、後で提示されようと、実用的な理由により、かつ審査の負担の多大な拡大を回避するために、出願者は、初期請求項のみ、またはおそらく、初期従属項のみを伴う初期請求項のみを、いつでも提示してもよいことを理解されたい。本出願または後続出願の潜在的範囲に関心を持つ本庁およびあらゆる第三者は、本事例において、本事例の便益を請求する事例において、またはあらゆる予備修正、他の修正、請求項の用語、または提示された討議にもかかわらず継続する場合に、より広範な請求項が後日に提示されてもよく、したがって、あらゆる事例の係属の全体を通して、潜在的主題の請求権を放棄または棄却する意図がないことを、理解すべきである。そうでなければ、既存または後続の潜在的対象範囲に関心がある、または潜在的対象範囲の権利の放棄または棄却を示す可能性が常にあったかどうかを考慮する、審査官およびあらゆる個人の両者は、明示的な記述がない場合は、そのような権利の棄却または放棄は意図されない、または、本出願またはあらゆる後続出願に存在するとして見なされるべきではないことを、認識すべきである。Ｈａｋｉｍ  ｖ．Ｃａｎｎｏｎ  Ａｖｅｎｔ  Ｇｒｏｕｐ，ＰＬＣ，４７９  Ｆ．３ｄ  １３１３（Ｆｅｄ．Ｃｉｒ  ２００７）または同等物で提起されるような制限は、本出願またはあらゆる後続の関連内容において明示的に意図されない。
【００８４】
加えて、任意の他の独立請求項または概念の下での従属物または要素として、１つの独立請求項または概念の下で提示される、種々の従属物または他の要素のうちのいずれかの追加を許容するように、欧州特許条約（Ｅｕｒｏｐｅａｎ  Ｐａｔｅｎｔ  Ｃｏｎｖｅｎｔｉｏｎ）第１２３（２）条および米国特許法（Ｕｎｉｔｅｄ  Ｓｔａｔｅｓ  Ｐａｔｅｎｔ  Ｌａｗ）３５  ＵＳＣ  １３２、または他のそのような法律を含むがそれらに限定されない、新規事項の法律の下で要求される程度に、支援が存在すると理解されるべきである。本出願であろうと、あらゆる後続出願であろうと、常にあらゆる請求項を起草する際には、出願者が、合法的に利用可能なほどに完全かつ広範な対象範囲を捕捉することを意図していることも理解されたい。わずかな置換が行われる程度に、任意の特定の実施形態を文字通り包含するよう、出願者が実際にいずれの請求項も起草しなかった程度に、および他に適用可能な程度に、出願者が単に全ての結末を予測していなかったかもしれないため、出願者は、そのような対象範囲を断念することを意図した、または実際に断念したと理解されるべきではない。当業者は、そのような代替実施形態を文字通り包含したであろう請求項を起草したと合理的に見込まれるべきではない。
【００８５】
さらに、使用される場合、または使用される時に、「〜を備える」という移行句は、従来の請求項の解釈に従って、「非制約」請求項を本明細書で維持するために使用される。したがって、文脈上他の意味を必要としない限り、「備える」という用語、または「〜を備える」等の変化形は、記述された要素またはステップ、あるいは要素またはステップの一群を含むが、任意の他の要素またはステップ、あるいは要素またはステップの一群を除外しないことを暗示することを目的とする。そのような用語は、出願者が法的に許可される限り最も広い対象範囲を得るように、最も拡張的な形で解釈されるべきである。「または任意の他の請求項」という語句の使用は、別の従属請求項、別の独立請求項、以前に記載された請求項、後に記載された請求項、および同等物等の、任意の他の請求項に従属する任意の請求項に対する支持を提供するために使用される。１つの明確化する例として、請求項が「請求項２０または任意の他の請求項」あるいは同等物に従属する場合、所望であれば、請求項１、請求項１５、または請求項７１５にさえ従属するとして書き直すことができ、依然として本開示の範囲内に入ることができる。この語句はまた、請求項中の要素の任意の組み合わせに対する支持も提供し、方法、装置、過程、および同等物の請求項の組み合わせ等との、ある請求項の組み合わせに対する任意の所望の根拠さえ組み込むことを理解されたい。
【００８６】
最後に、任意の時に記載された全ての請求項は、また、本発明の本説明の一部として参照することにより本明細書に組み込まれ、出願者は、請求項のうちのいずれかまたは全て、あるいはその任意の要素または構成要素を支持する追加説明として、そのような請求項のそのような組み込まれた内容の全てまたは一部分を使用する権利を明示的に留保し、出願者はさらに、そのような請求項のそのような組み込まれた内容の任意の部分または全て、あるいはその任意の要素または構成要素を、必要に応じて説明から請求項の中へ、またはその反対に移動させて、本出願によって、あるいはそのあらゆる後続の継続出願、分割出願、または一部継続出願によって保護が求められる事柄を定義する権利、または、あらゆる国の特許法、規則、または法規、あるいは条約に従って、または準拠して、手数料の便益または削減を得る権利を明示的に留保し、参照することにより組み込まれる、そのような内容は、そのあらゆる後続の継続出願、分割出願、または一部継続出願、あるいはそのあらゆる再発行物または拡張物を含む、本出願の係属全体の間に存続するものとする。
本発明における可能性のある主張としての条項は、以下の表現の任意の表現を含み得る。
（項目１）
ＤＣ光起電力出力を有する、少なくとも１つの太陽電池パネルと、
該ＤＣ光起電力出力がそれに対して存在する、光起電力格納容器と、
該ＤＣ光起電力出力に対応する、複数の個別光起電力変換回路と、
該光起電力変換回路が対応する、少なくとも１つの光起電力ＤＣ−ＤＣ電力変換器動作
コントローラと、
複数の個別パネル専用の最大光起電力点変換器機能制御回路と、
遠隔電力機能変更コントローラと、
該遠隔電力機能変更コントローラに対応する、複数の個別太陽電池パネル出力ＤＣ切断と
を備える、高効率制御太陽電池パネルエネルギーシステム。
（項目２）
上記遠隔電力機能変更コントローラは、集中遠隔電力機能変更コントローラを備える、項目１または任意の他の項目に記載の高効率制御太陽電池パネルエネルギーシステム。
（項目３）
ＤＣ−ＤＣ変換された太陽電池パネル出力に対応する、少なくとも１列の電気直列をさらに備える、項目２または任意の他の項目に記載の高効率制御太陽電池パネルエネルギーシステム。
（項目４）
ＤＣ−ＤＣ変換された太陽電池パネル出力に対応する、上記少なくとも１列の電気直列は、複数の直列に接続された光起電力ＤＣ−ＤＣ電力変換器を備える、項目３または任意の他の項目に記載の高効率制御太陽電池パネルエネルギーシステム。
（項目５）
上記複数の個別太陽電池パネル出力ＤＣ切断は、複数の開放既定位置の太陽電池パネル切断を備える、項目４または任意の他の項目に記載の高効率制御太陽電池パネルエネルギーシステム。
（項目６）
独立した出力ＤＣ切断位置認証要素をさらに備える、項目４または５に記載の高効率制御太陽電池パネルエネルギーシステム。
（項目７）
上記集中遠隔電力機能変更コントローラは、無線伝送個別太陽電池パネル切断制御を備える、項目６または任意の他の項目に記載の高効率制御太陽電池パネルエネルギーシステム。
（項目８）
上記無線伝送個別太陽電池パネル切断制御は、
太陽電池パネル列電圧機能コントローラと、
太陽電池パネル列電流機能コントローラと、
太陽電池パネルインバータ入力電圧機能コントローラと、
太陽電池パネルインバータ入力電流機能コントローラと、
太陽電池パネルインバータ入力電力機能コントローラと、
太陽電池パネル電圧機能コントローラと
から成る群より選択される、無線伝送個別太陽電池パネル切断制御を備える、項目７または任意の他の項目に記載の高効率制御太陽電池パネルエネルギーシステム。
（項目９）
上記複数の個別太陽電池パネル出力ＤＣ切断は、複数の太陽電池パネル電力増加切断を備える、項目７または任意の他の項目に記載の高効率制御太陽電池パネルエネルギーシステム。
（項目１０）
上記集中遠隔電力機能変更コントローラは、光起電力ＤＣ−ＤＣ電力変換器スイッチコントローラを備える、項目７または任意の他の項目に記載の高効率制御太陽電池パネルエネルギーシステム。
（項目１１）
上記光起電力ＤＣ−ＤＣ電力変換器スイッチコントローラは、光起電力ＤＣ−ＤＣ変換器電界効果トランジスタコントローラを備える、項目１０または任意の他の項目に記載の高効率制御太陽電池パネルエネルギーシステム。
（項目１２）
上記電界効果トランジスタコントローラは、変換器動作不能スイッチ切断コントローラを備える、項目１１または任意の他の項目に記載の高効率制御太陽電池パネルエネルギーシステム。
（項目１３）
上記電界効果トランジスタコントローラは、電界効果トランジスタタイミングコントローラを備える、項目１１または任意の他の項目に記載の高効率制御太陽電池パネルエネルギーシステム。
（項目１４）
少なくとも１つの最大光起電力点シミュレータをさらに備える、項目１３または任意の他の項目に記載の高効率制御太陽電池パネルエネルギーシステム。
（項目１５）
少なくとも１つの太陽電池パネルを提供するステップと、
ＤＣ光起電力出力を有する格納容器に、該少なくとも１つの太陽電池パネルを電気的に格納するステップと、
該ＤＣ光起電力出力をＤＣ変換するステップと、
該ＤＣ光起電力出力をＤＣ変換するステップを遠隔で制御するステップと、
パネル専用の最大光起電力点において個別に発電するステップと、
該ＤＣ光起電力出力をＤＣ変換するステップの機能的変更を遠隔で指示するステップと、
少なくとも１つの太陽電池パネル用の該格納容器の該ＤＣ光起電力出力を個別に切断するステップと
を含む、太陽電池パネルエネルギーシステムからの制御された高効率の発電方法。
（項目１６）
上記ＤＣ光起電力出力をＤＣ変換する上記ステップの機能的変更を遠隔指示する上記ステップは、該ＤＣ光起電力出力をＤＣ変換する該ステップの機能的変更を中央で指示するステップを含む、項目１５または任意の他の項目に記載の太陽電池パネルエネルギーシステムからの制御された高効率の発電方法。
（項目１７）
発電するために、複数の太陽電池パネルに対応する電気直列を利用するステップをさらに含む、項目１６または任意の他の項目に記載の太陽電池パネルエネルギーシステムからの制御された高効率の発電方法。
（項目１８）
発電するために複数の太陽電池パネルに対応する電気直列を利用する上記ステップは、発電するために複数の直列に接続された光起電力ＤＣ−ＤＣ電力変換器を利用するステップを含む、項目１７または任意の他の項目に記載の太陽電池パネルエネルギーシステムからの制御された高効率の発電方法。
（項目１９）
少なくとも１つの太陽電池パネル用の上記格納容器の上記ＤＣ光起電力出力を個別に切断するステップは、開放既定位置の太陽電池パネル切断を制御するステップを含む、項目１８または任意の他の項目に記載の太陽電池パネルエネルギーシステムからの制御された高効率の発電方法。
（項目２０）
太陽電池パネル切断の位置を独立して認証するステップをさらに含む、項目１８または１９、あるいは任意の他の項目に記載の太陽電池パネルエネルギーシステムからの制御された高効率の発電方法。
（項目２１）
機能的変更を遠隔で指示する上記ステップは、複数の太陽電池パネル切断の動作を無線制御するステップを含む、項目２０または任意の他の項目に記載の太陽電池パネルエネルギーシステムからの制御された高効率の発電方法。
（項目２２）
複数の太陽電池パネル切断の動作を無線制御する上記ステップは、
太陽電池パネル列の電圧機能を遠隔で制御するステップと、
太陽電池パネル列の電流機能を遠隔で制御するステップと、
太陽電池パネルインバータの入力電圧機能を遠隔で制御するステップと、
太陽電池パネルインバータの入力電流機能を遠隔で制御するステップと、
太陽電池パネルインバータの入力電力機能を遠隔で制御するステップと、
太陽電池パネルの電圧機能を遠隔で制御するステップと
から成る群より選択されるステップを含む、項目２１または任意の他の項目に記載の太陽電池パネルエネルギーシステムからの制御された高効率の発電方法。
（項目２３）
上記ＤＣ光起電力出力をＤＣ変換する上記ステップの機能的変更を遠隔で指示する上記ステップは、少なくとも１つの太陽電池パネルのＤＣ出力を遠隔で切断するステップを含む、項目２１または任意の他の項目に記載の太陽電池パネルエネルギーシステムからの制御された高効率の発電方法。
（項目２４）
上記ＤＣ光起電力出力をＤＣ変換する上記ステップの機能的変更を遠隔で指示する上記ステップは、少なくとも１つのＤＣ−ＤＣ電力変換器の切替を遠隔で制御するステップを含む、項目２１または任意の他の項目に記載の太陽電池パネルエネルギーシステムからの制御された高効率の発電方法。
（項目２５）
少なくとも１つのＤＣ−ＤＣ電力変換器の切替を遠隔で制御する上記ステップは、該少なくとも１つのＤＣ−ＤＣ電力変換器用の少なくとも１つの電界効果トランジスタの切替を遠隔で制御するステップを含む、項目２４または任意の他の項目に記載の太陽電池パネルエネルギーシステムからの制御された高効率の発電方法。
（項目２６）
上記少なくとも１つのＤＣ−ＤＣ電力変換器用の少なくとも１つの電界効果トランジスタの切替を遠隔で制御する上記ステップは、該少なくとも１つのＤＣ−ＤＣ電力変換器に対する変換器スイッチ動作不能を遠隔で生じさせるステップを含む、項目２５または任意の他の項目に記載の太陽電池パネルエネルギーシステムからの制御された高効率の発電方法。
（項目２７）
上記少なくとも１つのＤＣ−ＤＣ電力変換器用の少なくとも１つの電界効果トランジスタの切替を遠隔で制御する上記ステップは、該少なくとも１つのＤＣ−ＤＣ電力変換器用の少なくとも１つの電界効果トランジスタの切替タイミングを遠隔で制御するステップを含む、項目２５または任意の他の項目に記載の太陽電池パネルエネルギーシステムからの制御された高効率の発電方法。
（項目２８）
上記複数の変換されたＤＣ出力のうちの少なくとも１つに対する最大電力点をシミュレートするステップをさらに含む、項目２７または任意の他の項目に記載の太陽電池パネルエネルギーシステムからの制御された高効率の発電方法。
（項目２９）
ＤＣ光起電力出力を有する、少なくとも１つの太陽電池パネルと、
該ＤＣ光起電力出力がそれのために存在する、光起電力格納容器と、
ＤＣ光起電力出力に電気的に接続される、個別太陽電池パネル出力ＤＣ切断と
備える、電力管理された太陽エネルギーシステム。
（項目３０）
上記少なくとも１つの太陽エネルギーパネルは、少なくとも１つである複数の太陽電池パネルを備え、複数の個別パネル専用の最大光起電力点変換器機能制御回路をさらに備える、項目２９または任意の他の項目に記載の電力管理された太陽エネルギーシステム。
（項目３１）
ＤＣ−ＤＣ変換された太陽電池パネル出力に対応する、少なくとも１列の電気直列をさらに備える、項目２９または任意の他の項目に記載の電力管理された太陽エネルギーシステム。
（項目３２）
ＤＣ−ＤＣ変換された太陽電池パネル出力に対応する、上記少なくとも１列の電気直列は、複数の直列に接続された光起電力ＤＣ−ＤＣ電力変換器を備える、項目３１または任意の他の項目に記載の電力管理された太陽エネルギーシステム。
（項目３３）
ＤＣ−ＤＣ変換された太陽電池パネル出力に対応する、上記少なくとも１列の電気直列はさらに、複数の個別パネル専用の最大光起電力点変換器機能制御を備える、項目３２または任意の他の項目に記載の電力管理された太陽エネルギーシステム。
（項目３４）
上記ＤＣ光起電力出力に電気的に接続される、上記個別太陽電池パネル出力ＤＣ切断は、名目上開放した個別太陽電池パネル出力ＤＣ切断を備える、項目２９または任意の他の項目に記載の電力管理された太陽エネルギーシステム。
（項目３５）
上記個別太陽電池パネル出力ＤＣ切断が対応する、個別太陽電池パネル切断制御をさらに備える、項目２９または任意の他の項目に記載の電力管理された太陽エネルギーシステム。
（項目３６）
上記個別太陽電池パネル切断制御は、選択された既定位置の太陽電池パネル切断制御を備える、項目３５または任意の他の項目に記載の電力管理された太陽エネルギーシステム。
（項目３７）
上記選択された既定位置の太陽電池パネル切断制御は、開放既定位置の太陽電池パネル切断制御を備える、項目３６または任意の他の項目に記載の電力管理された太陽エネルギーシステム。
（項目３８）
上記個別太陽電池パネル切断制御は、電源オフ既定開放太陽電池パネル切断制御を備える、項目３５または任意の他の項目に記載の電力管理された太陽エネルギーシステム。
（項目３９）
上記電源オフ既定開放太陽電池パネル切断制御は、電界効果トランジスタ既定開放切断制御を備える、項目３８または任意の他の項目に記載の電力管理された太陽エネルギーシステム。
（項目４０）
上記個別太陽電池パネル切断制御は、個別列パネル隔離制御を備える、項目３５または任意の他の項目に記載の電力管理された太陽エネルギーシステム。
（項目４１）
上記個別太陽電池パネル切断制御は、個別列パネル電源切断制御を備える、項目３５または任意の他の項目に記載の電力管理された太陽エネルギーシステム。
（項目４２）
制御から独立した出力ＤＣ切断位置情報要素をさらに備える、項目２９または任意の他の項目に記載の電力管理された太陽エネルギーシステム。
（項目４３）
独立した出力ＤＣ切断位置認証要素をさらに備える、項目４２または任意の他の項目に記載の電力管理された太陽エネルギーシステム。
（項目４４）
上記個別太陽電池パネル切断制御は、太陽電池パネル切断状態設定制御を備える、項目３５または任意の他の項目に記載の電力管理された太陽エネルギーシステム。
（項目４５）
上記太陽電池パネル切断状態設定制御は、
太陽電池パネル切断製造状態設定制御と、
太陽電池パネル切断動作状態設定制御と
を備える、項目４４または任意の他の項目に記載の電力管理された太陽エネルギーシステム。
（項目４６）
太陽電池パネル切断設置状態設定制御をさらに備える、項目３５または４５、あるいは任意の他の項目に記載の電力管理された太陽エネルギーシステム。
（項目４７）
上記太陽電池パネル切断設置状態設定制御は、機械的太陽電池パネル切断設置状態設定制御を備える、項目４６または任意の他の項目に記載の電力管理された太陽エネルギーシステム。
（項目４８）
上記太陽電池パネル切断設置状態設定制御は、リセット可能な太陽電池パネル切断状態設定制御を備える、項目４６または任意の他の項目に記載の電力管理された太陽エネルギーシステム。
（項目４９）
上記太陽電池パネル切断制御は、遠隔個別太陽電池パネル切断制御を備える、項目３５または任意の他の項目に記載の電力管理された太陽エネルギーシステム。
（項目５０）
上記遠隔個別太陽電池パネル切断制御は、無線伝送個別太陽電池パネル切断制御を備える、項目４９または任意の他の項目に記載の電力管理された太陽エネルギーシステム。
（項目５１）
上記太陽電池パネル出力ＤＣ切断は、制限モード太陽電池パネル出力ＤＣ切断を備える、項目２９または任意の他の項目に記載の電力管理された太陽エネルギーシステム。
（項目５２）
上記制限モード太陽電池パネル出力ＤＣ切断は、電圧制限太陽電池パネル出力ＤＣ切断を備える、項目５１または任意の他の項目に記載の電力管理された太陽エネルギーシステム。
（項目５３）
上記電圧制限太陽電池パネル出力ＤＣ切断は、電界効果トランジスタ破壊制限太陽電池パネル出力ＤＣ切断を備える、項目５２または任意の他の項目に記載の電力管理された太陽エネルギーシステム。
（項目５４）
上記電圧制限太陽電池パネル出力ＤＣ切断は、個別太陽電池パネル最大電圧ＤＣ切断を備える、項目５２または任意の他の項目に記載の電力管理された太陽エネルギーシステム。
（項目５５）
上記個別太陽電池パネル最大電圧ＤＣ切断は、
実用的な最大電圧の個別太陽電池パネル最大電圧ＤＣ切断と、
確立された安全域の最大電圧の個別太陽電池パネル最大電圧ＤＣ切断と、
電気規格の最大電圧の個別太陽電池パネル最大電圧ＤＣ切断と
から成る群より選択される、個別太陽電池パネル最大電圧ＤＣ切断を備える、項目５４または任意の他の項目に記載の電力管理された太陽エネルギーシステム。
（項目５６）
上記太陽電池パネル出力ＤＣ切断は、トランジスタ切断制御を備える、項目２９または任意の他の項目に記載の電力管理された太陽エネルギーシステム。
（項目５７）
上記トランジスタ切断制御は、変換器スイッチ切断制御を備える、項目５６または任意の他の項目に記載の電力管理された太陽エネルギーシステム。
（項目５８）
上記変換器切替切断制御は、変換器動作不能スイッチ切断制御を備える、項目５７または任意の他の項目に記載の電力管理された太陽エネルギーシステム。
（項目５９）
上記変換器動作不能スイッチ切断制御は、並列変換器スイッチ切断制御を備える、項目５７または任意の他の項目に記載の電力管理された太陽エネルギーシステム。
（項目６０）
上記変換器動作不能スイッチ切断制御は、変換器の全体的ゲート制御を備える、項目５７または任意の他の項目に記載の電力管理された太陽エネルギーシステム。
（項目６１）
電力耐性太陽電池パネル切断制御をさらに備える、項目２９、３０、３１、３３、または５０、あるいは任意の他の項目に記載の電力管理された太陽エネルギーシステム。
（項目６２）
上記電力耐性太陽電池パネル切断制御は、太陽電池パネル切断状態呼び戻しを備える、項目６１または任意の他の項目に記載の電力管理された太陽エネルギーシステム。
（項目６３）
上記太陽電池パネル切断状態呼び戻しは、太陽電池パネル電力増加切断制御を備える、項目６２または任意の他の項目に記載の電力管理された太陽エネルギーシステム。
（項目６４）
上記太陽電池パネル切断状態呼び戻しは、
非エネルギー貯蔵太陽電池パネル切断状態呼び戻しと、
非バッテリ太陽電池パネル切断状態呼び戻しと
から成る群より選択される、太陽電池パネル切断状態呼び戻しを備える、項目６２または任意の他の項目に記載の電力管理された太陽エネルギーシステム。
（項目６５）
逆バイアス切断状態保護回路をさらに備える、項目２９、３０、３１、３３、または５０、あるいは任意の他の項目に記載の電力管理された太陽エネルギーシステム。
（項目６６）
上記逆バイアス切断状態保護回路は、太陽電池パネル再電力供給切断設定回路を備える、項目６５または任意の他の項目に記載の電力管理された太陽エネルギーシステム。
（項目６７）
上記太陽電池パネル再電力供給切断設定回路は、太陽電池パネル再電力供給切断状態呼び戻し回路を備える、項目６６または任意の他の項目に記載の電力管理された太陽エネルギーシステム。
（項目６８）
太陽電池パネル電力増加切断設定制御をさらに備える、項目２９、３０、３１、３３、または５０、あるいは任意の他の項目に記載の電力管理された太陽エネルギーシステム。
（項目６９）
上記太陽電池パネル電力増加切断設定制御は、太陽電池パネル切断電力供給前設定制御を備える、項目６８または任意の他の項目に記載の電力管理された太陽エネルギーシステム。
（項目７０）
上記太陽電池パネル切断電力供給前設定制御は、太陽電池パネル切断電力供給前状態呼び戻しを備える、項目６９または任意の他の項目に記載の電力管理された太陽エネルギーシステム。
（項目７１）
低発電太陽電池パネル切断制御をさらに備える、項目２９、３０、３１、３３、または５０、あるいは任意の他の項目に記載の電力管理された太陽エネルギーシステム。
（項目７２）
上記低発電太陽電池パネル切断制御は、間接日射発電太陽電池パネル切断制御を備える、項目７１または任意の他の項目に記載の電力管理された太陽エネルギーシステム。
（項目７３）
上記低発電太陽電池パネル切断制御は、変換前の太陽電池パネル切断制御入力を備える、項目７１または任意の他の項目に記載の電力管理された太陽エネルギーシステム。
（項目７４）
２次太陽電池パネル切断制御をさらに備える、項目２９、３０、３１、３３、または５０、あるいは任意の他の項目に記載の電力管理された太陽エネルギーシステム。
（項目７５）
上記２次太陽電池パネル切断制御は、独立した２次太陽電池パネル切断制御を備える、項目７４または任意の他の項目に記載の電力管理された太陽エネルギーシステム。
（項目７６）
上記独立した２次太陽電池パネル切断制御は、無線伝送フェールセーフ太陽電池パネル切断制御を備える、項目７５または任意の他の項目に記載の電力管理された太陽エネルギーシステム。
（項目７７）
ＤＣ光起電力出力を有する、少なくとも１つの太陽電池パネルと、
該ＤＣ光起電力出力に電気的に接続される、個別太陽電池パネル出力ＤＣ切断と
を備える、電力管理された太陽エネルギーシステム。
（項目７８）
上記少なくとも１つの太陽電池パネルは、少なくとも１つである複数の太陽電池パネルを備え、複数の個別パネル専用の最大光起電力点変換器機能制御回路をさらに備える、項目７７または任意の他の項目に記載の電力管理された太陽エネルギーシステム。
（項目７９）
ＤＣ−ＤＣ変換された太陽電池パネル出力に対応する、少なくとも１列の電気直列をさらに備える、項目７７または任意の他の項目に記載の電力管理された太陽エネルギーシステム。
（項目８０）
ＤＣ−ＤＣ変換された太陽電池パネル出力に対応する、上記少なくとも１列の電気直列は、複数の直列に接続された光起電力ＤＣ−ＤＣ電力変換器を備える、項目７９または任意の他の項目に記載の電力管理された太陽エネルギーシステム。
（項目８１）
ＤＣ−ＤＣ変換された太陽電池パネル出力に対応する、上記少なくとも１列の電気直列はさらに、複数の個別パネル専用の最大光起電力点変換器機能制御を備える、項目８０または任意の他の項目に記載の電力管理された太陽エネルギーシステム。
（項目８２）
上記ＤＣ光起電力出力に電気的に接続される、上記太陽電池パネル出力ＤＣ切断は、名目上開放した太陽電池パネル出力ＤＣ切断を備える、項目７７または任意の他の項目に記載の電力管理された太陽エネルギーシステム。
（項目８３）
上記太陽電池パネル出力ＤＣ切断が対応する、個別太陽電池パネル切断制御をさらに備える、項目７７または任意の他の項目に記載の電力管理された太陽エネルギーシステム。
（項目８４）
上記個別太陽電池パネル切断制御は、選択された既定位置の太陽電池パネル切断制御を備える、項目８３または任意の他の項目に記載の電力管理された太陽エネルギーシステム。
（項目８５）
上記選択された既定位置の太陽電池パネル切断制御は、開放既定位置の太陽電池パネル切断制御を備える、項目８３または任意の他の項目に記載の電力管理された太陽エネルギーシステム。
（項目８６）
制御から独立した出力ＤＣ切断位置情報要素をさらに備える、項目７７または任意の他の項目に記載の電力管理された太陽エネルギーシステム。
（項目８７）
独立した出力ＤＣ切断位置認証要素をさらに備える、項目８６または任意の他の項目に記載の電力管理された太陽エネルギーシステム。
（項目８８）
上記個別太陽電池パネル切断制御は、遠隔個別太陽電池パネル切断制御を備える、項目８３または任意の他の項目に記載の電力管理された太陽エネルギーシステム。
（項目８９）
上記遠隔個別太陽電池パネル切断制御は、無線伝送個別太陽電池パネル切断制御を備える、項目８８または任意の他の項目に記載の電力管理された太陽エネルギーシステム。
（項目９０）
上記太陽電池パネル出力ＤＣ切断は、トランジスタ切断制御を備える、項目７７または任意の他の項目に記載の電力管理された太陽エネルギーシステム。
（項目９１）
上記トランジスタ切断制御は、変換器スイッチ切断制御を備える、項目９０または任意の他の項目に記載の電力管理された太陽エネルギーシステム。
（項目９２）
上記変換器切替切断制御は、変換器動作不能スイッチ切断制御を備える、項目９１または任意の他の項目に記載の電力管理された太陽エネルギーシステム。
（項目９３）
上記変換器動作不能スイッチ切断制御は、並列変換器スイッチ切断制御を備える、項目９１または任意の他の項目に記載の電力管理された太陽エネルギーシステム。
（項目９４）
上記変換器動作不能スイッチ切断制御は、変換器の全体的ゲート制御を備える、項目９１または任意の他の項目に記載の電力管理された太陽エネルギーシステム。
（項目９５）
少なくとも１つの太陽電池パネルを提供するステップと、
ＤＣ光起電力出力を有する格納容器に、該少なくとも１つの太陽電池パネルを電気的に格納するステップと、
該少なくとも１つの太陽電池パネル用の該格納容器の該ＤＣ光起電力出力を個別に切断するステップと
を含む、太陽エネルギーシステムの電力管理方法。
（項目９６）
少なくとも１つの太陽電池パネルを提供する上記ステップは、少なくとも１つである複数の太陽電池パネルを提供するステップを含み、該少なくとも１つである複数の太陽電池パネル用に対するパネル専用の最大光起電力点において、個別に発電するステップをさらに含む、項目９５または任意の他の項目に記載の太陽エネルギーシステムの電力管理方法。
（項目９７）
発電するために複数の太陽電池パネルに対応する電気直列を利用するステップをさらに含む、項目９５または任意の他の項目に記載の太陽エネルギーシステムの電力管理方法。
（項目９８）
発電するために複数の太陽電池パネルに対応する電気直列を利用する上記ステップは、発電するために複数の直列に接続された光起電力ＤＣ−ＤＣ電力変換器を利用するステップを含む、項目９７または任意の他の項目に記載の太陽エネルギーシステムの電力管理方法。
（項目９９）
パネル専用の最大光起電力点において個別に発電するステップをさらに含む、項目９８または任意の他の項目に記載の太陽エネルギーシステムの電力管理方法。
（項目１００）
上記少なくとも１つの太陽電池パネル用の上記格納容器の上記ＤＣ光起電力出力を個別に切断する上記ステップは、名目上開放した個別太陽電池パネル出力ＤＣ切断を操作するステップを含む、項目９５または任意の他の項目に記載の太陽エネルギーシステムの電力管理方法。
（項目１０１）
少なくとも１つの太陽電池パネル切断を個別パネル制御するステップをさらに含む、項目９５または任意の他の項目に記載の太陽エネルギーシステムの電力管理方法。
（項目１０２）
少なくとも１つの太陽電池パネル切断を個別パネル制御する上記ステップは、選択された既定位置の太陽電池パネル切断を制御するステップを含む、項目１０１または任意の他の項目に記載の太陽エネルギーシステムの電力管理方法。
（項目１０３）
選択された既定位置の太陽電池パネル切断を制御する上記ステップは、開放既定位置の太陽電池パネル切断を制御するステップを含む、項目１０２または任意の他の項目に記載の太陽エネルギーシステムの電力管理方法。
（項目１０４）
少なくとも１つの太陽電池パネル切断を個別パネル制御する上記ステップは、電源オフ既定開放太陽電池パネル切断を個別パネル制御するステップを含む、項目１０１または任意の他の項目に記載の太陽エネルギーシステムの電力管理方法。
（項目１０５）
電源オフ既定開放太陽電池パネル切断を個別パネル制御するステップは、電界効果トランジスタの既定開放切断を個別パネル制御するステップを含む、項目１０４または任意の他の項目に記載の太陽エネルギーシステムの電力管理方法。
（項目１０６）
少なくとも１つの太陽電池パネル切断を個別パネル制御する上記ステップは、個別パネル列隔離が少なくとも１つの太陽電池パネル切断を制御するステップを含む、項目１０１または任意の他の項目に記載の太陽エネルギーシステムの電力管理方法。
（項目１０７）
少なくとも１つの太陽電池パネル切断を個別パネル制御する上記ステップは、個別パネル列電源切断を制御するステップを含む、項目１０１または任意の他の項目に記載の太陽エネルギーシステムの電力管理方法。
（項目１０８）
太陽電池パネル切断の位置を独立して確認するステップをさらに含む、項目９５または任意の他の項目に記載の太陽エネルギーシステムの電力管理方法。
（項目１０９）
太陽電池パネル切断の位置を独立して認証するステップをさらに含む、項目１０８または任意の他の項目に記載の太陽エネルギーシステムの電力管理方法。
（項目１１０）
少なくとも１つの太陽電池パネル切断を個別パネル制御する上記ステップは、少なくとも１つの太陽電池パネル切断の状態条件を個別パネル制御するステップを含む、項目１０１または任意の他の項目に記載の太陽エネルギーシステムの電力管理方法。
（項目１１１）
少なくとも１つの太陽電池パネル切断の状態条件を個別パネル制御する上記ステップは、
少なくとも１つの太陽電池パネル切断の製造状態条件を個別パネル制御するステップと、
少なくとも１つの太陽電池パネル切断の動作状態条件を個別パネル制御するステップと
を含む、項目１１０または任意の他の項目に記載の太陽エネルギーシステムの電力管
理方法。
（項目１１２）
少なくとも１つの太陽電池パネル切断の個別パネル設置状態条件を確立するステップをさらに含む、項目１０１または１１１、あるいは任意の他の項目に記載の太陽エネルギーシステムの電力管理方法。
（項目１１３）
少なくとも１つの太陽電池パネル切断の個別パネル設置状態条件を確立する上記ステップは、少なくとも１つの太陽電池パネル切断の個別パネル設置状態条件を機械的に確立するステップを含む、項目１１２または任意の他の項目に記載の太陽エネルギーシステムの電力管理方法。
（項目１１４）
少なくとも１つの太陽電池パネル切断の個別パネル設置状態条件を確立する上記ステップは、リセット可能な太陽電池パネル切断状態設定制御を操作するステップを含む、項目１１２または任意の他の項目に記載の太陽エネルギーシステムの電力管理方法。
（項目１１５）
少なくとも１つの太陽電池パネル切断を個別パネル制御する上記ステップは、複数の太陽電池パネル切断の個別動作を遠隔で制御するステップを含む、項目１０１または任意の他の項目に記載の太陽エネルギーシステムの電力管理方法。
（項目１１６）
複数の太陽電池パネル切断の個別動作を遠隔で制御する上記ステップは、複数の太陽電池パネル切断の動作を無線制御するステップを含む、項目１１５または任意の他の項目に記載の太陽エネルギーシステムの電力管理方法。
（項目１１７）
上記少なくとも１つの太陽電池パネル用の上記格納容器の上記ＤＣ光起電力出力を完全に個別に切断する上記ステップは、制限モードが該ＤＣ光起電力出力を完全に個別に切断するステップを含む、項目９５または任意の他の項目に記載の太陽エネルギーシステムの電力管理方法。
（項目１１８）
制限モードが上記ＤＣ光起電力出力を完全に個別に切断する上記ステップは、制限される電圧が該ＤＣ光起電力出力を完全に個別に切断するステップを含む、項目１１７または任意の他の項目に記載の太陽エネルギーシステムの電力管理方法。
（項目１１９）
制限される電圧が上記ＤＣ光起電力出力を完全に個別に切断する上記ステップは、制限される電界効果トランジスタ破壊が該ＤＣ光起電力出力を完全に個別に切断するステップを含む、項目１１８または任意の他の項目に記載の太陽エネルギーシステムの電力管理方法。
（項目１２０）
制限される電圧が上記ＤＣ光起電力出力を完全に個別に切断する上記ステップは、制限される個別太陽電池パネル最大電圧が該ＤＣ光起電力出力を完全に個別に切断するステップを含む、項目１１８または任意の他の項目に記載の太陽エネルギーシステムの電力管理方法。
（項目１２１）
制限される個別太陽電池パネル最大電圧が上記ＤＣ光起電力出力を完全に個別に切断する上記ステップは、
制限される実用的な最大電圧が該ＤＣ光起電力出力を切断するステップと、
制限される確立された安全域の最大電圧が該ＤＣ光起電力出力を切断するステップと、
制限される電気規格の最大電圧が該ＤＣ光起電力出力を切断するステップと
から成る群より選択される、制限される個別太陽電池パネル最大電圧が該ＤＣ光起電力出力を完全に個別に切断するステップを含む、項目１２０または任意の他の項目に記載の太陽エネルギーシステムの電力管理方法。
（項目１２２）
上記少なくとも１つの太陽電池パネル用の上記格納容器の上記ＤＣ光起電力出力を完全に個別に切断する上記ステップは、個別太陽電池パネルトランジスタを制御するステップを含む、項目９５または任意の他の項目に記載の太陽エネルギーシステムの電力管理方法。
（項目１２３）
個別太陽電池パネルトランジスタを制御する上記ステップは、少なくとも１つの個別太陽電池パネル変換器を切り替えるステップを含む、項目１２２または任意の他の項目に記載の太陽エネルギーシステムの電力管理方法。
（項目１２４）
少なくとも１つの個別太陽電池パネル変換器を切り替える上記ステップは、少なくとも１つの個別太陽電池パネル変換器を動作不可能にするステップを含む、項目１２３または任意の他の項目に記載の太陽エネルギーシステムの電力管理方法。
（項目１２５）
少なくとも１つの個別太陽電池パネル変換器を動作不可能にする上記ステップは、並列変換器スイッチを操作するステップを含む、項目１２３または任意の他の項目に記載の太陽エネルギーシステムの電力管理方法。
（項目１２６）
少なくとも１つの個別太陽電池パネル変換器を切り替える上記ステップは、複数の太陽電池パネル変換器を全体的にゲート制御するステップを含む、項目１２３または任意の他の項目に記載の太陽エネルギーシステムの電力管理方法。
（項目１２７）
太陽電池パネル切断状態条件を電力耐性的に確立するステップをさらに含む、項目９５、９６、９７、９９、または１１６、あるいは任意の他の項目に記載の太陽エネルギーシステムの電力管理方法。
（項目１２８）
太陽電池パネル切断状態条件を電力耐性的に確立する上記ステップは、太陽電池パネル切断状態条件を呼び戻すステップを含む、項目１２７または任意の他の項目に記載の太陽エネルギーシステムの電力管理方法。
（項目１２９）
太陽電池パネル切断状態条件を呼び戻す上記ステップは、太陽電池パネル電力増加切断状態条件を確立するステップを含む、項目１２８または任意の他の項目に記載の太陽エネルギーシステムの電力管理方法。
（項目１３０）
太陽電池パネル切断状態条件を呼び戻す上記ステップは、
非エネルギー貯蔵が太陽電池パネル切断状態条件を呼び戻すステップと、
非バッテリが太陽電池パネル切断状態条件を呼び戻すステップと
から成る群より選択される、太陽電池パネル切断状態条件を呼び戻すステップを含む、
項目１２８または任意の他の項目に記載の太陽エネルギーシステムの電力管理方法。
（項目１３１）
少なくとも１つの個別太陽電池パネルを逆バイアス切断するステップをさらに含む、項目９５、９６、９７、９９、または１１６、あるいは任意の他の項目に記載の太陽エネルギーシステムの電力管理方法。
（項目１３２）
少なくとも１つの個別太陽電池パネルを逆バイアス切断する上記ステップは、太陽電池パネル再電力供給切断状態条件を確立するステップを含む、項目１３１または任意の他の項目に記載の太陽エネルギーシステムの電力管理方法。
（項目１３３）
太陽電池パネル再電力供給切断状態条件を確立する上記ステップは、太陽電池パネル再電力供給切断状態条件を呼び戻すステップを含む、項目１３２または任意の他の項目に記載の太陽エネルギーシステムの電力管理方法。
（項目１３４）
太陽電池パネル電力増加切断状態条件を確立するステップをさらに含む、項目９５、９６、９７、９９、または１１６、あるいは任意の他の項目に記載の太陽エネルギーシステムの電力管理方法。
（項目１３５）
太陽電池パネル電力増加切断状態条件を確立する上記ステップは、太陽電池パネル電力供給前切断状態条件を確立するステップを含む、項目１３４または任意の他の項目に記載の太陽エネルギーシステムの電力管理方法。
（項目１３６）
太陽電池パネル電力供給前切断状態条件を確立する上記ステップは、太陽電池パネル電力供給前切断状態条件を呼び戻すステップを含む、項目１３５または任意の他の項目に記載の太陽エネルギーシステムの電力管理方法。
（項目１３７）
太陽電池パネル切断を低発電制御するステップをさらに含む、項目９５、９６、９７、９９、または１１６、あるいは任意の他の項目に記載の太陽エネルギーシステムの電力管理方法。
（項目１３８）
太陽電池パネル切断を低発電制御する上記ステップは、間接日射電力を利用するステップを含む、項目１３７または任意の他の項目に記載の太陽エネルギーシステムの電力管理方法。
（項目１３９）
太陽電池パネル切断を制御する低発電を提供する上記ステップは、変換前の太陽電池パネル電力を利用するステップを含む、項目１３７または任意の他の項目に記載の太陽エネルギーシステムの電力管理方法。
（項目１４０）
２次太陽電池パネル切断制御を操作するステップをさらに含む、項目９５、９６、９７、９９、または１１６、あるいは任意の他の項目に記載の太陽エネルギーシステムの電力管理方法。
（項目１４１）
２次太陽電池パネル切断制御を操作する上記ステップは、独立した２次太陽電池パネル切断制御を操作するステップを含む、項目１４０または任意の他の項目に記載の太陽エネルギーシステムの電力管理方法。
（項目１４２）
独立した２次太陽電池パネル切断制御を操作する上記ステップは、無線伝送フェールセーフ太陽電池パネル切断制御を操作するステップを含む、項目１４１または任意の他の項目に記載の太陽エネルギーシステムの電力管理方法。
（項目１４３）
ＤＣ光起電力出力を有する、少なくとも１つの太陽電池パネルを提供するステップと、
該少なくとも１つの太陽電池パネルに対する該ＤＣ光起電力出力を完全に個別に切断するステップと
を含む、太陽エネルギーシステムの電力管理方法。
（項目１４４）
少なくとも１つの太陽電池パネルを提供する上記ステップは、少なくとも１つである複数の太陽電池パネルを提供するステップを含み、該少なくとも１つである複数の太陽電池パネルに対するパネル専用の最大光起電力点において個別に発電するステップをさらに含む、項目１４３または任意の他の項目に記載の太陽エネルギーシステムの電力管理方法。
（項目１４５）
発電するために複数の太陽電池パネルに対応する電気直列を利用するステップをさらに含む、項目１４３または任意の他の項目に記載の太陽エネルギーシステムの電力管理方法。
（項目１４６）
発電するために複数の太陽電池パネルに対応する電気直列を利用する上記ステップは、発電するために複数の直列に接続された光起電力ＤＣ−ＤＣ電力変換器を利用するステップを含む、項目１４５または任意の他の項目に記載の太陽エネルギーシステムの電力管理方法。
（項目１４７）
パネル専用の最大光起電力点において個別に発電するステップをさらに含む、項目１４６または任意の他の項目に記載の太陽エネルギーシステムの電力管理方法。
（項目１４８）
上記ＤＣ光起電力出力を完全に個別に切断する上記ステップは、名目上開放した個別太陽電池パネル出力ＤＣ切断を操作するステップを含む、項目１４３または任意の他の項目に記載の太陽エネルギーシステムの電力管理方法。
（項目１４９）
少なくとも１つの太陽電池パネル切断を個別パネル制御するステップをさらに含む、項目１４３または任意の他の項目に記載の太陽エネルギーシステムの電力管理方法。
（項目１５０）
少なくとも１つの太陽電池パネル切断を個別パネル制御する上記ステップは、選択された既定位置の太陽電池パネル切断を制御するステップを含む、項目１４９または任意の他の項目に記載の太陽エネルギーシステムの電力管理方法。
（項目１５１）
選択された既定位置の太陽電池パネル切断を制御する上記ステップは、開放既定位置の太陽電池パネル切断を制御するステップを含む、項目１５０または任意の他の項目に記載の太陽エネルギーシステムの電力管理方法。
（項目１５２）
太陽電池パネル切断の位置を独立して確認するステップをさらに含む、項目１４３または任意の他の項目に記載の太陽エネルギーシステムの電力管理方法。
（項目１５３）
太陽電池パネル切断の位置を独立して認証するステップをさらに含む、項目１５２または任意の他の項目に記載の太陽エネルギーシステムの電力管理方法。
（項目１５４）
少なくとも１つの太陽電池パネル切断を個別パネル制御する上記ステップは、複数の太陽電池パネル切断の個別動作を遠隔で制御するステップを含む、項目１４９または任意の他の項目に記載の太陽エネルギーシステムの電力管理方法。
（項目１５５）
複数の太陽電池パネル切断の個別動作を遠隔で制御する上記ステップは、複数の太陽電池パネル切断の動作を無線制御するステップを含む、項目５４または任意の他の項目に記載の太陽エネルギーシステムの電力管理方法。
（項目１５６）
上記ＤＣ光起電力出力を完全に個別に切断する上記ステップは、個別太陽電池パネルトランジスタを制御するステップを含む、項目１４３または任意の他の項目に記載の太陽エネルギーシステムの電力管理方法。
（項目１５７）
個別太陽電池パネルトランジスタを制御する上記ステップは、少なくとも１つの個別太陽電池パネル変換器を切り替えるステップを含む、項目１５６または任意の他の項目に記載の太陽エネルギーシステムの電力管理方法。
（項目１５８）
少なくとも１つの個別太陽電池パネル変換器を切り替える上記ステップは、少なくとも１つの個別太陽電池パネル変換器を動作不可能にするステップを含む、項目１５７または任意の他の項目に記載の太陽エネルギーシステムの電力管理方法。
（項目１５９）
少なくとも１つの個別太陽電池パネル変換器を動作不可能にする上記ステップは、並列変換器スイッチを操作するステップを含む、項目１５７または任意の他の項目に記載の太陽エネルギーシステムの電力管理方法。
（項目１６０）
少なくとも１つの個別太陽電池パネル変換器を切り替える上記ステップは、複数の太陽電池パネル変換器を全体的にゲート制御するステップを含む、項目１６１または任意の他の項目に記載の太陽エネルギーシステムの電力管理方法。
（項目１６１）
ＤＣ光起電力出力を各々が有する、少なくとも１つである複数の太陽エネルギー源を確立するステップと、
起電力結合回路において該複数の太陽エネルギー源からの該複数のＤＣ光起電力出力を電気的に組み合わせることにより、相当量の太陽エネルギー電力出力を支援する、光ステップと、
該光起電力結合回路から電気的に切断される、該ＤＣ光起電力出力の少なくとも一部分を確立するステップと、
該複数の太陽エネルギー源に日射を受けさせるステップと、
該光起電力結合回路に該ＤＣ光起電力出力の少なくとも一部分を連続して電気的に接続するステップと、
該光起電力結合回路への実質的に満杯の太陽エネルギー源の光起電力入力を引き起こすステップと、
発電するように、上記光起電力結合回路を介した上記実質的に満杯の太陽エネルギー源の光起電力入力によって、相当量の太陽エネルギー電力出力を支援するステップと、
を含む、太陽エネルギーシステムの起動方法。
（項目１６２）
上記光起電力結合回路から電気的に切断される、上記ＤＣ光起電力出力の少なくとも一部分を確立する上記ステップは、該ＤＣ光起電力出力の少なくとも一部分に対する開放スイッチ状態に既定値を設定するステップを備える、項目１６１または任意の他の項目に記載の太陽エネルギーシステムの起動方法。
（項目１６３）
上記光起電力結合回路に上記ＤＣ光起電力出力の少なくとも一部分を連続して電気的に接続する上記ステップは、該光起電力結合回路に対する少なくとも１つの電気パラメータを電気的に徐々に増加させるステップを含む、項目１６１または任意の他の項目に記載の太陽エネルギーシステムの起動方法。
（項目１６４）
上記光起電力結合回路に対する少なくとも１つの電気パラメータを電気的に徐々に増加させる上記ステップは、太陽電池パネル列の電圧、太陽電池パネル列の電流、太陽電池パネル列の電力、太陽電池パネルインバータの入力電圧、太陽電池パネルインバータの入力電流、太陽電池パネルインバータの入力電力、太陽電池パネルの電圧、太陽電池パネルの電流、および太陽電池パネルの電力から成る群より選択される、電気パラメータを電気的に徐々に増加させるステップを含む、項目１６３または任意の他の項目に記載の太陽エネルギーシステムの起動方法。
（項目１６５）
発電するために複数の太陽電池パネルに対応する電気直列を利用するステップをさらに含む、項目１６１または１６３、あるいは任意の他の項目に記載の太陽エネルギーシステムの起動方法。
（項目１６６）
発電するために複数の太陽電池パネルに対応する電気直列を利用する上記ステップは、発電するために複数の直列に接続された光起電力ＤＣ−ＤＣ電力変換器を利用するステップを含む、項目１６５または任意の他の項目に記載の太陽エネルギーシステムの起動方法。
（項目１６７）
パネル専用の最大光起電力点において個別に発電するステップをさらに含む、項目１６３または１６６、あるいは任意の他の項目に記載の太陽エネルギーシステムの起動方法。
（項目１６８）
上記光起電力結合回路に上記ＤＣ光起電力出力の少なくとも一部分を連続して電気的に接続する上記ステップは、該光起電力結合回路における複数の太陽電池パネルの動作を連続して制御するステップを含む、項目１６１または１６５、あるいは任意の他の項目に記載の太陽エネルギーシステムの起動方法。
（項目１６９）
上記光起電力結合回路における複数の太陽電池パネルの動作を連続して制御する上記ステップは、該光起電力結合回路における複数の太陽電池パネルの動作を遠隔で制御するステップを含む、項目１６８または任意の他の項目に記載の太陽エネルギーシステムの起動方法。
（項目１７０）
上記光起電力結合回路における複数の太陽電池パネルの動作を遠隔で制御する上記ステップは、該光起電力結合回路における複数の太陽電池パネルの動作を無線制御するステップを含む、項目１６９または任意の他の項目に記載の太陽エネルギーシステムの起動方法。
（項目１７１）
上記光起電力結合回路に上記ＤＣ光起電力出力の少なくとも一部分を連続して電気的に接続する上記ステップは、該光起電力結合回路における複数の太陽電池パネルの電気的動作を変更可能に制御するステップを含む、項目１６５または任意の他の項目に記載の太陽エネルギーシステムの起動方法。
（項目１７２）
上記光起電力結合回路における複数の太陽電池パネルの電気的動作を変更可能に制御する上記ステップは、該光起電力結合回路における複数の太陽電池パネルの電気的動作をプログラム可能に制御するステップを含む、項目１７１または任意の他の項目に記載の太陽エネルギーシステムの起動方法。
（項目１７３）
上記光起電力結合回路における複数の太陽電池パネルの電気的動作をプログラム可能に制御する上記ステップは、該光起電力結合回路における複数の太陽電池パネルの電気的動作を条件依存的に制御するステップを含む、項目１７２または任意の他の項目に記載の太陽エネルギーシステムの起動方法。
（項目１７４）
上記光起電力結合回路における複数の太陽電池パネルの電気的動作を条件依存的に制御する上記ステップは、パネルの切断された出力条件、日射条件、電気的条件、および過渡条件から成る群より選択される、少なくとも１つの条件に基づいて、複数の太陽電池パネルの電気的動作を条件依存的に制御するステップを含む、項目１７３または任意の他の項目に記載の太陽エネルギーシステムの起動方法。
（項目１７５）
上記光起電力結合回路に上記ＤＣ光起電力出力の少なくとも一部分を連続して電気的に接続する上記ステップは、該光起電力結合回路に上記ＤＣ光起電力出力の少なくとも一部分を１つずつ電気的に接続するステップを含む、項目１６１または任意の他の項目に記載の太陽エネルギーシステムの起動方法。
（項目１７６）
上記光起電力結合回路に上記ＤＣ光起電力出力の少なくとも一部分を１つずつ電気的に接続する上記ステップは、該光起電力結合回路に上記ＤＣ光起電力出力の少なくとも一部分を順番に電気的に接続するステップを含む、項目１７１または任意の他の項目に記載の太陽エネルギーシステムの起動方法。
（項目１７７）
上記光起電力結合回路に上記ＤＣ光起電力出力の少なくとも一部分を順番に電気的に接続する上記ステップは、該光起電力結合回路に該ＤＣ光起電力出力の少なくとも一部分を列間で接続するステップを含む、項目１７１または任意の他の項目に記載の太陽エネルギーシステムの起動方法。
（項目１７８）
上記光起電力結合回路に上記ＤＣ光起電力出力の少なくとも一部分を順番に電気的に接続する上記ステップは、該光起電力結合回路に該ＤＣ光起電力出力の少なくとも一部分を列内で接続するステップを含む、項目１７７または任意の他の項目に記載の太陽エネルギーシステムの起動方法。
（項目１７９）
ＤＣ光起電力出力を各々が有する、少なくとも１つである複数の太陽エネルギー源を確立するステップと、
光起電力結合回路に該ＤＣ光起電力出力の少なくとも一部分を連続して電気的に接続するステップと、
該光起電力結合回路から相当量の太陽エネルギー電力出力を生成するステップと
を含む、太陽エネルギーシステムの起動方法。
（項目１８０）
光起電力結合回路に上記ＤＣ光起電力出力の少なくとも一部分を連続して電気的に接続する上記ステップは、該光起電力結合回路に対する少なくとも１つの電気パラメータを電気的に徐々に増加させるステップを含む、項目１７９または任意の他の項目に記載の太陽エネルギーシステムの起動方法。
（項目１８１）
上記光起電力結合回路に対する少なくとも１つの電気パラメータを電気的に徐々に増加させる上記ステップは、太陽電池パネル列の電圧、太陽電池パネル列の電流、太陽電池パネル列の電力、太陽電池パネルインバータの入力電圧、太陽電池パネルインバータの入力電流、太陽電池パネルインバータの入力電力、太陽電池パネルの電圧、太陽電池パネルの電流、および太陽電池パネルの電力から成る群より選択される、電気パラメータを電気的に徐々に増加させるステップを含む、項目１８０または任意の他の項目に記載の太陽エネルギーシステムの起動方法。
（項目１８２）
発電するために複数の太陽電池パネルに対応する電気直列を利用するステップをさらに含む、項目１７９または１８０、あるいは任意の他の項目に記載の太陽エネルギーシステムの起動方法。
（項目１８３）
発電するために複数の太陽電池パネルに対応する電気直列を利用する上記ステップは、発電するために複数の直列に接続された光起電力ＤＣ−ＤＣ電力変換器を利用するステップを含む、項目１８２または任意の他の項目に記載の太陽エネルギーシステムの起動方法。
（項目１８４）
パネル専用の最大光起電力点において個別に発電するステップをさらに含む、項目１８０または１８３、あるいは任意の他の項目に記載の太陽エネルギーシステムの起動方法。
（項目１８５）
上記光起電力結合回路における複数の太陽電池パネルの動作を連続して制御する上記ステップは、該光起電力結合回路における複数の太陽電池パネルの動作を遠隔で制御するステップを含む、項目１８０または任意の他の項目に記載の太陽エネルギーシステムの起動方法。
（項目１８６）
上記光起電力結合回路における複数の太陽電池パネルの動作を遠隔で制御する上記ステップは、該光起電力結合回路における複数の太陽電池パネルの動作を無線制御するステップを含む、項目１８５または任意の他の項目に記載の太陽エネルギーシステムの起動方法。
（項目１８７）
上記光起電力結合回路に上記ＤＣ光起電力出力の少なくとも一部分を連続して電気的に接続する上記ステップは、該光起電力結合回路における複数の太陽電池パネルの電気的動作を変更可能に制御するステップを含む、項目１８２または任意の他の項目に記載の太陽エネルギーシステムの起動方法。
（項目１８８）
上記光起電力結合回路における複数の太陽電池パネルの電気的動作を変更可能に制御する上記ステップは、該光起電力結合回路における複数の太陽電池パネルの電気的動作をプログラム可能に制御するステップを含む、項目１８７または任意の他の項目に記載の太陽エネルギーシステムの起動方法。
（項目１８９）
上記光起電力結合回路における複数の太陽電池パネルの電気的動作をプログラム可能に制御する上記ステップは、該光起電力結合回路における複数の太陽電池パネルの電気的動作を条件依存的に制御するステップを含む、項目１８８または任意の他の項目に記載の太陽エネルギーシステムの起動方法。
（項目１９０）
上記光起電力結合回路における複数の太陽電池パネルの電気的動作を条件依存的に制御する上記ステップは、パネルの切断された出力条件、日射条件、電気的条件、および過渡条件から成る群より選択される、少なくとも１つの条件に基づいて、複数の太陽電池パネルの電気的動作を条件依存的に制御するステップを含む、項目１８９または任意の他の項目に記載の太陽エネルギーシステムの起動方法。
（項目１９１）
ＤＣ光起電力出力を各々が有する、少なくとも１つである複数の太陽エネルギー源と、
該複数のＤＣ光起電力出力のうちの少なくとも１つに対応する、光起電力結合回路と、
該光起電力結合回路が対応する、電気的連続太陽エネルギー源接続制御と
を備える、起動保護された太陽エネルギーシステム。
（項目１９２）
開放既定位置の太陽電池パネル切断制御をさらに備える、項目１９１または任意の他の項目に記載の起動保護された太陽エネルギーシステム。
（項目１９３）
上記電気的連続太陽エネルギー源接続制御は、電気パラメータ漸増太陽エネルギー源接続制御を備える、項目１９１または任意の他の項目に記載の起動保護された太陽エネルギーシステム。
（項目１９４）
上記電気パラメータ漸増太陽エネルギー源接続制御は、
太陽電池パネル列の電圧と、
太陽電池パネル列の電流と、
太陽電池パネル列の電力と、
太陽電池パネルインバータの入力電圧と、
太陽電池パネルインバータの入力電流と、
太陽電池パネルインバータの入力電力と、
太陽電池パネルの電圧と、
太陽電池パネルの電流と、
太陽電池パネルの電力と
から成る群より選択される、電気パラメータを徐々に増加させる、項目１９３または任意の他の項目に記載の起動保護された太陽エネルギーシステム。
（項目１９５）
ＤＣ−ＤＣ変換された太陽電池パネル出力に対応する、少なくとも１列の電気直列を備える、項目１９１または１９３、あるいは任意の他の項目に記載の起動保護された太陽エネルギーシステム。
（項目１９６）
ＤＣ−ＤＣ変換された太陽電池パネル出力に対応する、上記少なくとも１列の電気直列は、複数の直列に接続された光起電力ＤＣ−ＤＣ電力変換器を備える、項目１９５または任意の他の項目に記載の起動保護された太陽エネルギーシステム。
（項目１９７）
複数の個別パネル専用の最大光起電力点変換器機能制御をさらに備える、項目１９３または１９６、あるいは任意の他の項目に記載の起動保護された太陽エネルギーシステム。
（項目１９８）
上記電気的連続太陽エネルギー源接続制御は、電気的に連続した複数の太陽電池パネルの接続制御を備える、項目１９１または１９５、あるいは任意の他の項目に記載の起動保護された太陽エネルギーシステム。
（項目１９９）
上記電気的に連続した複数の太陽電池パネルの接続制御は、遠隔連続太陽電池パネル接続制御を備える、項目１９８または任意の他の項目に記載の起動保護された太陽エネルギーシステム。
（項目２００）
上記遠隔連続太陽電池パネル接続制御は、無線伝送連続太陽電池パネル接続制御を備える、項目１９９または任意の他の項目に記載の起動保護された太陽エネルギーシステム。
（項目２０１）
上記電気的連続太陽エネルギー源接続制御は、変更可能な電気的連続太陽エネルギー源接続制御を含む、項目１９５または任意の他の項目に記載の起動保護された太陽エネルギーシステム。
（項目２０２）
上記変更可能な電気的連続太陽エネルギー源接続制御は、プロブラム可能な太陽エネルギー源接続制御を備える、項目２０１または任意の他の項目に記載の起動保護された太陽エネルギーシステム。
（項目２０３）
上記プロブラム可能な太陽エネルギー源接続制御は、条件依存的な太陽エネルギー源接続制御を備える、項目２０２または任意の他の項目に記載の起動保護された太陽エネルギーシステム。
（項目２０４）
上記条件依存的な太陽エネルギー源接続制御は、パネルの切断された出力条件、日射条件、電気的条件、および過渡条件から成る群より選択される、少なくとも１つの条件に基づく、条件依存的な太陽エネルギー源接続制御を備える、項目２０３または任意の他の項目に記載の起動保護された太陽エネルギーシステム。
（項目２０５）
上記電気的連続太陽エネルギー源接続制御は、１パネルずつの太陽エネルギー源接続制御を備える、項目１９１または任意の他の項目に記載の起動保護された太陽エネルギーシステム。
（項目２０６）
上記１パネルずつの太陽エネルギー源接続制御は、順序付けられた連続太陽エネルギー源接続制御を備える、項目２０１または任意の他の項目に記載の起動保護された太陽エネルギーシステム。
（項目２０７）
上記順序付けられた連続太陽エネルギー源接続制御は、列間連続太陽エネルギー源接続制御を備える、項目２０６または任意の他の項目に記載の起動保護された太陽エネルギーシステム。
（項目２０８）
上記順序付けられた連続太陽エネルギー源接続制御は、列内連続太陽エネルギー源接続制御を備える、項目２０７または任意の他の項目に記載の起動保護された太陽エネルギーシステム。
（項目２０９）
ＤＣ光起電力出力を各々が有する、少なくとも１つである複数の太陽エネルギー源と、
該少なくとも１つである複数の太陽エネルギー源が対応する、電気的連続太陽エネルギー源接続制御と
を備える、起動保護された太陽エネルギーシステム。
（項目２１０）
上記電気的連続太陽エネルギー源接続制御は、電気パラメータ漸増太陽エネルギー源接続制御を備える、項目２０９または任意の他の項目に記載の起動保護された太陽エネルギーシステム。
（項目２１１）
上記電気パラメータ漸増太陽エネルギー源接続制御は、
太陽電池パネル列の電圧と、
太陽電池パネル列の電流と、
太陽電池パネル列の電力と、
太陽電池パネルインバータの入力電圧と、
太陽電池パネルインバータの入力電流と、
太陽電池パネルインバータの入力電力と、
太陽電池パネルの電圧と、
太陽電池パネルの電流と、
太陽電池パネルの電力と
から成る群より選択される、電気パラメータを徐々に増加させる、項目２１０または任意の他の項目に記載の起動保護された太陽エネルギーシステム。
（項目２１２）
ＤＣ−ＤＣ変換された太陽電池パネル出力に対応する、少なくとも１列の電気直列を備える、項目２０９または２１０、あるいは任意の他の項目に記載の起動保護された太陽エネルギーシステム。
（項目２１３）
ＤＣ−ＤＣ変換された太陽電池パネル出力に対応する、上記少なくとも１列の電気直列は、複数の直列に接続された光起電力ＤＣ−ＤＣ電力変換器を備える、項目２１２または任意の他の項目に記載の起動保護された太陽エネルギーシステム。
（項目２１４）
複数の個別パネル専用の最大光起電力点変換器機能制御をさらに備える、項目２１０または２１３、あるいは任意の他の項目に記載の起動保護された太陽エネルギーシステム。
（項目２１５）
上記電気的連続太陽エネルギー源接続制御は、電気的に連続した複数の太陽電池パネル接続制御を備える、項目２０９または２１２、あるいは任意の他の項目に記載の起動保護された太陽エネルギーシステム。
（項目２１６）
上記電気的に連続した複数の太陽電池パネルの接続制御は、遠隔連続太陽電池パネル接続制御を備える、項目２１５または任意の他の項目に記載の起動保護された太陽エネルギーシステム。
（項目２１７）
上記遠隔連続太陽電池パネル接続制御は、無線伝送連続太陽電池パネル接続制御を備える、項目２１６または任意の他の項目に記載の起動保護された太陽エネルギーシステム。
（項目２１８）
上記プロブラム可能な太陽エネルギー源接続制御は、条件依存的な太陽エネルギー源接続制御を備える、項目２１６または任意の他の項目に記載の起動保護された太陽エネルギーシステム。
（項目２１９）
上記電気的連続太陽エネルギー源接続制御は、列間連続太陽エネルギー源接続制御を備える、項目２０９または任意の他の項目に記載の起動保護された太陽エネルギーシステム。
（項目２２０）
上記電気的連続太陽エネルギー源接続制御は、列内連続太陽エネルギー源接続制御を備える、項目２０９または任意の他の項目に記載の起動保護された太陽エネルギーシステム。
（項目２２１）
ＤＣ光起電力出力を各々が含む、少なくとも１つである複数の交換可能なＤＣ光起電安全出力条件の太陽エネルギー源を提供するステップと、
光起電力結合回路において該複数の太陽エネルギー源からの該複数のＤＣ光起電力出力を電気的に組み合わせるステップと、
第１のＤＣ光起電安全出力条件から第２のＤＣ光起電安全出力へ、該交換可能なＤＣ光起電安全出力条件の太陽エネルギー源のうちの少なくとも１つを電気的に遷移させるステップと
を含む、太陽エネルギーシステムの電力確保の取り扱い方法。
（項目２２２）
上記交換可能なＤＣ光起電安全出力条件は、安全出力動作可能条件および安全出力遮断条件から成る群より選択される、交換可能な安全出力条件を備える、項目２２１または任意の他の項目に記載の太陽エネルギーシステムの電力確保の取り扱い方法。
（項目２２３）
上記複数の太陽エネルギー源に日射を受けさせるステップと、
該日射に応じて、上記複数のＤＣ光起電力出力から太陽エネルギー電力を生成するステップと、
上記複数の太陽電池パネル出力のうちの少なくとも１つを独立して電気的に切断するステップと
をさらに含む、項目２２２または任意の他の項目に記載の太陽エネルギーシステムの電力確保の取り扱い方法。
（項目２２４）
安全に動作可能な条件で上記複数の太陽エネルギー源を再確立するステップと、
その後、日射に応じて、上記複数のＤＣ光起電力出力から太陽エネルギー電力を生成するステップと
をさらに含む、項目２２３または任意の他の項目に記載の太陽エネルギーシステムの電力確保の取り扱い方法。
（項目２２５）
安全に動作可能な条件で上記太陽エネルギー源のうちの少なくとも１つを再確立するステップをさらに含む、項目２２２または任意の他の項目に記載の太陽エネルギーシステムの電力確保の取り扱い方法。
（項目２２６）
上記日射に応じて、上記複数のＤＣ光起電力出力から太陽エネルギー電力を生成するステップをさらに含む、項目２２５または任意の他の項目に記載の太陽エネルギーシステムの電力確保の取り扱い方法。
（項目２２７）
上記太陽エネルギーシステム内のある点において、電気的に反対の太陽光電力条件を感知するステップをさらに含む、項目２２１または任意の他の項目に記載の太陽エネルギーシステムの電力確保の取り扱い方法。
（項目２２８）
上記太陽エネルギーシステム内のある点において、電気的に反対の太陽光電力条件を感知する上記ステップに応じて、上記複数の太陽電池パネル出力のうちの少なくとも１つを電気的に切断するステップをさらに備える、項目２２７または任意の他の項目に記載の太陽エネルギーシステムの電力確保の取り扱い方法。
（項目２２９）
第１のＤＣ光起電安全出力条件から第２のＤＣ光起電安全出力へ、上記交換可能なＤＣ光起電安全出力条件の太陽エネルギー源のうちの少なくとも１つを電気的に遷移させる上記ステップを、遠隔で制御するステップをさらに備える、項目２２２または２２７、あるいは任意の他の項目に記載の太陽エネルギーシステムの電力確保の取り扱い方法。
（項目２３０）
上記太陽エネルギーシステム内のある点において、電気的に反対の太陽光電力条件を感知するステップは、該太陽エネルギーシステム内の接地太陽光電力条件を感知するステップを含む、項目２２７、２２８、または２２９、あるいは任意の他の項目に記載の太陽エネルギーシステムの電力確保の取り扱い方法。
（項目２３１）
安全出力遮断条件から安全出力動作可能条件への遷移を冗長的に命令するステップをさらに含む、項目２２２、２２７、または２２９、あるいは任意の他の項目に記載の太陽エネルギーシステムの電力確保の取り扱い方法。
（項目２３２）
安全出力遮断条件から安全出力動作可能条件への遷移を安全に命令するステップをさらに含む、項目２２２、２２７、２２９、または２３１、あるいは任意の他の項目に記載の太陽エネルギーシステムの電力確保の取り扱い方法。
（項目２３３）
上記光起電力結合回路からの上記複数の太陽電池パネル出力のうちの少なくとも１つを独立して電気的に切断する上記ステップは、該光起電力結合回路からの該複数のＤＣ太陽電池パネル出力のうちの少なくとも１つを独立して電気的にＤＣ切断するステップを含む、項目２２１または任意の他の項目に記載の太陽エネルギーシステムの電力確保の取り扱い方法。
（項目２３４）
上記光起電力結合回路からの上記複数のＤＣ太陽電池パネル出力のうちの少なくとも１つを独立して電気的にＤＣ切断するステップをさらに含む、項目２３３または任意の他の項目に記載の太陽エネルギーシステムの電力確保の取り扱い方法。
（項目２３５）
少なくとも１つである複数の太陽エネルギー源を確立する上記ステップは、少なくとも１つである複数の太陽電池パネルを確立するステップを含み、パネル専用の最大光起電力点において個別に発電するステップをさらに含む、項目２２１または任意の他の項目に記載の太陽エネルギーシステムの電力確保の取り扱い方法。
（項目２３６）
上記日射に応じて、上記複数のＤＣ光起電力出力から太陽エネルギー電力を生成する上記ステップは、発電するために、複数の太陽電池パネルに対応する電気直列を利用するステップを含む、項目２２１または任意の他の項目に記載の太陽エネルギーシステムの電力確保の取り扱い方法。
（項目２３７）
発電するために複数の太陽電池パネルに対応する電気直列を利用する上記ステップは、発電するために複数の直列に接続された光起電力ＤＣ−ＤＣ電力変換器を利用するステップを含む、項目２３６または任意の他の項目に記載の太陽エネルギーシステムの電力確保の取り扱い方法。
（項目２３８）
パネル専用の最大光起電力点において個別に発電するステップをさらに含む、項目２３７または任意の他の項目に記載の太陽エネルギーシステムの電力確保の取り扱い方法。
（項目２３９）
第１のＤＣ光起電安全出力条件から第２のＤＣ光起電安全出力へ、上記交換可能なＤＣ光起電安全出力条件の太陽エネルギー源のうちの少なくとも１つを電気的に遷移させる上記ステップは、複数の太陽電池パネル出力のうちの少なくとも１つのＤＣ出力を独立して切り替えるステップを含む、項目２２１または任意の他の項目に記載の太陽エネルギーシステムの電力確保の取り扱い方法。
（項目２４０）
ＤＣ光起電力出力を個別パネルがＤＣ変換するステップをさらに含み、上記光起電力結合回路からの上記複数の太陽電池パネル出力のうちの少なくとも１つを独立して電気的に切断する上記ステップは、ＤＣ光起電力出力を個別パネルがＤＣ変換する上記ステップを独立して電気的に中断するステップを含む、項目２２１または任意の他の項目に記載の太陽エネルギーシステムの電力確保の取り扱い方法。
（項目２４１）
ＤＣ光起電力出力を個別パネルがＤＣ−ＡＣ転換させるステップをさらに含み、上記光起電力結合回路からの上記複数の太陽電池パネル出力のうちの少なくとも１つを独立して電気的に切断する上記ステップは、ＤＣ光起電力出力を個別パネルがＤＣ−ＡＣ転換させる該ステップを独立して電気的に中断するステップを含む、項目２２１または任意の他の項目に記載の太陽エネルギーシステムの電力確保の取り扱い方法。
（項目２４２）
上記太陽エネルギーシステム内のある点において、電気的に反対の太陽光電力条件を感知する上記ステップは、該太陽エネルギーシステムに対する電気的に反対の太陽光電力条件を個別にパネル感知するステップを含む、項目２２７または任意の他の項目に記載の太陽エネルギーシステムの電力確保の取り扱い方法。
（項目２４３）
上記太陽エネルギーシステム内のある点において、電気的に反対の太陽光電力条件を感知する上記ステップは、該太陽エネルギーシステム内の高電流条件を感知するステップを含む、項目２２７または２４２、あるいは任意の他の項目に記載の太陽エネルギーシステムの電力確保の取り扱い方法。
（項目２４４）
上記太陽エネルギーシステム内のある点において、電気的に反対の太陽光電力条件を感知する上記ステップは、該太陽エネルギーシステム内の高電圧条件を感知するステップを含む、項目２２７または２４２、あるいは任意の他の項目に記載の太陽エネルギーシステムの電力確保の取り扱い方法。
（項目２４５）
第１のＤＣ光起電安全出力条件から第２のＤＣ光起電安全出力へ、上記交換可能なＤＣ光起電安全出力条件の太陽エネルギー源のうちの少なくとも１つを電気的に遷移させる上記ステップは、該太陽エネルギーシステム内のアーク条件を遮断するステップを含む、項目２２１または２４４、あるいは任意の他の項目に記載の太陽エネルギーシステムの電力確保の取り扱い方法。
（項目２４６）
第１のＤＣ光起電安全出力条件から第２のＤＣ光起電安全出力へ、上記交換可能なＤＣ光起電安全出力条件の太陽エネルギー源のうちの少なくとも１つを電気的に遷移させる上記ステップは、該太陽エネルギーシステム内の電界効果トランジスタ切替を制御するステップを含む、項目２２１または任意の他の項目に記載の太陽エネルギーシステムの電力確保の取り扱い方法。
（項目２４７）
上記太陽エネルギーシステム内の電界効果トランジスタ切替を制御する上記ステップは、該太陽エネルギーシステム内の個別パネルＤＣ−ＤＣ変換器トランジスタ切替を制御するステップを含む、項目２４６または任意の他の項目に記載の太陽エネルギーシステムの電力確保の取り扱い方法。
（項目２４８）
上記太陽エネルギーシステム内の個別パネルＤＣ−ＤＣ変換器トランジスタ切替を制御する上記ステップは、上記太陽エネルギーシステム内の動作不能ＤＣ−ＤＣ変換器トランジスタの切替のステップを含む、項目２４７または任意の他の項目に記載の太陽エネルギーシステムの電力確保の取り扱い方法。
（項目２４９）
動作不能ＤＣ−ＤＣ変換器トランジスタの切替のステップは、ＤＣ−ＤＣ変換器全トランジスタの切替のステップを含む、項目２４７または任意の他の項目に記載の太陽エネルギーシステムの電力確保の取り扱い方法。
（項目２５０）
交換可能なＤＣ光起電安全出力条件を有する、少なくとも１つの太陽エネルギー源を提供するステップと、
第１のＤＣ光起電安全出力条件から第２のＤＣ光起電安全出力へ、該交換可能なＤＣ光起電安全出力条件を遷移させるステップと
を含む、太陽エネルギーシステムの電力確保の取り扱い方法。
（項目２５１）
上記交換可能なＤＣ光起電安全出力条件は、安全出力動作可能条件および安全出力遮断条件から成る群より選択される、交換可能な安全出力条件を備える、項目２５０または任意の他の項目に記載の太陽エネルギーシステムの電力確保の取り扱い方法。
（項目２５２）
上記太陽エネルギーシステム内のある点において、電気的に反対の太陽光電力条件を感知するステップをさらに含む、項目２５０または任意の他の項目に記載の太陽エネルギーシステムの電力確保の取り扱い方法。
（項目２５３）
上記太陽エネルギーシステム内のある点において、電気的に反対の太陽光電力条件を感知する上記ステップに応じて、上記複数の太陽電池パネル出力のうちの少なくとも１つを電気的に切断するステップをさらに備える、項目２５２または任意の他の項目に記載の太陽エネルギーシステムの電力確保の取り扱い方法。
（項目２５４）
第１のＤＣ光起電安全出力条件から第２のＤＣ光起電安全出力へ、上記交換可能なＤＣ光起電安全出力条件の太陽エネルギー源のうちの少なくとも１つを電気的に遷移させる上記ステップを、遠隔で制御するステップをさらに備える、項目２５１または２５２、あるいは任意の他の項目に記載の太陽エネルギーシステムの電力確保の取り扱い方法。
（項目２５５）
上記太陽エネルギーシステム内のある点において、電気的に反対の太陽光電力条件を感知するステップは、該太陽エネルギーシステム内の接地太陽光電力条件を感知するステップを含む、項目２５２、２５３、または２５４、あるいは任意の他の項目に記載の太陽エネルギーシステムの電力確保の取り扱い方法。
（項目２５６）
安全出力遮断条件から安全出力動作可能条件への遷移を冗長的に命令するステップをさらに含む、項目２５１、２５２、または２５４、あるいは任意の他の項目に記載の太陽エネルギーシステムの電力確保の取り扱い方法。
（項目２５７）
安全出力遮断条件から安全出力動作可能条件への遷移を安全に命令するステップをさらに含む、項目２５１、２５２、２５４、または２５６、あるいは任意の他の項目に記載の太陽エネルギーシステムの電力確保の取り扱い方法。
（項目２５８）
上記光起電力結合回路からの上記複数の太陽電池パネル出力のうちの少なくとも１つを独立して電気的に切断する上記ステップは、該光起電力結合回路からの該複数のＤＣ太陽電池パネル出力のうちの少なくとも１つを独立して電気的にＤＣ切断するステップを含む、項目２５０または任意の他の項目に記載の太陽エネルギーシステムの電力確保の取り扱い方法。
（項目２５９）
少なくとも１つである複数の太陽エネルギー源を確立する上記ステップは、少なくとも１つである複数の太陽電池パネルを確立するステップを含み、パネル専用の最大光起電力点において個別に発電するステップをさらに含む、項目２５０または任意の他の項目に記載の太陽エネルギーシステムの電力確保の取り扱い方法。
（項目２６０）
発電するために複数の太陽電池パネルに対応する電気直列を利用するステップをさらに含む、項目２５０または任意の他の項目に記載の太陽エネルギーシステムの電力確保の取り扱い方法。
（項目２６１）
発電するために複数の太陽電池パネルに対応する電気直列を利用する上記ステップは、発電するために複数の直列に接続された光起電力ＤＣ−ＤＣ電力変換器を利用するステップを含む、項目２６０または任意の他の項目に記載の太陽エネルギーシステムの電力確保の取り扱い方法。
（項目２６２）
パネル専用の最大光起電力点において個別に発電するステップをさらに含む、項目２６１または任意の他の項目に記載の太陽エネルギーシステムの電力確保の取り扱い方法。
（項目２６３）
交換可能なＤＣ光起電安全出力条件を有する、少なくとも１つの太陽エネルギー源を提供するステップと、
第１のＤＣ光起電安全出力条件から第２のＤＣ光起電安全出力へ、該交換可能なＤＣ光起電安全出力条件を遷移させるステップと
を含む、太陽エネルギーシステムの電力確保の取り扱い方法。
（項目２６４）
第１のＤＣ光起電安全出力条件から第２のＤＣ光起電安全出力へ、上記交換可能なＤＣ光起電安全出力条件を遷移させる上記ステップは、複数の太陽電池パネル出力のうちの少なくとも１つのＤＣ出力を独立して切り替えるステップを含む、項目２５０または任意の他の項目に記載の太陽エネルギーシステムの電力確保の取り扱い方法。
（項目２６５）
上記太陽エネルギーシステム内のある点において、電気的に反対の太陽光電力条件を感知する上記ステップは、該太陽エネルギーシステムに対する電気的に反対の太陽光電力条件を個別にパネル感知するステップを含む、項目２５０または任意の他の項目に記載の太陽エネルギーシステムの電力確保の取り扱い方法。
（項目２６６）
上記太陽エネルギーシステム内のある点において、電気的に反対の太陽光電力条件を感知する上記ステップは、該太陽エネルギーシステム内の高電流条件を感知するステップを含む、項目２５０または２６５、あるいは任意の他の項目に記載の太陽エネルギーシステムの電力確保の取り扱い方法。
（項目２６７）
上記太陽エネルギーシステム内のある点において、電気的に反対の太陽光電力条件を感知する上記ステップは、該太陽エネルギーシステム内の高電圧条件を感知するステップを含む、項目２５０または２６５、あるいは任意の他の項目に記載の太陽エネルギーシステムの電力確保の取り扱い方法。
（項目２６８）
第１のＤＣ光起電安全出力条件から第２のＤＣ光起電安全出力へ、上記交換可能なＤＣ光起電安全出力条件の太陽エネルギー源のうちの少なくとも１つを電気的に遷移させる上記ステップは、上記太陽エネルギーシステム内のアーク条件を遮断するステップを含む、項目２５０または２６７、あるいは任意の他の項目に記載の太陽エネルギーシステムの電力確保の取り扱い方法。
（項目２６９）
第１のＤＣ光起電安全出力条件から第２のＤＣ光起電安全出力へ、上記交換可能なＤＣ光起電安全出力条件の太陽エネルギー源のうちの少なくとも１つを電気的に遷移させる上記ステップは、上記太陽エネルギーシステム内の電界効果トランジスタ切替を制御するステップを含む、項目２５０または任意の他の項目に記載の太陽エネルギーシステムの電力確保の取り扱い方法。
（項目２７０）
上記太陽エネルギーシステム内の電界効果トランジスタ切替を制御する上記ステップは、該太陽エネルギーシステム内の個別パネルＤＣ−ＤＣ変換器トランジスタ切替を制御するステップを含む、項目２６９または任意の他の項目に記載の太陽エネルギーシステムの電力確保の取り扱い方法。
（項目２７１）
少なくとも１つの交換可能なＤＣ光起電安全出力条件の太陽エネルギー源と、
該ＤＣ光起電安全出力条件が対応する、光起電力出力条件遷移コントローラと
を備える、電力確保太陽エネルギーシステム。
（項目２７２）
交換可能なＤＣ光起電安全出力条件を伴うＤＣ光起電力出力を有する、複数の交換可能なＤＣ光起電安全出力条件の太陽エネルギー源と、
各ＤＣ光起電安全出力条件が対応し、かつ第１のＤＣ光起電安全出力条件から第２のＤＣ光起電安全出力条件へ、該交換可能なＤＣ光起電安全出力条件を遷移させることが可能である、光起電安全出力条件遷移コントローラと、
該複数の交換可能なＤＣ光起電安全出力条件の太陽エネルギー源に対応する、光起電力結合回路と
を備える、電力確保太陽エネルギーシステム。
（項目２７３）
上記交換可能なＤＣ光起電安全出力条件は、安全出力動作可能条件および安全出力遮断条件から成る群より選択される、交換可能な安全出力条件を備える、項目２７２または任意の他の項目に記載の電力確保太陽エネルギーシステム。
（項目２７４）
複数の個別太陽電池パネル出力ＤＣ切断を備える、項目２７３または任意の他の項目に記載の電力確保太陽エネルギーシステム。
（項目２７５）
上記太陽エネルギーシステム内の少なくとも１つの電気的に反対の太陽光電力条件のセンサをさらに備える、項目２７６または任意の他の項目に記載の電力確保太陽エネルギーシステム。
（項目２７６）
上記光起電安全出力条件遷移コントローラは、上記少なくとも１つの電気的に反対の太陽光電力条件のセンサに対応する、項目２７５または任意の他の項目に記載の電力確保太陽エネルギーシステム。
（項目２７７）
上記光起電安全出力条件遷移コントローラが対応する、遠隔電力機能変更コントローラをさらに備える、項目２７３または２７５、あるいは任意の他の項目に記載の電力確保太陽エネルギーシステム。
（項目２７８）
上記電気的に反対の太陽光電力条件のセンサは、接地太陽光電力条件のセンサを備える、項目２７５、２７６、または２７７、あるいは任意の他の項目に記載の電力確保太陽エネルギーシステム。
（項目２７９）
冗長光起電安全出力条件遷移制御をさらに備える、項目２７３、２７５、または２７７、あるいは任意の他の項目に記載の電力確保太陽エネルギーシステム。
（項目２８０）
上記光起電安全出力条件遷移コントローラは、確実な光起電安全出力条件遷移コントローラを備える、項目２７３、２７７、２７５、または２７９、あるいは任意の他の項目に記載の電力確保太陽エネルギーシステム。
（項目２８１）
複数の個別太陽電池パネル出力ＤＣ切断をさらに備える、項目２７３または任意の他の項目に記載の電力確保太陽エネルギーシステム。
（項目２８２）
上記複数の個別太陽電池パネル出力ＤＣ切断は、複数の独立した個別太陽電池パネル出力ＤＣ切断を備える、項目２７２または任意の他の項目に記載の電力確保太陽エネルギーシステム。
（項目２８３）
遠隔安全出力条件レポータ要素をさらに備える、項目２８２または任意の他の項目に記載の電力確保太陽エネルギーシステム。
（項目２８４）
上記複数の交換可能なＤＣ光起電安全出力条件の太陽エネルギー源は、複数の交換可能なＤＣ光起電安全出力条件の太陽エネルギーパネルを備え、複数の個別パネル専用の最大光起電力点変換器機能制御回路をさらに備える、項目２７２または任意の他の項目に記載の電力確保太陽エネルギーシステム。
（項目２８５）
ＤＣ−ＤＣ変換された太陽電池パネル出力に対応する、少なくとも１列の電気直列をさらに備える、項目２７２または任意の他の項目に記載の電力確保太陽エネルギーシステム。
（項目２８６）
ＤＣ−ＤＣ変換された太陽電池パネル出力に対応する、上記少なくとも１列の電気直列は、複数の直列に接続された光起電力ＤＣ−ＤＣ電力変換器を備える、項目２８５または任意の他の項目に記載の電力確保太陽エネルギーシステム。
（項目２８７）
ＤＣ−ＤＣ変換された太陽電池パネル出力に対応する、上記少なくとも１列の電気直列はさらに、複数の個別パネル専用の最大光起電力点変換器機能制御を備える、項目２８６または任意の他の項目に記載の電力確保太陽エネルギーシステム。
（項目２８８）
上記光起電安全出力条件遷移コントローラは、パネルの独立光起電安全出力条件遷移コントローラを備える、項目２７２または任意の他の項目に記載の電力確保太陽エネルギーシステム。
（項目２８９）
上記光起電安全出力条件遷移コントローラは、光起電変換器出力条件遷移コントローラを備える、項目２７２または任意の他の項目に記載の電力確保太陽エネルギーシステム。
（項目２９０）
上記光起電安全出力条件遷移コントローラは、光起電インバータ出力条件遷移コントローラを備える、項目２７２または任意の他の項目に記載の電力確保太陽エネルギーシステム。
（項目２９１）
上記電気的に反対の太陽光電力条件のセンサは、複数の個別パネル太陽光電力条件のセンサを備える、項目２７５または任意の他の項目に記載の電力確保太陽エネルギーシステム。
（項目２９２）
上記電気的に反対の太陽光電力条件のセンサは、高電流太陽光電力条件のセンサを備える、項目２７５または２９１、あるいは任意の他の項目に記載の電力確保太陽エネルギーシステム。
（項目２９３）
上記電気的に反対の太陽光電力条件のセンサは、高電圧太陽光電力条件のセンサを備える、項目２７５または２９１、あるいは任意の他の項目に記載の電力確保太陽エネルギーシステム。
（項目２９４）
上記光起電安全出力条件遷移コントローラは、アーク遮断制御を備える、項目２７２または２９３、あるいは任意の他の項目に記載の電力確保太陽エネルギーシステム。
（項目２９５）
上記光起電安全出力条件遷移コントローラは、光起電安全出力電界効果トランジスタスイッチコントローラを備える、項目２７２または任意の他の項目に記載の電力確保太陽エネルギーシステム。
（項目２９６）
上記光起電安全出力電界効果トランジスタスイッチコントローラは、個別パネル光起電力ＤＣ−ＤＣ変換器電界効果トランジスタスイッチコントローラを備える、項目２９５または任意の他の項目に記載の電力確保太陽エネルギーシステム。
（項目２９７）
上記個別パネル光起電力ＤＣ−ＤＣ変換器電界効果トランジスタスイッチコントローラは、動作不能光起電力ＤＣ−ＤＣ変換器電界効果トランジスタスイッチコントローラを備える、項目２９６または任意の他の項目に記載の電力確保太陽エネルギーシステム。
（項目２９８）
少なくとも１つの交換可能なＤＣ光起電安全出力条件太陽エネルギー源と、
該ＤＣ光起電安全出力条件が対応する、光起電安全出力条件遷移コントローラと
を備える、電力確保太陽エネルギーシステム。
（項目２９９）
上記交換可能なＤＣ光起電安全出力条件は、安全出力動作可能条件および安全出力遮断条件から成る群より選択される、交換可能な安全出力条件を備える、項目２９８または任意の他の項目に記載の電力確保太陽エネルギーシステム。
（項目３００）
複数の個別太陽電池パネル出力ＤＣ切断をさらに備える、項目２９９または任意の他の項目に記載の電力確保太陽エネルギーシステム。
（項目３０１）
上記太陽エネルギーシステム内で、少なくとも１つの電気的に反対の太陽光電力条件のセンサをさらに備える、項目２９８または任意の他の項目に記載の電力確保太陽エネルギーシステム。
（項目３０２）
上記光起電安全出力条件遷移コントローラは、上記少なくとも１つの電気的に反対の太陽光電力条件のセンサに対応する、項目３０１または任意の他の項目に記載の電力確保太陽エネルギーシステム。
（項目３０３）
上記光起電安全出力条件遷移コントローラが対応する、遠隔電力機能変更コントローラをさらに備える、項目２９９または３０１、あるいは任意の他の項目に記載の電力確保太陽エネルギーシステム。
（項目３０４）
上記電気的に反対の太陽光電力条件のセンサは、接地太陽光電力条件のセンサを備える、項目３０１、３０２、または３０３、あるいは任意の他の項目に記載の電力確保太陽エネルギーシステム。
（項目３０５）
冗長光起電安全出力条件遷移制御をさらに備える、項目２９９、３０１、または３０３、あるいは任意の他の項目に記載の電力確保太陽エネルギーシステム。
（項目３０６）
上記光起電安全出力条件遷移コントローラは、確実な光起電安全出力条件遷移コントローラを備える、項目２９９、３０１、３０３、または３０５、あるいは任意の他の項目に記載の電力確保太陽エネルギーシステム。
（項目３０７）
複数の個別太陽電池パネル出力ＤＣ切断をさらに備える、項目２９９または任意の他の項目に記載の電力確保太陽エネルギーシステム。
（項目３０８）
上記複数の個別太陽電池パネル出力ＤＣ切断は、複数の独立した個別太陽電池パネル出力ＤＣ切断を備える、項目２９８または任意の他の項目に記載の電力確保太陽エネルギーシステム。
（項目３０９）
遠隔安全出力条件レポータ要素をさらに備える、項目３０８または任意の他の項目に記載の電力確保太陽エネルギーシステム。
（項目３１０）
上記複数の交換可能なＤＣ光起電安全出力条件の太陽エネルギー源は、複数の交換可能なＤＣ光起電安全出力条件の太陽エネルギーパネルを備え、複数の個別パネル専用の最大光起電力点変換器機能制御回路をさらに備える、項目２９８または任意の他の項目に記載の電力確保太陽エネルギーシステム。
（項目３１１）
ＤＣ−ＤＣ変換された太陽電池パネル出力に対応する、少なくとも１列の電気直列をさらに備える、項目２９８または任意の他の項目に記載の電力確保太陽エネルギーシステム。
（項目３１２）
ＤＣ−ＤＣ変換された太陽電池パネル出力に対応する、上記少なくとも１列の電気直列は、複数の直列に接続された光起電力ＤＣ−ＤＣ電力変換器を備える、項目３１１または任意の他の項目に記載の電力確保太陽エネルギーシステム。
（項目３１３）
ＤＣ−ＤＣ変換された太陽電池パネル出力に対応する、上記少なくとも１列の電気直列はさらに、複数の個別パネル専用の最大光起電力点変換器機能制御を備える、項目３１２または任意の他の項目に記載の電力確保太陽エネルギーシステム。
（項目３１４）
上記光起電安全出力条件遷移コントローラは、パネルの独立光起電安全出力条件遷移コントローラを備える、項目２９８または任意の他の項目に記載の電力確保太陽エネルギーシステム。
（項目３１５）
上記光起電安全出力条件遷移コントローラは、光起電変換器出力条件遷移コントローラを備える、項目２９８または任意の他の項目に記載の電力確保太陽エネルギーシステム。
（項目３１６）
上記光起電安全出力条件遷移コントローラは、光起電インバータ出力条件遷移コントローラを備える、項目２９８または任意の他の項目に記載の電力確保太陽エネルギーシステム。
（項目３１７）
上記電気的に反対の太陽光電力条件のセンサは、複数の個別パネル太陽光電力条件のセンサを備える、項目３０１または任意の他の項目に記載の電力確保太陽エネルギーシステム。
（項目３１８）
上記電気的に反対の太陽光電力条件のセンサは、高電流太陽光電力条件のセンサを備える、項目３０１または３１７、あるいは任意の他の項目に記載の電力確保太陽エネルギーシステム。
（項目３１９）
上記電気的に反対の太陽光電力条件のセンサは、高電圧太陽光電力条件のセンサを備える、項目３０１または３１７、あるいは任意の他の項目に記載の電力確保太陽エネルギーシステム。
（項目３２０）
上記光起電安全出力条件遷移コントローラは、アーク遮断制御を備える、項目２９８または３１９、あるいは任意の他の項目に記載の電力確保太陽エネルギーシステム。
（項目３２１）
上記光起電安全出力条件遷移コントローラは、光起電安全出力電界効果トランジスタスイッチコントローラを備える、項目２９８または任意の他の項目に記載の電力確保太陽エネルギーシステム。
（項目３２２）
上記光起電安全出力電界効果トランジスタスイッチコントローラは、個別パネル光起電力ＤＣ−ＤＣ変換器電界効果トランジスタスイッチコントローラを備える、項目３２１または任意の他の項目に記載の電力確保太陽エネルギーシステム。
（項目３２３）
上記個別パネル光起電力ＤＣ−ＤＣ変換器電界効果トランジスタスイッチコントローラは、動作不能光起電力ＤＣ−ＤＣ変換器電界効果トランジスタスイッチコントローラを備える、項目３２２または任意の他の項目に記載の電力確保太陽エネルギーシステム。
（項目３２４）
ＤＣ光起電力出力を有する、少なくとも１つの太陽エネルギー源と、
該ＤＣ光起電力出力に対応する、光起電力変換回路と、
該光起電力変換回路が対応する、光起電力機能変更コントローラと、
該光起電力機能コントローラが対応する、遠隔電力機能変更コントローラと
を含む、変更可能な電力変換機能の太陽エネルギーシステム。
（項目３２５）
上記遠隔電力機能変更コントローラは、集中遠隔電力機能変更コントローラを備える、項目３２４または任意の他の項目に記載の変更可能な電力変換機能の太陽エネルギーシステム。
（項目３２６）
上記少なくとも１つの太陽エネルギー源は、複数の太陽電池パネルを備え、上記集中遠隔電力機能変更コントローラは、集中多重パネル遠隔電力機能変更コントローラを備える、項目３２５または任意の他の項目に記載の変更可能な電力変換機能の太陽エネルギーシステム。
（項目３２７）
上記集中多重パネル遠隔電力機能変更コントローラは、管理パネル群設備制御を備える、項目３２６または任意の他の項目に記載の変更可能な電力変換機能の太陽エネルギーシステム。
（項目３２８）
ＤＣ−ＤＣ変換された太陽電池パネル出力に対応する、少なくとも１列の電気直列をさらに備える、項目３２４または任意の他の項目に記載の変更可能な電力変換機能の太陽エネルギーシステム。
（項目３２９）
ＤＣ−ＤＣ変換された太陽電池パネル出力に対応する、上記少なくとも１列の電気直列は、複数の直列に接続された光起電力ＤＣ−ＤＣ電力変換器を備える、項目３２８または任意の他の項目に記載の変更可能な電力変換機能の太陽エネルギーシステム。
（項目３３０）
ＤＣ−ＤＣ変換された太陽電池パネル出力に対応する、上記少なくとも１列の電気直列はさらに、複数の個別パネル専用の最大光起電力点変換器機能制御を備える、項目３２９または任意の他の項目に記載の変更可能な電力変換機能の太陽エネルギーシステム。
（項目３３１）
上記光起電力機能変更コントローラは、光起電力ＤＣ−ＤＣ電力変換器動作コントローラを備える、項目３２４、３２８、３２９、または３３０、あるいは任意の他の項目に記載の変更可能な電力変換機能の太陽エネルギーシステム。
（項目３３２）
上記集中遠隔電力機能変更コントローラは、プログラム可能な電力機能コントローラを備える、項目３２４または任意の他の項目に記載の変更可能な電力変換機能の太陽エネルギーシステム。
（項目３３３）
上記プログラム可能な電力機能コントローラは、外部列反応型電力機能コントローラを備える、項目３３２または任意の他の項目に記載の変更可能な電力変換機能の太陽エネルギーシステム。
（項目３３４）
上記プログラム可能な電力機能コントローラは、パネル故障反応型電力機能コントローラを備える、項目３３２または任意の他の項目に記載の変更可能な電力変換機能の太陽エネルギーシステム。
（項目３３５）
上記プログラム可能な電力機能コントローラ入力は、ユーザプログラム可能な電力機能コントローラを備える、項目３３２または任意の他の項目に記載の変更可能な電力変換機能の太陽エネルギーシステム。
（項目３３６）
上記プログラム可能な電力機能コントローラ入力は、保守プログラム可能な電力機能コントローラを備える、項目３３２または任意の他の項目に記載の変更可能な電力変換機能の太陽エネルギーシステム。
（項目３３７）
上記プログラム可能な電力機能コントローラ入力は、電気規格プログラム可能な電力機能コントローラを備える、項目３３２または任意の他の項目に記載の変更可能な電力変換機能の太陽エネルギーシステム。
（項目３３８）
上記プログラム可能な電力機能コントローラ入力は、個別太陽電池パネルプログラム可能な電力機能コントローラを備える、項目３３２または任意の他の項目に記載の変更可能な電力変換機能の太陽エネルギーシステム。
（項目３３９）
上記プログラム可能な電力機能コントローラ入力は、太陽電池パネルモード特性電力機能コントローラを備える、項目３３２または任意の他の項目に記載の変更可能な電力変換機能の太陽エネルギーシステム。
（項目３４０）
上記光起電力機能コントローラは、
太陽電池パネル列電圧機能コントローラと、
太陽電池パネル列電流機能コントローラと、
太陽電池パネルインバータ入力電圧機能コントローラと、
太陽電池パネルインバータ入力電流機能コントローラと、
太陽電池パネルインバータ入力電力機能コントローラと、
太陽電池パネル電圧機能コントローラと
から成る群より選択される、光起電力機能変更コントローラを備える、項目３２４または３３２、あるいは任意の他の項目に記載の変更可能な電力変換機能の太陽エネルギーシステム。
（項目３４１）
上記光起電力機能変更コントローラは、太陽電池パネル電力増加切断制御を備える、項目３２４または３３２、あるいは任意の他の項目に記載の変更可能な電力変換機能の太陽エネルギーシステム。
（項目３４２）
上記光起電力機能変更コントローラは、光起電力ＤＣ−ＤＣ電力変換器スイッチコントローラを備える、項目３２４、３４０、または３４１、あるいは任意の他の項目に記載の変更可能な電力変換機能の太陽エネルギーシステム。
（項目３４３）
上記光起電力ＤＣ−ＤＣ電力変換器スイッチコントローラは、光起電力ＤＣ−ＤＣ変換器電界効果トランジスタコントローラを備える、項目３４２または任意の他の項目に記載の変更可能な電力変換機能の太陽エネルギーシステム。
（項目３４４）
上記電界効果トランジスタコントローラは、変換器動作不能スイッチ切断コントローラを備える、項目３４３または任意の他の項目に記載の変更可能な電力変換機能の太陽エネルギーシステム。
（項目３４５）
上記電界効果トランジスタコントローラは、電界効果トランジスタタイミングコントローラを備える、項目３４３または任意の他の項目に記載の変更可能な電力変換機能の太陽エネルギーシステム。
（項目３４６）
ＤＣ光起電力出力を有する、少なくとも１つの太陽エネルギー源を確立するステップと、
該ＤＣ光起電力出力をＤＣ変換するステップと、
該ＤＣ光起電力出力をＤＣ変換する該ステップの機能的変更を遠隔で指示するステップと
を含む、太陽エネルギーシステムの電力変換改変方法。
（項目３４７）
上記ＤＣ光起電力出力をＤＣ変換する上記ステップの機能的変更を遠隔で指示する上記ステップは、該ＤＣ光起電力出力をＤＣ変換する該ステップの機能的変更を中央で指示するステップを含む、項目３４６または任意の他の項目に記載の太陽エネルギーシステムの電力変換改変方法。
（項目３４８）
少なくとも１つの太陽エネルギー源を確立する上記ステップは、複数の太陽電池パネルを確立する上記ステップを含み、上記ＤＣ光起電力出力をＤＣ変換する上記ステップの機能的変更を中央で指示する上記ステップは、個別パネルＤＣ変換の多重パネル機能的変更を指示するステップを含む、項目３４７または任意の他の項目に記載の太陽エネルギーシステムの電力変換改変方法。
（項目３４９）
個別パネルＤＣ変換の多重パネル機能的変更を指示する上記ステップは、管理パネル群設備制御から、多重パネル機能的変更を遠隔で指示するステップを含む、項目３４８または任意の他の項目に記載の太陽エネルギーシステムの電力変換改変方法。
（項目３５０）
発電するために複数の太陽電池パネルに対応する電気直列を利用するステップをさらに含む、項目３４６または任意の他の項目に記載の太陽エネルギーシステムの電力変換改変方法。
（項目３５１）
発電するために複数の太陽電池パネルに対応する電気直列を利用する上記ステップは、発電するために複数の直列に接続された光起電力ＤＣ−ＤＣ電力変換器を利用するステップを含む、項目３５０または任意の他の項目に記載の太陽エネルギーシステムの電力変換改変方法。
（項目３５２）
パネル専用の最大光起電力点において個別に発電するステップをさらに含む、項目３５１または任意の他の項目に記載の太陽エネルギーシステムの電力変換改変方法。
（項目３５３）
上記ＤＣ光起電力出力をＤＣ変換する上記ステップの機能的変更を中央で指示する上記ステップは、光起電力ＤＣ−ＤＣ電力変換器の動作を遠隔で制御するステップを含む、項目３４６、３５０、３５１、３５２、または任意の他の項目に記載の太陽エネルギーシステムの電力変換改変方法。
（項目３５４）
光起電力ＤＣ−ＤＣ電力変換器の動作を遠隔で制御する上記ステップは、光起電力ＤＣ−ＤＣ電力変換器の電気的動作をプログラム可能に制御するステップを含む、項目３４６または任意の他の項目に記載の太陽エネルギーシステムの電力変換改変方法。
（項目３５５）
光起電力ＤＣ−ＤＣ電力変換器の電気的動作をプログラム可能に制御する上記ステップは、外部列反応型電力条件に反応するステップを含む、項目３５４または任意の他の項目に記載の太陽エネルギーシステムの電力変換改変方法。
（項目３５６）
光起電力ＤＣ−ＤＣ電力変換器の電気的動作をプログラム可能に制御する上記ステップは、太陽電池パネル接地条件に反応するステップを含む、項目３５４または任意の他の項目に記載の太陽エネルギーシステムの電力変換改変方法。
（項目３５７）
光起電力ＤＣ−ＤＣ電力変換器の電気的動作をプログラム可能に制御する上記ステップは、ユーザプログラム可能な電力機能コントローラを提供するステップを含む、項目３５４または任意の他の項目に記載の太陽エネルギーシステムの電力変換改変方法。
（項目３５８）
光起電力ＤＣ−ＤＣ電力変換器の電気的動作をプログラム可能に制御する上記ステップは、保守プログラム可能な電力機能コントローラを提供するステップを含む、項目３５４または任意の他の項目に記載の太陽エネルギーシステムの電力変換改変方法。
（項目３５９）
光起電力ＤＣ−ＤＣ電力変換器の電気的動作をプログラム可能に制御する上記ステップは、電気規格プログラム可能な電力機能コントローラを提供するステップを含む、項目３５４または任意の他の項目に記載の太陽エネルギーシステムの電力変換改変方法。
（項目３６０）
光起電力ＤＣ−ＤＣ電力変換器の電気的動作をプログラム可能に制御する上記ステップは、個別太陽電池パネルプログラム可能な電力機能コントローラを提供するステップを含む、項目３５４または任意の他の項目に記載の太陽エネルギーシステムの電力変換改変方法。
（項目３６１）
光起電力ＤＣ−ＤＣ電力変換器の電気的動作をプログラム可能に制御する上記ステップは、太陽電池パネルモードプログラム可能な電力機能コントローラを提供するステップを含む、項目３５４または任意の他の項目に記載の太陽エネルギーシステムの電力変換改変方法。
（項目３６２）
光起電力ＤＣ−ＤＣ電力変換器の動作を遠隔で制御する上記ステップは、
太陽電池パネル列の電圧機能を遠隔で制御するステップと、
太陽電池パネル列の電流機能を遠隔で制御するステップと、
太陽電池パネルインバータの入力電圧機能を遠隔で制御するステップと、
太陽電池パネルインバータの入力電流機能を遠隔で制御するステップと、
太陽電池パネルインバータの入力電力機能を遠隔で制御するステップと、
太陽電池パネルの電圧機能を遠隔で制御するステップと
から成る群より選択されるステップを含む、項目３４６または３５４、あるいは任意の他の項目に記載の太陽エネルギーシステムの電力変換改変方法。
（項目３６３）
光起電力ＤＣ−ＤＣ電力変換器の動作を遠隔で制御する上記ステップは、少なくとも１つの太陽電池パネルのＤＣ出力を遠隔で切断するステップを含む、項目３４６または３５４、あるいは任意の他の項目に記載の太陽エネルギーシステムの電力変換改変方法。
（項目３６４）
光起電力ＤＣ−ＤＣ電力変換器の動作を遠隔で制御する上記ステップは、少なくとも１つのＤＣ−ＤＣ電力変換器の切替を遠隔で制御するステップを含む、項目３４６、３６２、または３６３、あるいは任意の他の項目に記載の太陽エネルギーシステムの電力変換改変方法。
（項目３６５）
少なくとも１つのＤＣ−ＤＣ電力変換器の切替を遠隔で制御する上記ステップは、該少なくとも１つのＤＣ−ＤＣ電力変換器に対する少なくとも１つの電界効果トランジスタ切替を遠隔で制御するステップを含む、項目３６４または任意の他の項目に記載の太陽エネルギーシステムの電力変換改変方法。
（項目３６６）
上記少なくとも１つのＤＣ−ＤＣ電力変換器に対する少なくとも１つの電界効果トランジスタ切替を遠隔で制御する上記ステップは、該少なくとも１つのＤＣ−ＤＣ電力変換器に対する変換器スイッチの動作不能を遠隔でもたらすステップを含む、項目３６５または任意の他の項目に記載の太陽エネルギーシステムの電力変換改変方法。
（項目３６７）
上記少なくとも１つのＤＣ−ＤＣ電力変換器に対する少なくとも１つの電界効果トランジスタ切替を遠隔で制御する上記ステップは、該少なくとも１つのＤＣ−ＤＣ電力変換器に対する少なくとも１つの電界効果トランジスタの切替タイミングを遠隔で制御するステップを含む、項目３６５または任意の他の項目に記載の太陽エネルギーシステムの電力変換改変方法。
（項目３６８）
ＤＣ光起電力出力を有する、少なくとも１つの太陽エネルギー源と、
該ＤＣ光起電力出力に対応する、光起電力変換回路と、
該光起電力変換回路が対応する、出力制限制御と
を備える、制御された出力の太陽エネルギーシステム。
（項目３６９）
ＤＣ−ＤＣ変換された太陽電池パネル出力に対応する、少なくとも１列の電気直列をさらに備える、項目３６８または任意の他の項目に記載の制御された出力の太陽エネルギーシステム。
（項目３７０）
ＤＣ−ＤＣ変換された太陽電池パネル出力に対応する、上記少なくとも１列の電気直列は、複数の直列に接続された光起電力ＤＣ−ＤＣ電力変換器を備える、項目３６９または任意の他の項目に記載の制御された出力の太陽エネルギーシステム。
（項目３７１）
ＤＣ−ＤＣ変換された太陽電池パネル出力に対応する、上記少なくとも１列の電気直列はさらに、複数の個別パネル専用の最大光起電力点変換器機能制御を備える、項目３７０または任意の他の項目に記載の制御された出力の太陽エネルギーシステム。
（項目３７２）
上記出力制限制御は、規格準拠出力コントローラを備える、項目３６８または任意の他の項目に記載の制御された出力の太陽エネルギーシステム。
（項目３７３）
上記規格準拠出力コントローラは、個別太陽電池パネル規格準拠出力コントローラを備える、項目３７２または任意の他の項目に記載の制御された出力の太陽エネルギーシステム。
（項目３７４）
上記出力制限制御は、光起電力ＤＣ−ＤＣ電力変換器出力コントローラを備える、項目３６８、３７２、または３７３、あるいは任意の他の項目に記載の制御された出力の太陽エネルギーシステム。
（項目３７５）
プログラム可能な電力機能コントローラをさらに備える、項目３６８、３７２、または３７３、あるいは任意の他の項目に記載の制御された出力の太陽エネルギーシステム。
（項目３７６）
上記プログラム可能な電力機能コントローラは、遠隔電力機能変更コントローラを備える、項目３７５または任意の他の項目に記載の制御された出力の太陽エネルギーシステム。
（項目３７７）
規格準拠の電圧制限出力制御と、
規格準拠の電流制限出力制御と、
規格準拠の電力制限出力制御と、
電圧制限出力制御と、
電流制限出力制御と、
電力制限出力制御と、
規格準拠の時限電気パラメータ制限出力制御と、
規格準拠の電気パラメータ変化率制限出力制御と
から成る群より選択される、出力制限制御を備える、項目３６８、３７３、３７４、または３７６、あるいは任意の他の項目に記載の制御された出力の太陽エネルギーシステム。
（項目３７８）
上記出力制限制御は、光起電力ＤＣ−ＤＣ電力変換器スイッチコントローラを備える、項目３６８、３７３、または３７７、あるいは任意の他の項目に記載の制御された出力の太陽エネルギーシステム。
（項目３７９）
上記光起電力ＤＣ−ＤＣ電力変換器スイッチコントローラは、光起電力ＤＣ−ＤＣ変換器電界効果トランジスタコントローラを備える、項目３７８または任意の他の項目に記載の制御された出力の太陽エネルギーシステム。
（項目３８０）
ＤＣ光起電力出力を有する、少なくとも１つの太陽エネルギー源を確立するステップと、
該ＤＣ光起電力出力をＤＣ変換するステップと、
該ＤＣ光起電力出力をＤＣ変換する該ステップからの変換されたＤＣ出力を出力制限するステップと
を含む、太陽エネルギーシステムの出力を制御する方法。
（項目３８１）
発電するために複数の太陽電池パネルに対応する電気直列を利用するステップをさらに含む、項目３８０または任意の他の項目に記載の太陽エネルギーシステムの出力を制御する方法。
（項目３８２）
発電するために複数の太陽電池パネルに対応する電気直列を利用する上記ステップは、発電するために複数の直列に接続された光起電力ＤＣ−ＤＣ電力変換器を利用するステップを含む、項目３８１または任意の他の項目に記載の太陽エネルギーシステムの出力を制御する方法。
（項目３８３）
パネル専用の最大光起電力点において、個別に発電するステップをさらに含む、項目３８２または任意の他の項目に記載の太陽エネルギーシステムの出力を制御する方法。
（項目３８４）
上記ＤＣ光起電力出力をＤＣ変換する上記ステップからの変換されたＤＣ出力を出力制限する上記ステップは、該ＤＣ光起電力出力をＤＣ変換する該ステップからの変換されたＤＣ出力を規格に準拠して制限するステップを含む、項目３８０または任意の他の項目に記載の太陽エネルギーシステムの出力を制御する方法。
（項目３８５）
上記ＤＣ光起電力出力をＤＣ変換する上記ステップからの変換されたＤＣ出力を規格に準拠して制限する上記ステップは、該ＤＣ光起電力出力をＤＣ変換する該ステップからの変換されたＤＣ出力を個別太陽電池パネル規格に準拠して制限するステップを含む、項目３８４または任意の他の項目に記載の太陽エネルギーシステムの出力を制御する方法。
（項目３８６）
上記ＤＣ光起電力出力をＤＣ変換する上記ステップからの変換されたＤＣ出力を出力制限する上記ステップは、該ＤＣ光起電力出力をＤＣ変換する該ステップを出力制限するステップを含む、項目３８０、３８４、または３８５、あるいは任意の他の項目に記載の太陽エネルギーシステムの出力を制御する方法。
（項目３８７）
プログラム可能な電力機能コントローラを提供するステップをさらに含む、項目３８０、３８４、または３８５、あるいは任意の他の項目に記載の太陽エネルギーシステムの出力を制御する方法。
（項目３８８）
上記ＤＣ光起電力出力をＤＣ変換する上記ステップの機能的変更を遠隔で指示するステップをさらに含む、項目３８７または任意の他の項目に記載の太陽エネルギーシステムの出力を制御する方法。
（項目３８９）
規格準拠の電圧制限出力制御と、
規格準拠の電流制限出力制御と、
規格準拠の電力制限出力制御と、
電圧制限出力制御と、
電流制限出力制御と、
電力制限出力制御と、
規格準拠の時限電気パラメータ制限出力制御と、
規格準拠の電気パラメータ変化率制限出力制御と
から成る群より選択される、出力制限制御を備える、項目３８０、３８５、３８６、または３８８、あるいは任意の他の項目に記載の太陽エネルギーシステムの出力を制御する方法。
（項目３９０）
上記ＤＣ光起電力出力をＤＣ変換する上記ステップからの変換されたＤＣ出力を出力制限する上記ステップは、該ＤＣ光起電力出力をＤＣ変換する該ステップの一部として切替を制御するステップを含む、項目３８０、３８５、または３８９、あるいは任意の他の項目に記載の太陽エネルギーシステムの出力を制御する方法。
（項目３９１）
上記ＤＣ光起電力出力をＤＣ変換する上記ステップの一部として切替を制御する上記ステップは、該ＤＣ光起電力出力をＤＣ変換する該ステップの一部として電界効果トランジスタ切替を制御するステップを含む、項目３８０または任意の他の項目に記載の太陽エネルギーシステムの出力を制御する方法。
（項目３９２）
少なくとも１つである複数の太陽エネルギー源を確立するステップであって、該複数の太陽エネルギー源の各々はＤＣ光起電力出力を有する、ステップと、
光起電力結合回路において該複数の太陽エネルギー源からの該複数のＤＣ光起電力出力を電気的に組み合わせるステップと、
該複数の太陽エネルギー源に日射を受けさせるステップと、
該日射に応じて、該複数のＤＣ光起電力出力から太陽エネルギー電力を生成するステップと、
該複数の太陽エネルギー源の各々に対する少なくとも１つの電気パラメータを捕捉するステップと、
該複数の太陽エネルギー源の各々に対する少なくとも１つの電気パラメータを捕捉する該ステップに起因する、データのパターン認識分析を行うステップと、
該複数の太陽エネルギー源の各々に対する少なくとも１つの電気パラメータを捕捉する該ステップに起因する、データのパターン認識分析を行う該ステップの結果として、少なくとも１つの動作指標を決定するステップと、
該少なくとも１つの動作指標を報告するステップと
から成る、太陽エネルギーシステムの性能を評価する方法。
（項目３９３）
パターン認識分析を行う上記ステップは、複数の太陽電池パネルからの性能値を比較するステップを含む、項目３９２または任意の他の項目に記載の太陽エネルギーシステムの性能を評価する方法。
（項目３９４）
複数の太陽電池パネルからの性能値を比較する上記ステップは、複数の太陽電池パネルからの列間の性能値を比較するステップを含む、項目３９３または任意の他の項目に記載の太陽エネルギーシステムの性能を評価する方法。
（項目３９５）
複数の太陽電池パネルからの性能値を比較する上記ステップは、複数の太陽電池パネルからの列内の性能値を比較するステップを含む、項目３９３または任意の他の項目に記載の太陽エネルギーシステムの性能を評価する方法。
（項目３９６）
複数の太陽電池パネルからの性能値を遠隔で比較するステップをさらに含む、項目３９３または任意の他の項目に記載の太陽エネルギーシステムの性能を評価する方法。
（項目３９７）
パターン認識分析を行う上記ステップの結果として、少なくとも１つの動作指標を決定する上記ステップは、複数の太陽電池パネルに対する日射条件を決定するステップを含む、項目３９２、３９３、または３９６、あるいは任意の他の項目に記載の太陽エネルギーシステムの性能を評価する方法。
（項目３９８）
複数の太陽電池パネルに対する日射条件を決定する上記ステップは、少なくとも１つの太陽電池パネルに対する日陰条件を決定するステップを含む、項目３９７または任意の他の項目に記載の太陽エネルギーシステムの性能を評価する方法。
（項目３９９）
パターン認識分析を行う上記ステップの結果として、少なくとも１つの動作指標を決定する上記ステップは、少なくとも１つの太陽電池パネルに対する時間的条件を決定するステップを含む、項目３９２、３９３、または３９６、あるいは任意の他の項目に記載の太陽エネルギーシステムの性能を評価する方法。
（項目４００）
複数の太陽電池パネルに対する時間的条件を決定する上記ステップは、少なくとも１つの太陽電池パネルに対する時間的日陰条件を決定するステップを含む、項目３９９または任意の他の項目に記載の太陽エネルギーシステムの性能を評価する方法。
（項目４０１）
複数の太陽電池パネルに対する時間的条件を決定する上記ステップは、少なくとも１つの太陽電池パネルに対する日常条件を決定するステップを含む、項目３９９または任意の他の項目に記載の太陽エネルギーシステムの性能を評価する方法。
（項目４０２）
複数の太陽電池パネルに対する時間的条件を決定する上記ステップは、少なくとも１つの太陽電池パネルに対する季節条件を決定するステップを含む、項目３９９または任意の他の項目に記載の太陽エネルギーシステムの性能を評価する方法。
（項目４０３）
複数の太陽電池パネルに対する時間的条件を決定する上記ステップは、少なくとも１つの太陽電池パネルに対する年間条件を決定するステップを含む、項目３９９または任意の他の項目に記載の太陽エネルギーシステムの性能を評価する方法。
（項目４０４）
パターン認識分析を行う上記ステップの結果として、少なくとも１つの動作指標を決定する上記ステップは、少なくとも１つの太陽電池パネルに対する少なくとも１つの位置指標を決定するステップを含む、項目３９２、３９３、または３９６、あるいは任意の他の項目に記載の太陽エネルギーシステムの性能を評価する方法。
（項目４０５）
少なくとも１つの太陽電池パネルに対する少なくとも１つの位置指標を決定する上記ステップは、少なくとも１つの太陽電池パネルに対する平均偏差を決定するステップを含む、項目４０４または任意の他の項目に記載の太陽エネルギーシステムの性能を評価する方法。
（項目４０６）
パターン認識分析を行う上記ステップの結果として、少なくとも１つの動作指標を決定する上記ステップは、少なくとも１つの太陽電池パネルに対する日射利用指標を決定するステップを含む、項目３９２、３９３、または３９６、あるいは任意の他の項目に記載の太陽エネルギーシステムの性能を評価する方法。
（項目４０７）
少なくとも１つの太陽電池パネルに対する日射利用指標を決定する上記ステップは、少なくとも１つの太陽電池パネルに対する効率指標を決定するステップを含む、項目４０６または任意の他の項目に記載の太陽エネルギーシステムの性能を評価する方法。
（項目４０８）
少なくとも１つの太陽電池パネルに対する日射利用指標を決定する上記ステップは、少なくとも１つの太陽電池パネルに対する配向指標を決定するステップを含む、項目４０６または任意の他の項目に記載の太陽エネルギーシステムの性能を評価する方法。
（項目４０９）
パターン認識分析を行う上記ステップの結果として、少なくとも１つの動作指標を決定する上記ステップは、複数の太陽電池パネルの中で最適な生成器を決定するステップを含む、項目３９２、３９３、または３９６、あるいは任意の他の項目に記載の太陽エネルギーシステムの性能を評価する方法。
（項目４１０）
複数の太陽電池パネルの中で最適な生成器を決定する上記ステップは、複数の太陽電池パネルの中で多重パネル比較を行うステップを含む、項目４０９または任意の他の項目に記載の太陽エネルギーシステムの性能を評価する方法。
（項目４１１）
パターン認識分析を行う上記ステップの結果として、少なくとも１つの動作指標を決定する上記ステップは、複数の太陽電池パネルに対する保守評価を行うステップを含む、項目３９２、３９３、または３９６、あるいは任意の他の項目に記載の太陽エネルギーシステムの性能を評価する方法。
（項目４１２）
複数の太陽電池パネルに対する保守評価を行う上記ステップは、少なくとも１つの太陽電池パネルに対する準最適評価を行うステップを含む、項目４１１または任意の他の項目に記載の太陽エネルギーシステムの性能を評価する方法。
（項目４１３）
複数の太陽電池パネルに対する保守評価を行う上記ステップは、少なくとも１つの太陽電池パネルに対する履歴変動評価を行うステップを含む、項目４１１または任意の他の項目に記載の太陽エネルギーシステムの性能を評価する方法。
（項目４１４）
複数の太陽電池パネルに対する保守評価を行う上記ステップは、少なくとも１つの太陽電池パネルに対する設置評価を行うステップを含む、項目４１１または任意の他の項目に記載の太陽エネルギーシステムの性能を評価する方法。
（項目４１５）
日射に応じて、複数のＤＣ光起電力出力から太陽エネルギー電力を生成するステップと、
該複数の太陽エネルギー源の各々に対する少なくとも１つの電気パラメータを捕捉するステップと、
該複数の太陽エネルギー源の各々に対する少なくとも１つの電気パラメータを捕捉する該ステップの結果として、少なくとも１つの動作指標を決定するステップと
から成る、太陽エネルギーシステムの性能を評価する方法。
（項目４１６）
上記複数の太陽エネルギー源の各々に対する少なくとも１つの電気パラメータを捕捉する上記ステップの結果として、少なくとも１つの動作指標を決定する上記ステップは、複数の太陽電池パネルからの性能値を比較するステップを含む、項目４１５または任意の他の項目に記載の太陽エネルギーシステムの性能を評価する方法。
（項目４１７）
複数の太陽電池パネルからの性能値を比較する上記ステップは、複数の太陽電池パネルからの列間の性能値を比較するステップを含む、項目４１６または任意の他の項目に記載の太陽エネルギーシステムの性能を評価する方法。
（項目４１８）
複数の太陽電池パネルからの性能値を比較する上記ステップは、複数の太陽電池パネルからの列内の性能値を比較するステップを含む、項目４１６または任意の他の項目に記載の太陽エネルギーシステムの性能を評価する方法。
（項目４１９）
複数の太陽電池パネルからの性能値を遠隔で比較するステップをさらに含む、項目４１６または任意の他の項目に記載の太陽エネルギーシステムの性能を評価する方法。
（項目４２０）
上記複数の太陽エネルギー源の各々に対する少なくとも１つの電気パラメータを捕捉する上記ステップの結果として、少なくとも１つの動作指標を決定する上記ステップは、複数の太陽電池パネルに対する日射条件を決定するステップを含む、項目４１５、４１６、または４１９、あるいは任意の他の項目に記載の太陽エネルギーシステムの性能を評価する方法。
（項目４２１）
上記複数の太陽エネルギー源の各々に対する少なくとも１つの電気パラメータを捕捉する上記ステップの結果として、少なくとも１つの動作指標を決定する上記ステップは、少なくとも１つの太陽電池パネルに対する日射利用指標を決定するステップを含む、項目４１５、４１６、または４１９、あるいは任意の他の項目に記載の太陽エネルギーシステムの性能を評価する方法。
（項目４２２）
少なくとも１つの太陽電池パネルに対する日射利用指標を決定するステップは、少なくとも１つの太陽電池パネルに対する効率指標を決定するステップを含む、項目４２１または任意の他の項目に記載の太陽エネルギーシステムの性能を評価する方法。
（項目４２３）
上記複数の太陽エネルギー源の各々に対する少なくとも１つの電気パラメータを捕捉する上記ステップの結果として、少なくとも１つの動作指標を決定する上記ステップは、複数の太陽電池パネルの中で多重パネル比較を行うステップを含む、項目４１５または任意の他の項目に記載の太陽エネルギーシステムの性能を評価する方法。
（項目４２４）
上記複数の太陽エネルギー源の各々に対する少なくとも１つの電気パラメータを捕捉する上記ステップの結果として、少なくとも１つの動作指標を決定する上記ステップは、複数の太陽電池パネルに対する保守評価を行うステップを含む、項目４１５、４１６、または４１９、あるいは任意の他の項目に記載の太陽エネルギーシステムの性能を評価する方法。
（項目４２５）
複数の太陽電池パネルに対する保守評価を行う上記ステップは、少なくとも１つの太陽電池パネルに対する履歴変動評価を行うステップを含む、項目４２４または任意の他の項目に記載の太陽エネルギーシステムの性能を評価する方法。
（項目４２６）
ＤＣ光起電力出力を各々が有する、少なくとも１つである複数の太陽エネルギー源と、
そのうちの少なくともいくつかが、該太陽エネルギー源のうちの少なくとも１つに対応する、複数の個別パネル専用の光起電力ＤＣ−ＤＣ電力変換器と、
該個別パネル専用の光起電力ＤＣ−ＤＣ電力変換器のうちの少なくとも１つが対応する、最大光起電力点制御回路と、
該複数のＤＣ光起電力出力のうちの少なくともいくつかに対応する、光起電力結合回路と、
少なくとも１つの光起電力シミュレータと
を備える、異種構成要素統合型太陽エネルギーシステム。
（項目４２７）
ＤＣ−ＤＣ変換された太陽電池パネル出力に対応する、少なくとも１列の電気直列をさらに備える、項目４２６または任意の他の項目に記載の異種構成要素統合型太陽エネルギーシステム。
（項目４２８）
ＤＣ−ＤＣ変換された太陽電池パネル出力に対応する、上記少なくとも１列の電気直列は、複数の直列に接続された光起電力ＤＣ−ＤＣ電力変換器を備える、項目４２７または任意の他の項目に記載の異種構成要素統合型太陽エネルギーシステム。
（項目４２９）
ＤＣ−ＤＣ変換された太陽電池パネル出力に対応する、上記少なくとも１列の電気直列はさらに、複数の個別パネル専用の最大光起電力点変換器機能制御を備える、項目４２８または任意の他の項目に記載の異種構成要素統合型太陽エネルギーシステム。
（項目４３０）
上記少なくとも１つの光起電力シミュレータは、少なくとも１つの光起電力列出力シミュレータを備える、項目４２９または任意の他の項目に記載の異種構成要素統合型太陽エネルギーシステム。
（項目４３１）
上記少なくとも１つの光起電力シミュレータは、最大光起電力点シミュレータを備える、項目４２６または任意の他の項目に記載の異種構成要素統合型太陽エネルギーシステム。
（項目４３２）
上記複数の個別パネル専用の光起電力ＤＣ−ＤＣ電力変換器は、複数の個別パネル専用の光起電力シミュレータに対応する、項目４２６または任意の他の項目に記載の異種構成要素統合型太陽エネルギーシステム。
（項目４３３）
上記少なくとも１つの光起電力シミュレータに対応する、少なくとも１つの光起電力ＤＣ−ＡＣインバータをさらに備える、項目４２６または任意の他の項目に記載の異種構成要素統合型太陽エネルギーシステム。
（項目４３４）
上記少なくとも１つの光起電力シミュレータは、
合成最大電流条件シミュレータと、
合成最大電圧条件シミュレータと、
合成最大電力条件シミュレータと
から成る群より選択される、合成電力条件シミュレータを備える、少なくとも１つの合成電力条件シミュレータを備える、項目４２６または４２９、あるいは任意の他の項目に記載の異種構成要素統合型太陽エネルギーシステム。
（項目４３５）
複数の個別パネル専用の変換器機能制御回路をさらに備える、項目４２９または４３４、あるいは任意の他の項目に記載の異種構成要素統合型太陽エネルギーシステム。
（項目４３６）
プログラム可能な電力機能コントローラをさらに備える、項目４２６、４２９、または４３４、あるいは任意の他の項目に記載の異種構成要素統合型太陽エネルギーシステム。
（項目４３７）
上記プログラム可能な電力機能コントローラは、遠隔電力機能変更コントローラを備える、項目４３６または任意の他の項目に記載の異種構成要素統合型太陽エネルギーシステム。
（項目４３８）
上記プログラム可能な電力機能コントローラは、太陽電池パネルモデル入力を備える、項目４３６または任意の他の項目に記載の異種構成要素統合型太陽エネルギーシステム。
（項目４３９）
上記最大光起電力点制御回路は、光起電力ＤＣ−ＤＣ電力変換器スイッチコントローラを備える、項目４２６または４３５、あるいは任意の他の項目に記載の異種構成要素統合型太陽エネルギーシステム。
（項目４４０）
上記光起電力ＤＣ−ＤＣ電力変換器スイッチコントローラは、光起電力ＤＣ−ＤＣ変換器電界効果トランジスタコントローラを備える、項目４３９または任意の他の項目に記載の異種構成要素統合型太陽エネルギーシステム。
（項目４４１）
上記少なくとも１つの光起電力シミュレータは、光起電インバータ電力シミュレータを備える、項目４２６、４２９、または４３４、あるいは任意の他の項目に記載の異種構成要素統合型太陽エネルギーシステム。
（項目４４２）
上記少なくとも１つの光起電力シミュレータは、光起電力ＤＣ−ＤＣ電力変換器バイパスコントローラを備える、項目４２６、４２９、または４４０、あるいは任意の他の項目に記載の異種構成要素統合型太陽エネルギーシステム。
（項目４４３）
上記少なくとも１つの光起電力シミュレータは、部分列光起電力シミュレータを備える、項目４２６、４２９、４４０、または４４２、あるいは任意の他の項目に記載の異種構成要素統合型太陽エネルギーシステム。
（項目４４４）
少なくとも１つの光起電力シミュレーション条件のセンサをさらに備える、項目４２６、４２９、４４０、または４４２、あるいは任意の他の項目に記載の異種構成要素統合型太陽エネルギーシステム。
（項目４４５）
光起電力ＤＣ−ＤＣ電力変換器電圧入力のセンサと、
光起電力ＤＣ−ＤＣ電力変換器電圧出力のセンサと、
光起電力ＤＣ−ＤＣ電力変換器電圧入力と光起電力ＤＣ−ＤＣ電力変換器電圧出力との比較器と
から成る群より選択される、少なくとも１つの光起電力シミュレーション条件のセンサを備える、項目４４４または任意の他の項目に記載の異種構成要素統合型太陽エネルギーシステム。
（項目４４６）
上記少なくとも１つの光起電力シミュレーション条件のセンサは、少なくとも１つの過渡光起電力シミュレーション条件のセンサを備える、項目４４４または任意の他の項目に記載の異種構成要素統合型太陽エネルギーシステム。
（項目４４７）
上記少なくとも１つの過渡光起電力シミュレーション条件のセンサは、
周期的光起電力ＤＣ−ＤＣ電力変換器電圧入力のセンサと、
周期的光起電力ＤＣ−ＤＣ電力変換器電圧出力のセンサと、
周期的光起電力ＤＣ−ＤＣ電力変換器電圧入力と光起電力ＤＣ−ＤＣ電力変換器電圧出力との比較器と
から成る群より選択される、過渡光起電力シミュレーション条件のセンサを備える、項目４４６または任意の他の項目に記載の異種構成要素統合型太陽エネルギーシステム。
（項目４４８）
上記少なくとも１つの光起電力シミュレータは、自動光起電力ＤＣ−ＤＣ電力変換器バイパスコントローラを備える、項目４２６、４２９、または４４０、あるいは任意の他の項目に記載の異種構成要素統合型太陽エネルギーシステム。
（項目４４９）
上記自動光起電力ＤＣ−ＤＣ電力変換器バイパスコントローラは、自動光起電力ＤＣ−ＤＣ電力変換器電圧入力と光起電力ＤＣ−ＤＣ電力変換器電圧出力との比較器を備える、項目４４８または任意の他の項目に記載の異種構成要素統合型太陽エネルギーシステム。
（項目４５０）
上記少なくとも１つの光起電力シミュレータは、遠隔光起電力ＤＣ−ＤＣ電力変換器バイパス制御を備える、項目４２６、４２９、または４４０、あるいは任意の他の項目に記載の異種構成要素統合型太陽エネルギーシステム。
（項目４５１）
上記少なくとも１つの光起電力シミュレータは、プログラム可能な光起電力ＤＣ−ＤＣ電力変換器バイパス制御を備える、項目４２６、４２９、４４０、または４４９、あるいは任意の他の項目に記載の異種構成要素統合型太陽エネルギーシステム。
（項目４５２）
上記少なくとも１つの光起電力シミュレータは、
少なくとも１つの個別太陽電池パネルの光起電力シミュレータ、または
少なくとも１つの個別太陽電池パネル列の光起電力シミュレータ
から成る群より選択される、光起電力シミュレータを備える、項目４２６、４２９、４４０、または４４９、あるいは任意の他の項目に記載の異種構成要素統合型太陽エネルギーシステム。
（項目４５３）
上記少なくとも１つの光起電力シミュレータは、少なくとも１つの個別太陽電池パネルＤＣ−ＤＣ電力変換器バイパス制御を備える、項目４２６、４２９、４４０、または４４９、あるいは任意の他の項目に記載の異種構成要素統合型太陽エネルギーシステム。
（項目４５４）
ＤＣ光起電力出力を各々が有する、少なくとも１つである複数の太陽エネルギー源と、
該複数のＤＣ光起電力出力のうちの少なくともいくつかに対応する、光起電力結合回路と、
少なくとも１つの光起電力シミュレータと
を備える、種構成要素統合型太陽エネルギーシステム。
（項目４５５）
ＤＣ−ＤＣ変換された太陽電池パネル出力に対応する、少なくとも１列の電気直列をさらに備える、項目４５４または任意の他の項目に記載の異種構成要素統合型太陽エネルギーシステム。
（項目４５６）
ＤＣ−ＤＣ変換された太陽電池パネル出力に対応する、上記少なくとも１列の電気直列は、複数の直列に接続された光起電力ＤＣ−ＤＣ電力変換器を備える、項目４５５または任意の他の項目に記載の異種構成要素統合型太陽エネルギーシステム。
（項目４５７）
ＤＣ−ＤＣ変換された太陽電池パネル出力に対応する、上記少なくとも１列の電気直列はさらに、複数の個別パネル専用の最大光起電力点変換器機能制御を備える、項目４５６または任意の他の項目に記載の異種構成要素統合型太陽エネルギーシステム。
（項目４５８）
上記少なくとも１つの光起電力シミュレータは、少なくとも１つの光起電力列出力シミュレータを備える、項目４５７または任意の他の項目に記載の異種構成要素統合型太陽エネルギーシステム。
（項目４５９）
上記少なくとも１つの光起電力シミュレータは、最大光起電力点シミュレータを備える、項目４５４または任意の他の項目に記載の異種構成要素統合型太陽エネルギーシステム。
（項目４６０）
合成最大電流条件シミュレータと、
合成最大電圧条件シミュレータと、
合成最大電力条件シミュレータと
から成る群より選択される、合成電力条件シミュレータを備える、少なくとも１つの合成電力条件シミュレータを備える、項目４５４または４５７、あるいは任意の他の項目に記載の異種構成要素統合型太陽エネルギーシステム。
（項目４６１）
複数の個別パネル専用の変換器機能制御回路をさらに備える、項目４５７または４６０、あるいは任意の他の項目に記載の異種構成要素統合型太陽エネルギーシステム。
（項目４６２）
プログラム可能な電力機能コントローラをさらに備える、項目４５４、４５７、または４６０、あるいは任意の他の項目に記載の異種構成要素統合型太陽エネルギーシステム。
（項目４６３）
上記プログラム可能な電力機能コントローラは、遠隔電力機能変更コントローラを備える、項目４６２または任意の他の項目に記載の異種構成要素統合型太陽エネルギーシステム。
（項目４６４）
上記プログラム可能な電力機能コントローラは、太陽電池パネルモデル入力を備える、項目４６２または任意の他の項目に記載の異種構成要素統合型太陽エネルギーシステム。
（項目４６５）
上記最大光起電力点制御回路は、光起電力ＤＣ−ＤＣ電力変換器スイッチコントローラを備える、項目４５４または４６１、あるいは任意の他の項目に記載の異種構成要素統合型太陽エネルギーシステム。
（項目４６６）
上記光起電力ＤＣ−ＤＣ電力変換器スイッチコントローラは、光起電力ＤＣ−ＤＣ変換器電界効果トランジスタコントローラを備える、項目４６５または任意の他の項目に記載の異種構成要素統合型太陽エネルギーシステム。
（項目４６７）
上記少なくとも１つの光起電力シミュレータは、光起電力ＤＣ−ＤＣ電力変換器バイパスコントローラを備える、項目４５４、４５７、または４６６、あるいは任意の他の項目に記載の異種構成要素統合型太陽エネルギーシステム。
（項目４６８）
上記少なくとも１つの光起電力シミュレータは、部分列光起電力シミュレータを備える、項目４５４、４５７、４６６、または４６７、あるいは任意の他の項目に記載の異種構成要素統合型太陽エネルギーシステム。
（項目４６９）
少なくとも１つの光起電力シミュレーション条件のセンサをさらに備える、項目４５４、４５７、４６７、または４６８、あるいは任意の他の項目に記載の異種構成要素統合型太陽エネルギーシステム。
（項目４７０）
上記少なくとも１つの光起電力シミュレーション条件のセンサは、
光起電力ＤＣ−ＤＣ電力変換器電圧入力のセンサと、
光起電力ＤＣ−ＤＣ電力変換器電圧出力のセンサと、
光起電力ＤＣ−ＤＣ電力変換器電圧入力と光起電力ＤＣ−ＤＣ電力変換器電圧出力との比較器と
から成る群より選択される、少なくとも１つの光起電力シミュレーション条件のセンサを備える、項目４６９または任意の他の項目に記載の異種構成要素統合型太陽エネルギーシステム。
（項目４７１）
上記少なくとも１つの光起電力シミュレーション条件のセンサは、少なくとも１つの過渡光起電力シミュレーション条件のセンサを備える、項目４６９または任意の他の項目に記載の異種構成要素統合型太陽エネルギーシステム。
（項目４７２）
上記少なくとも１つの過渡光起電力シミュレーション条件のセンサは、
周期的光起電力ＤＣ−ＤＣ電力変換器電圧入力のセンサと、
周期的光起電力ＤＣ−ＤＣ電力変換器電圧出力のセンサと、
周期的光起電力ＤＣ−ＤＣ電力変換器電圧入力と光起電力ＤＣ−ＤＣ電力変換器電圧出力との比較器と
から成る群より選択される、過渡光起電力シミュレーション条件のセンサを備える、
項目４７１または任意の他の項目に記載の異種構成要素統合型太陽エネルギーシステム。
（項目４７３）
上記少なくとも１つの光起電力シミュレータは、自動光起電力ＤＣ−ＤＣ電力変換器バイパスコントローラを備える、項目４５４、４５７、または４６６、あるいは任意の他の項目に記載の異種構成要素統合型太陽エネルギーシステム。
（項目４７４）
上記自動光起電力ＤＣ−ＤＣ電力変換器バイパスコントローラは、自動光起電力ＤＣ−ＤＣ電力変換器電圧入力および光起電力ＤＣ−ＤＣ電力変換器電圧出力の比較器を備える、項目４７３または任意の他の項目に記載の異種構成要素統合型太陽エネルギーシステム。
（項目４７５）
上記少なくとも１つの光起電力シミュレータは、遠隔光起電力ＤＣ−ＤＣ電力変換器バイパス制御を備える、項目４５４、４５７、４６６、または４７５、あるいは任意の他の項目に記載の異種構成要素統合型太陽エネルギーシステム。
（項目４７６）
上記少なくとも１つの光起電力シミュレータは、プログラム可能な光起電力ＤＣ−ＤＣ電力変換器バイパス制御を備える、項目４５４、４５７、４６６、または４７５、あるいは任意の他の項目に記載の異種構成要素統合型太陽エネルギーシステム。
（項目４７７）
上記少なくとも１つの光起電力シミュレータは、
少なくとも１つの個別太陽電池パネルの光起電力シミュレータ、または
少なくとも１つの個別太陽電池パネル列の光起電力シミュレータ
から成る群より選択される、光起電力シミュレータを備える、項目４５４、４５７、４６６、または４７４、あるいは任意の他の項目に記載の異種構成要素統合型太陽エネルギーシステム。
（項目４７８）
上記少なくとも１つの光起電力シミュレータは、少なくとも１つの個別太陽電池パネルＤＣ−ＤＣ電力変換器バイパス制御を備える、項目４５４、４５７、４６６、または４７４、あるいは任意の他の項目に記載の異種構成要素統合型太陽エネルギーシステム。
（項目４７９）
ＤＣ光起電力出力を各々が有する、少なくとも１つである複数の太陽エネルギー源を確立するステップと、
個別パネルが該ＤＣ光起電力出力を変換されたＤＣ出力にＤＣ変換するステップと、
該複数の太陽エネルギー源のうちの該少なくとも１つに対するパネル専用の最大光起電力点において、個別に発電するステップと、
個別パネルが該ＤＣ光起電力出力を変換されたＤＣ出力にＤＣ変換する該ステップに起因する、複数の変換されたＤＣ出力を電気的に組み合わせるステップと、
該複数の変換されたＤＣ出力のうちの少なくとも１つに対する電力出力をシミュレートするステップと
を含む、異種構成要素統合型太陽エネルギーを生成する方法。
（項目４８０）
発電するために、複数の太陽電池パネルに対応する電気直列を利用するステップをさらに含む、項目４７９または任意の他の項目に記載の異種構成要素統合型太陽エネルギーを生成する方法。
（項目４８１）
発電するために、複数の太陽電池パネルに対応する電気直列を利用する上記ステップは、発電するために、複数の直列に接続された光起電力ＤＣ−ＤＣ電力変換器を利用するステップを含む、項目４８０または任意の他の項目に記載の異種構成要素統合型太陽エネルギーを生成する方法。
（項目４８２）
パネル専用の最大光起電力点において、個別に発電するステップをさらに含む、項目４８１または任意の他の項目に記載の異種構成要素統合型太陽エネルギーを生成する方法。
（項目４８３）
上記複数の変換されたＤＣ出力のうちの少なくとも１つに対する電力出力をシミュレートする上記ステップは、少なくとも１つの光起電力列の電力出力をシミュレートするステップを含む、項目４８２または任意の他の項目に記載の異種構成要素統合型太陽エネルギーを生成する方法。
（項目４８４）
上記複数の変換されたＤＣ出力のうちの少なくとも１つに対する電力出力をシミュレートする上記ステップは、上記複数の変換されたＤＣ出力のうちの少なくとも１つに対する最大電力点をシミュレートするステップを含む、項目４７９または任意の他の項目に記載の異種構成要素統合型太陽エネルギーを生成する方法。
（項目４８５）
上記ＤＣ光起電力出力を変換されたＤＣ出力に個別パネルがＤＣ変換する上記ステップは、複数の個別パネル専用の光起電力シミュレータに応答するステップを含む、項目４７９または任意の他の項目に記載の異種構成要素統合型太陽エネルギーを生成する方法。
（項目４８６）
上記ＤＣ光起電力出力を変換されたＤＣ出力に個別パネルがＤＣ変換する上記ステップに対応して、変換されたＤＣ出力を光起電力ＤＣ−ＡＣ転換させるステップをさらに含む、項目４７９または任意の他の項目に記載の異種構成要素統合型太陽エネルギーを生成する方法。
（項目４８７）
上記複数の変換されたＤＣ出力のうちの少なくとも１つに対する電力出力をシミュレートする上記ステップは、
合成最大電流条件をシミュレートするステップと、
合成最大電圧条件をシミュレートするステップと、
合成最大電力条件をシミュレートするステップと
から成る群より選択される、該複数の変換されたＤＣ出力のうちの少なくとも１つに対する電力出力をシミュレートするステップを含む、項目４７９または４８２、あるいは任意の他の項目に記載の異種構成要素統合型太陽エネルギーを生成する方法。
（項目４８８）
複数の個別パネル専用の変換器機能制御回路を個別に制御するステップをさらに含む、項目４８２または４８７、あるいは任意の他の項目に記載の異種構成要素統合型太陽エネルギーを生成する方法。
（項目４８９）
光起電力ＤＣ−ＤＣ電力変換器の電気的動作をプログラム可能に制御するステップをさらに含む、項目４７９、４８２、または４８７、あるいは任意の他の項目に記載の異種構成要素統合型太陽エネルギーを生成する方法。
（項目４９０）
光起電力ＤＣ−ＤＣ電力変換器の電気的動作をプログラム可能に制御する上記ステップは、光起電力ＤＣ−ＤＣ電力変換器の動作を遠隔で制御するステップを含む、項目４８９または任意の他の項目に記載の異種構成要素統合型太陽エネルギーを生成する方法。
（項目４９１）
光起電力ＤＣ−ＤＣ電力変換器の電気的動作をプログラム可能に制御する上記ステップは、太陽電池パネルモデルのプログラム可能な電力機能コントローラを提供するステップを含む、項目４８９または任意の他の項目に記載の異種構成要素統合型太陽エネルギーを生成する方法。
（項目４９２）
少なくとも１つのＤＣ−ＤＣ電力変換器の切替を制御するステップをさらに含む、項目４７９または４８８、あるいは任意の他の項目に記載の異種構成要素統合型太陽エネルギーを生成する方法。
（項目４９３）
少なくとも１つのＤＣ−ＤＣ電力変換器の切替を制御する上記ステップは、少なくとも１つのＤＣ−ＤＣ電力変換器の電界効果トランジスタ切替を制御するステップを含む、項目４９２または任意の他の項目に記載の異種構成要素統合型太陽エネルギーを生成する方法。
（項目４９４）
上記複数の変換されたＤＣ出力のうちの少なくとも１つに対する電力出力をシミュレートする上記ステップは、該複数の変換されたＤＣ出力のうちの少なくとも１つに対するＤＣ−ＡＣ光起電インバータパラメータをシミュレートするステップを含む、項目４７９、４８２、または４８７、あるいは任意の他の項目に記載の異種構成要素統合型太陽エネルギーを生成する方法。
（項目４９５）
上記複数の変換されたＤＣ出力のうちの少なくとも１つに対する電力出力をシミュレートする上記ステップは、光起電力ＤＣ−ＤＣ電力変換器の正常動作を迂回するステップを含む、項目４７９、４８２、または４９３、あるいは任意の他の項目に記載の異種構成要素統合型太陽エネルギーを生成する方法。
（項目４９６）
上記複数の変換されたＤＣ出力のうちの少なくとも１つに対する電力出力をシミュレートする上記ステップは、複数の変換されたＤＣ出力を部分列がシミュレートするステップを含む、項目４７９、４８２、４９３、または４９５、あるいは任意の他の項目に記載の異種構成要素統合型太陽エネルギーを生成する方法。
（項目４９７）
上記複数の変換されたＤＣ出力のうちの少なくとも１つに対する電力出力をシミュレートする上記ステップを制御するために、少なくとも１つの光起電力条件を感知するステップをさらに含む、項目４７９、４８２、４９５、または４９６、あるいは任意の他の項目に記載の異種構成要素統合型太陽エネルギーを生成する方法。
（項目４９８）
少なくとも１つの光起電力条件を感知する上記ステップは、
光起電力ＤＣ−ＤＣ電力変換器電圧入力を感知するステップと、
光起電力ＤＣ−ＤＣ電力変換器電圧出力を感知するステップと、
光起電力ＤＣ−ＤＣ電力変換器電圧入力と光起電力ＤＣ−ＤＣ電力変換器電圧出力とを比較するステップと
から成る群より選択される、少なくとも１つの光起電力条件を感知する該ステップを含む、項目４９７または任意の他の項目に記載の異種構成要素統合型太陽エネルギーを生成する方法。
（項目４９９）
少なくとも１つの光起電力条件を感知する上記ステップは、少なくとも１つの光起電力条件を一時的に感知するステップを含む、項目４９７または任意の他の項目に記載の異種構成要素統合型太陽エネルギーを生成する方法。
（項目５００）
少なくとも１つの光起電力条件を一時的に感知する上記ステップは、
光起電力ＤＣ−ＤＣ電力変換器電圧入力を周期的に感知するステップと、
光起電力ＤＣ−ＤＣ電力変換器電圧出力を周期的に感知するステップと、
光起電力ＤＣ−ＤＣ電力変換器電圧入力および光起電力ＤＣ−ＤＣ電力変換器電圧出力を周期的に比較するステップと
から成る群より選択される、少なくとも１つの光起電力条件を一時的に感知するステップを含む、項目４９９または任意の他の項目に記載の異種構成要素統合型太陽エネルギーを生成する方法。
（項目５０１）
上記複数の変換されたＤＣ出力のうちの少なくとも１つに対する電力出力をシミュレートする上記ステップは、光起電力ＤＣ−ＤＣ電力変換器の正常動作を自動的に迂回するステップを含む、項目４７９、４８２、または４９３、あるいは任意の他の項目に記載の異種構成要素統合型太陽エネルギーを生成する方法。
（項目５０２）
光起電力ＤＣ−ＤＣ電力変換器の正常動作を自動的に迂回する上記ステップは、光起電力ＤＣ−ＤＣ電力変換器電圧入力と光起電力ＤＣ−ＤＣ電力変換器電圧出力とを比較するステップに応じる、項目５０１または任意の他の項目に記載の異種構成要素統合型太陽エネルギーを生成する方法。
（項目５０３）
上記複数の変換されたＤＣ出力のうちの少なくとも１つに対する電力出力をシミュレートする上記ステップは、光起電力ＤＣ−ＤＣ電力変換器の正常動作のバイパスを遠隔で制御するステップを含む、項目４７９、４８２、または４９３．７、あるいは任意の他の項目に記載の異種構成要素統合型太陽エネルギーを生成する方法。
（項目５０４）
上記複数の変換されたＤＣ出力のうちの少なくとも１つに対する電力出力をシミュレートする上記ステップは、光起電力ＤＣ−ＤＣ電力変換器の正常動作のバイパスをプログラム可能に制御するステップを含む、項目４７９、４８２、４９３、または５０３、あるいは任意の他の項目に記載の異種構成要素統合型太陽エネルギーを生成する方法。
（項目５０５）
上記複数の変換されたＤＣ出力のうちの少なくとも１つに対する電力出力をシミュレートする上記ステップは、
少なくとも１つの個別太陽電池パネルの電力出力をシミュレートするステップと、
少なくとも１つの個別太陽電池パネル列の電力出力をシミュレートするステップと
から成る群より選択される、光起電力シミュレータのステップを含む、項目４７９、４８２、４９３、または５０２、あるいは任意の他の項目に記載の異種構成要素統合型太陽エネルギーを生成する方法。
（項目５０６）
上記複数の変換されたＤＣ出力のうちの少なくとも１つに対する電力出力をシミュレートする上記ステップは、少なくとも１つの個別太陽電池パネルＤＣ−ＤＣ電力変換器の正常動作を迂回するステップを含む、項目４７９、４８２、４９３、または５０２、あるいは任意の他の項目に記載の異種構成要素統合型太陽エネルギーを生成する方法。
（項目５０７）
ＤＣ光起電力出力を各々が有する、少なくとも１つである複数の太陽エネルギー源を確立するステップと、
複数のＤＣ光起電力出力を電気的に組み合わせるステップと、
複数のＤＣ光起電力出力を電気的に組み合わせる該ステップからの電力出力をシミュレートするステップと
を含む、異種構成要素統合型太陽エネルギーを生成する方法。
（項目５０８）
発電するために、複数の太陽電池パネルに対応する電気直列を利用するステップをさらに含む、項目５０７または任意の他の項目に記載の異種構成要素統合型太陽エネルギーを生成する方法。
（項目５０９）
発電するために複数の太陽電池パネルに対応する電気直列を利用する上記ステップは、発電するために複数の直列に接続された光起電力ＤＣ−ＤＣ電力変換器を利用するステップを含む、項目５０８または任意の他の項目に記載の異種構成要素統合型太陽エネルギーを生成する方法。
（項目５１０）
パネル専用の最大光起電力点において、個別に発電するステップをさらに含む、項目５０９または任意の他の項目に記載の異種構成要素統合型太陽エネルギーを生成する方法。
（項目５１１）
電力出力をシミュレートする上記ステップは、少なくとも１つの光起電力列の電力出力をシミュレートするステップを含む、項目５１０または任意の他の項目に記載の異種構成要素統合型太陽エネルギーを生成する方法。
（項目５１２）
電力出力をシミュレートする上記ステップは、複数の変換されたＤＣ出力のうちの少なくとも１つに対する最大電力点をシミュレートするステップを含む、項目５１１または任意の他の項目に記載の異種構成要素統合型太陽エネルギーを生成する方法。
（項目５１３）
電力出力をシミュレートする上記ステップは、
合成最大電流条件をシミュレートするステップと、
合成最大電圧条件をシミュレートするステップと、
合成最大電力条件をシミュレートするステップと
から成る群より選択される、複数の変換されたＤＣ出力のうちの少なくとも１つに対する電力出力をシミュレートするステップを含む、項目５０７または５１０、あるいは任意の他の項目に記載の異種構成要素統合型太陽エネルギーを生成する方法。
（項目５１４）
光起電力ＤＣ−ＤＣ電力変換器の電気的動作をプログラム可能に制御するステップをさらに含む、項目５０７、５１０、または５１３、あるいは任意の他の項目に記載の異種構成要素統合型太陽エネルギーを生成する方法。
（項目５１５）
光起電力ＤＣ−ＤＣ電力変換器の電気的動作をプログラム可能に制御する上記ステップは、光起電力ＤＣ−ＤＣ電力変換器の動作を遠隔で制御するステップを含む、項目５１４または任意の他の項目に記載の異種構成要素統合型太陽エネルギーを生成する方法。
（項目５１６）
少なくとも１つのＤＣ−ＤＣ電力変換器の切替を制御するステップをさらに含む、項目５０７または任意の他の項目に記載の異種構成要素統合型太陽エネルギーを生成する方法。
（項目５１７）
少なくとも１つのＤＣ−ＤＣ電力変換器の切替を制御する上記ステップは、少なくとも１つのＤＣ−ＤＣ電力変換器の電界効果トランジスタ切替を制御するステップを含む、項目５１６または任意の他の項目に記載の異種構成要素統合型太陽エネルギーを生成する方法。
（項目５１８）
電力出力をシミュレートする上記ステップは、光起電力ＤＣ−ＤＣ電力変換器の正常動作を迂回するステップを含む、項目５０７、５１０、または５１７、あるいは任意の他の項目に記載の異種構成要素統合型太陽エネルギーを生成する方法。
（項目５１９）
電力出力をシミュレートする上記ステップは、複数の変換されたＤＣ出力を部分列がシミュレートするステップを含む、項目５０７、５１０、５１７、または５１８、あるいは任意の他の項目に記載の異種構成要素統合型太陽エネルギーを生成する方法。
（項目５２０）
電力出力をシミュレートする上記ステップを制御するように、少なくとも１つの光起電力条件を感知するステップをさらに含む、項目５０７、５１０、５１８、または５１９、あるいは任意の他の項目に記載の異種構成要素統合型太陽エネルギーを生成する方法。
（項目５２１）
少なくとも１つの光起電力条件を一時的に感知する上記ステップは、
光起電力ＤＣ−ＤＣ電力変換器電圧入力を感知するステップと、
光起電力ＤＣ−ＤＣ電力変換器電圧出力を感知するステップと、
光起電力ＤＣ−ＤＣ電力変換器電圧入力と光起電力ＤＣ−ＤＣ電力変換器電圧出力とを比較するステップと
から成る群より選択される、少なくとも１つの光起電力条件を感知するステップを含む、
項目５２０または任意の他の項目に記載の異種構成要素統合型太陽エネルギーを生成する方法。
（項目５２２）
少なくとも１つの光起電力条件を感知する上記ステップは、少なくとも１つの光起電力条件を一時的に感知するステップを含む、項目５２０または任意の他の項目に記載の異種構成要素統合型太陽エネルギーを生成する方法。
（項目５２３）
少なくとも１つの光起電力条件を一時的に感知する上記ステップは、
光起電力ＤＣ−ＤＣ電力変換器電圧入力を周期的に感知するステップと、
光起電力ＤＣ−ＤＣ電力変換器電圧出力を周期的に感知するステップと、
光起電力ＤＣ−ＤＣ電力変換器電圧入力と光起電力ＤＣ−ＤＣ電力変換器電圧出力とを周期的に比較するステップと
から成る群より選択される、少なくとも１つの光起電力条件を一時的に感知するステップを含む、項目５２２または任意の他の項目に記載の異種構成要素統合型太陽エネルギーを生成する方法。
（項目５２４）
電力出力をシミュレートする上記ステップは、光起電力ＤＣ−ＤＣ電力変換器の正常動作を自動的に迂回するステップを含む、項目５０７、５１０、または５１７、あるいは任意の他の項目に記載の異種構成要素統合型太陽エネルギーを生成する方法。
（項目５２５）
光起電力ＤＣ−ＤＣ電力変換器の正常動作を自動的に迂回する上記ステップは、光起電力ＤＣ−ＤＣ電力変換器電圧入力と光起電力ＤＣ−ＤＣ電力変換器電圧出力とを比較するステップに応じる、項目５２４または任意の他の項目に記載の異種構成要素統合型太陽エネルギーを生成する方法。
（項目５２６）
電力出力をシミュレートする上記ステップは、光起電力ＤＣ−ＤＣ電力変換器の正常動作のバイパスを遠隔で制御するステップを含む、項目５０７、５１０、または５１７、あるいは任意の他の項目に記載の異種構成要素統合型太陽エネルギーを生成する方法。
（項目５２７）
電力出力をシミュレートする上記ステップは、光起電力ＤＣ−ＤＣ電力変換器の正常動作のバイパスをプログラム可能に制御するステップを含む、項目５０７、５１０、５１７、または５２６、あるいは任意の他の項目に記載の異種構成要素統合型太陽エネルギーを生成する方法。
（項目５２８）
電力出力をシミュレートする上記ステップは、
少なくとも１つの個別太陽電池パネルの電力出力をシミュレートするステップと、
少なくとも１つの個別太陽電池パネル列の電力出力をシミュレートするステップと
から成る群より選択される、光起電力シミュレータのステップを含む、項目５０７、５１０、５１７、または５２７、あるいは任意の他の項目に記載の異種構成要素統合型太陽エネルギーを生成する方法。
（項目５２９）
電力出力をシミュレートする上記ステップは、少なくとも１つの個別太陽電池パネルＤＣ−ＤＣ電力変換器の正常動作を迂回するステップを含む、項目５０７、５１０、５１７、または５２５、あるいは任意の他の項目に記載の異種構成要素統合型太陽エネルギーを生成する方法。
（項目５３０）
ＤＣ光起電力出力を各々が有する、少なくとも１つである複数の太陽エネルギー源と、
該複数のＤＣ光起電力出力のうちの少なくともいくつかに対応する、光起電力結合回路と、
該光起電力結合回路が対応する、光起電力機能変更コントローラと、
該光起電力機能コントローラが対応する、遠隔電力機能変更コントローラと
を備える、遠隔でプログラム可能な機能の太陽エネルギーシステム。
（項目５３１）
上記遠隔電力機能変更コントローラは、集中遠隔電力機能変更コントローラを備える、項目５３０または任意の他の項目に記載の変更可能な電力変換機能の太陽エネルギーシステム。
（項目５３２）
上記少なくとも１つである複数の太陽エネルギー源は、複数の太陽電池パネルを備え、上記集中遠隔電力機能変更コントローラは、集中多重パネル遠隔電力機能変更コントローラを備える、項目５３１または任意の他の項目に記載の変更可能な電力変換機能の太陽エネルギーシステム。
（項目５３３）
上記集中多重パネル遠隔電力機能変更コントローラは、管理パネル群設備制御を備える、項目５３２または任意の他の項目に記載の変更可能な電力変換機能の太陽エネルギーシステム。
（項目５３４）
ＤＣ−ＤＣ変換された太陽電池パネル出力に対応する、少なくとも１列の電気直列をさらに備える、項目５３０または任意の他の項目に記載の変更可能な電力変換機能の太陽エネルギーシステム。
（項目５３５）
ＤＣ−ＤＣ変換された太陽電池パネル出力に対応する、上記少なくとも１列の電気直列は、複数の直列に接続された光起電力ＤＣ−ＤＣ電力変換器を備える、項目５３４または任意の他の項目に記載の遠隔でプログラム可能な機能の太陽エネルギーシステム。
（項目５３６）
ＤＣ−ＤＣ変換された太陽電池パネル出力に対応する、上記少なくとも１列の電気直列はさらに、複数の個別パネル専用の最大光起電力点変換器機能制御を備える、項目５３５または任意の他の項目に記載の遠隔でプログラム可能な機能の太陽エネルギーシステム。
（項目５３７）
上記光起電力機能変更コントローラは、光起電力ＤＣ−ＤＣ電力変換器動作コントローラを備える、項目５３０、５３４、５３５、または５３６、あるいは任意の他の項目に記載の遠隔でプログラム可能な機能の太陽エネルギーシステム。
（項目５３８）
上記集中遠隔電力機能変更コントローラは、プログラム可能な電力機能コントローラを備える、項目５３０または任意の他の項目に記載の遠隔でプログラム可能な機能の太陽エネルギーシステム。
（項目５３９）
上記プログラム可能な機能変更コントローラは、外部列反応型電力機能コントローラを備える、項目５３８または任意の他の項目に記載の遠隔でプログラム可能な機能の太陽エネルギーシステム。
（項目５４０）
上記プログラム可能な電力機能コントローラは、パネル故障反応型電力機能コントローラを備える、項目５３８または任意の他の項目に記載の遠隔でプログラム可能な機能の太陽エネルギーシステム。
（項目５４１）
上記プログラム可能な電力機能コントローラ入力は、ユーザプログラム可能な電力機能コントローラを備える、項目５３８または任意の他の項目に記載の遠隔でプログラム可能な機能の太陽エネルギーシステム。
（項目５４２）
上記プログラム可能な電力機能コントローラ入力は、保守プログラム可能な電力機能コントローラを備える、項目５３８または任意の他の項目に記載の遠隔でプログラム可能な機能の太陽エネルギーシステム。
（項目５４３）
上記プログラム可能な電力機能コントローラ入力は、電気規格プログラム可能な電力機能コントローラを備える、項目５３８または任意の他の項目に記載の遠隔でプログラム可能な機能の太陽エネルギーシステム。
（項目５４４）
上記プログラム可能な電力機能コントローラ入力は、個別太陽電池パネルプログラム可能な電力機能コントローラを備える、項目５３８または任意の他の項目に記載の遠隔でプログラム可能な機能の太陽エネルギーシステム。
（項目５４５）
上記プログラム可能な電力機能コントローラ入力は、太陽電池パネルモデル特性電力機能コントローラを備える、項目５３８または任意の他の項目に記載の遠隔でプログラム可能な機能の太陽エネルギーシステム。
（項目５４６）」
上記光起電力機能変コントローラは、
太陽電池パネル列電圧機能コントローラと、
太陽電池パネル列電流機能コントローラと、
太陽電池パネルインバータ入力電圧機能コントローラと、
太陽電池パネルインバータ入力電流機能コントローラと、
太陽電池パネルインバータ入力電力機能コントローラと、
太陽電池パネル電圧機能コントローラと
から成る群より選択される、光起電力機能変更コントローラを備える、項目５３０または５３８、あるいは任意の他の項目に記載の遠隔でプログラム可能な機能の太陽エネルギーシステム。
（項目５４７）
上記光起電力機能変更コントローラは、太陽電池パネル電力増加切断制御を備える、項目５３０または５３８、あるいは任意の他の項目に記載の遠隔でプログラム可能な機能の太陽エネルギーシステム。
（項目５４８）
上記光起電力機能変更コントローラは、光起電力ＤＣ−ＤＣ電力変換器スイッチコントローラを備える、項目５３０、５４６、または５４７、あるいは任意の他の項目に記載の遠隔でプログラム可能な機能の太陽エネルギーシステム。
（項目５４９）
上記光起電力ＤＣ−ＤＣ電力変換器スイッチコントローラは、光起電力ＤＣ−ＤＣ変換器電界効果トランジスタコントローラを備える、項目５４８または任意の他の項目に記載の遠隔でプログラム可能な機能の太陽エネルギーシステム。
（項目５５０）
上記電界効果トランジスタコントローラは、変換器動作不能スイッチ切断コントローラを備える、項目５４９または任意の他の項目に記載の遠隔でプログラム可能な機能の太陽エネルギーシステム。
（項目５５１）
上記電界効果トランジスタコントローラは、電界効果トランジスタタイミングコントローラを備える、項目５４９または任意の他の項目に記載の遠隔でプログラム可能な機能の太陽エネルギーシステム。
（項目５５２）
ＤＣ光起電力出力を各々が有する、複数の太陽エネルギー源を確立するステップと、
相当量の太陽エネルギー電力出力を支援するために、光起電力結合回路において該複数の太陽エネルギー源からの該複数のＤＣ光起電力出力を電気的に組み合わせるステップと、
該複数のＤＣ光起電力出力のうちの少なくともいくつかの機能的変更を遠隔で指示するステップと
を含む、太陽エネルギーシステムの遠隔でプログラム可能な機能的制御の方法。
（項目５５３）
機能的変更を遠隔で指示する上記ステップは、上記ＤＣ光起電力出力をＤＣ変換するステップの機能的変更を中央で指示するステップを含む、項目５５２または任意の他の項目に記載の太陽エネルギーシステムの遠隔でプログラム可能な機能的制御の方法。
（項目５５４）
ＤＣ光起電力出力を各々が有する、複数の太陽エネルギー源を確立する上記ステップは、複数の太陽電池パネルを確立するステップを含み、該ＤＣ光起電力出力をＤＣ変換する上記ステップの機能的変更を中央で指示する上記ステップは、個別パネルＤＣ変換の多重パネル機能的変更を指示するステップを含む、項目５５３または任意の他の項目に記載の太陽エネルギーシステムの遠隔でプログラム可能な機能的制御の方法。
（項目５５５）
個別パネルＤＣ変換の多重パネル機能的変更を指示する上記ステップは、管理パネル群設備制御から、多重パネル機能的変更を遠隔で指示するステップを含む、項目５５４または任意の他の項目に記載の太陽エネルギーシステムの遠隔でプログラム可能な機能的制御の方法。
（項目５５６）
発電するために複数の太陽電池パネルに対応する電気直列を利用するステップをさらに含む、項目５５２または任意の他の項目に記載の太陽エネルギーシステムの遠隔でプログラム可能な機能的制御の方法。
（項目５５７）
発電するために複数の太陽電池パネルに対応する電気直列を利用する上記ステップは、発電するために複数の直列に接続された光起電力ＤＣ−ＤＣ電力変換器を利用するステップを含む、項目５５６または任意の他の項目に記載の太陽エネルギーシステムの遠隔でプログラム可能な機能的制御の方法。
（項目５５８）
パネル専用の最大光起電力点において、個別に発電するステップをさらに含む、項目５５７または任意の他の項目に記載の太陽エネルギーシステムの遠隔でプログラム可能な機能的制御の方法。
（項目５５９）
機能的変更を遠隔で指示する上記ステップは、光起電力ＤＣ−ＤＣ電力変換器の動作を遠隔で制御するステップを含む、項目５５２、５５６、５５７、または５５８、あるいは任意の他の項目に記載の太陽エネルギーシステムの遠隔でプログラム可能な機能的制御の方法。
（項目５６０）
光起電力ＤＣ−ＤＣ電力変換器の電気的動作をプログラム可能に制御するステップをさらに含む、項目５５２または任意の他の項目に記載の太陽エネルギーシステムの遠隔でプログラム可能な機能的制御の方法。
（項目５６１）
光起電力ＤＣ−ＤＣ電力変換器の電気的動作をプログラム可能に制御する上記ステップは、外部列反応型電力条件に反応するステップを含む、項目５６０または任意の他の項目に記載の太陽エネルギーシステムの遠隔でプログラム可能な機能的制御の方法。
（項目５６２）
光起電力ＤＣ−ＤＣ電力変換器の電気的動作をプログラム可能に制御する上記ステップは、太陽電池パネル接地条件に反応するステップを含む、項目５６０または任意の他の項目に記載の太陽エネルギーシステムの遠隔でプログラム可能な機能的制御の方法。
（項目５６３）
光起電力ＤＣ−ＤＣ電力変換器の電気的動作をプログラム可能に制御する上記ステップは、ユーザプログラム可能な電力機能コントローラを提供するステップを含む、項目５６０または任意の他の項目に記載の太陽エネルギーシステムの遠隔でプログラム可能な機能的制御の方法。
（項目５６４）
光起電力ＤＣ−ＤＣ電力変換器の電気的動作をプログラム可能に制御する上記ステップは、保守プログラム可能な電力機能コントローラを提供するステップを含む、項目５６０または任意の他の項目に記載の太陽エネルギーシステムの遠隔でプログラム可能な機能的制御の方法。
（項目５６５）
光起電力ＤＣ−ＤＣ電力変換器の電気的動作をプログラム可能に制御する上記ステップは、電気規格プログラム可能な電力機能コントローラを提供するステップを含む、項目５６０または任意の他の項目に記載の太陽エネルギーシステムの遠隔でプログラム可能な機能的制御の方法。
（項目５６６）
光起電力ＤＣ−ＤＣ電力変換器の電気的動作をプログラム可能に制御する上記ステップは、個別太陽電池パネルプログラム可能な電力機能コントローラを提供するステップを含む、項目５６０または任意の他の項目に記載の太陽エネルギーシステムの遠隔でプログラム可能な機能的制御の方法。
（項目５６７）
光起電力ＤＣ−ＤＣ電力変換器の電気的動作をプログラム可能に制御する上記ステップは、太陽電池パネルモデルプログラム可能な電力機能コントローラを提供するステップを含む、項目５６０または任意の他の項目に記載の太陽エネルギーシステムの遠隔でプログラム可能な機能的制御の方法。
（項目５６８）
機能的変更を遠隔で指示する上記ステップは、
太陽電池パネル列の電圧機能を遠隔で制御するステップと、
太陽電池パネル列の電流機能を遠隔で制御するステップと、
太陽電池パネルインバータの入力電圧機能を遠隔で制御するステップと、
太陽電池パネルインバータの入力電流機能を遠隔で制御するステップと、
太陽電池パネルインバータの入力電力機能を遠隔で制御するステップと、
太陽電池パネルの電圧機能を遠隔で制御するステップと
から成る群より選択されるステップを含む、項目５５２または５６０、あるいは任意の他の項目に記載の太陽エネルギーシステムの遠隔でプログラム可能な機能的制御の方法。
（項目５６９）
機能的変更を遠隔で指示する上記ステップは、少なくとも１つの太陽電池パネルのＤＣ出力を遠隔で切断するステップを含む、項目５５２または５６０、あるいは任意の他の項目に記載の太陽エネルギーシステムの遠隔でプログラム可能な機能的制御の方法。
（項目５７０）
機能的変更を遠隔で指示する上記ステップは、少なくとも１つのＤＣ−ＤＣ電力変換器の切替を遠隔で制御するステップを含む、項目５５２、５６８、または５６９、あるいは任意の他の項目に記載の太陽エネルギーシステムの遠隔でプログラム可能な機能的制御の方法。
（項目５７１）
少なくとも１つのＤＣ−ＤＣ電力変換器の切替を遠隔で制御する上記ステップは、該少なくとも１つのＤＣ−ＤＣ電力変換器に対する少なくとも１つの電界効果トランジスタの切替を遠隔で制御するステップを含む、項目５７０または任意の他の項目に記載の太陽エネルギーシステムの遠隔でプログラム可能な機能的制御の方法。
（項目５７２）
上記少なくとも１つのＤＣ−ＤＣ電力変換器に対する少なくとも１つの電界効果トランジスタの切替を遠隔で制御する上記ステップは、該少なくとも１つのＤＣ−ＤＣ電力変換器に対する変換器スイッチの動作不能を遠隔でもたらすステップを含む、項目５７１または任意の他の項目に記載の太陽エネルギーシステムの遠隔でプログラム可能な機能的制御の方法。
（項目５７３）
上記少なくとも１つのＤＣ−ＤＣ電力変換器に対する少なくとも１つの電界効果トランジスタの切替を遠隔で制御する上記ステップは、該少なくとも１つのＤＣ−ＤＣ電力変換器に対する少なくとも１つの電界効果トランジスタの切替タイミングを遠隔で制御するステップを含む、項目５７１または任意の他の項目に記載の太陽エネルギーシステムの遠隔でプログラム可能な機能的制御の方法。
【図１】
0005508271.tif 000008
【図２】
0005508271.tif 000009
【図５】
0005508271.tif 000010
【図７】
0005508271.tif 000011
【図８Ａ】
0005508271.tif 000012
【図８Ｂ】
0005508271.tif 000013
【図３】
0005508271.tif 000014
【図４】
0005508271.tif 000015
【図６】
0005508271.tif 000016